(57)【要約】  無線基地局（１００）は、無線装置（１１０）と、無線制御装置（１２０）と、を含む。無線装置（１１０）は、無線基地局（１００）による信号処理のうち無線信号処理を含む第１信号処理を行う。無線制御装置（１２０）は、無線基地局（１００）による各処理のうち第１信号処理と異なる第２信号処理を行う。通知部（１１３）は、無線基地局（１００）による各処理のうちの第１信号処理に関する構成情報を無線制御装置（１２０）へ通知する。
2018029853.tif 000002
【特許請求の範囲】
【請求項１】
無線端末と通信を行う無線基地局であって、
自局における信号処理のうち無線信号処理を含む第１信号処理を行う無線装置と、
前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線基地局。
【請求項２】
前記無線制御装置は、通知された前記第１情報に基づいて、前記第２信号処理の制御および／または信号処理された信号を前記無線装置との間で伝送するための伝送方法の制御を行うことを特徴とする請求項１に記載の無線基地局。
【請求項３】
前記無線装置は、通知された前記第２情報に基づいて、前記第１信号処理の制御および／または信号処理された信号を前記無線制御装置との間で伝送するための伝送方法の制御を行うことを特徴とする請求項１または２に記載の無線基地局。
【請求項４】
前記伝送方法の制御には、前記信号を伝送するためのプロトコルの制御および／または伝送する前記信号のデータ種別の制御が含まれることを特徴とする請求項２または３に記載の無線基地局。
【請求項５】
前記無線制御装置は、通知された前記第１情報と、前記無線装置が形成するセルに関する情報と、を前記無線端末へ通知する処理を行うことを特徴とする請求項１〜４のいずれか一つに記載の無線基地局。
【請求項６】
前記無線装置は、通知された前記第２情報と、前記無線装置が形成するセルに関する情報と、を前記無線端末へ通知する処理を行うことを特徴とする請求項１〜５のいずれか一つに記載の無線基地局。
【請求項７】
前記無線装置は、前記無線端末から受信した信号に対して前記第１信号処理に含まれる受信処理を行い、前記受信処理を行った信号を前記無線制御装置へ伝送し、前記無線制御装置から受信した信号に対して前記第１信号処理に含まれる送信処理を行った信号を前記無線端末へ無線送信し、
前記無線制御装置は、前記無線装置から受信した信号に対して前記第２信号処理に含まれる受信処理を行い、前記受信処理を行った信号を基地局の上位装置へ伝送し、前記上位装置から受信した信号に対して前記第２信号処理に含まれる送信処理を行い、前記送信処理を行った信号を前記無線装置へ伝送する、
ことを特徴とする請求項１〜６のいずれか一つに記載の無線基地局。
【請求項８】
無線装置および無線制御装置を含み、無線端末と通信を行う無線基地局の前記無線装置であって、
前記無線基地局における信号処理のうち無線信号処理を含む第１信号処理を行う処理部と、
前記無線制御装置との間で伝送を実施するためのインタフェース処理部と、
前記第１信号処理に関する情報を前記無線制御装置へ通知する通知部と、
を備えることを特徴とする無線装置。
【請求項９】
無線装置および無線制御装置を含み、無線端末と通信を行う無線基地局の前記無線制御装置であって、
前記無線基地局における信号処理のうち無線信号処理を含む第１信号処理とは異なる第２信号処理を行う処理部と、
前記無線装置との間で伝送を実施するためのインタフェース処理部と、
前記第２信号処理に関する情報を前記無線装置へ通知する通知部と、
を備えることを特徴とする無線制御装置。
【請求項１０】
無線端末と、
前記無線端末と通信を行う無線基地局に含まれ、前記無線基地局における信号処理のうち無線信号処理を含む第１信号処理を行う無線装置と、
前記無線基地局に含まれ、前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線通信システム。
【請求項１１】
無線装置および無線制御装置を含み、無線端末と通信を行う無線基地局の通信方法であって、
前記無線装置により、自局における信号処理のうち無線信号処理を含む第１信号処理を行い、
前記無線制御装置により、前記第１信号処理と異なる第２信号処理を行い、
前記第１信号処理に関する第１情報の前記無線装置から前記無線制御装置への通知および前記第２信号処理に関する第２情報の前記無線制御装置から前記無線装置への通知の少なくともいずれかを行う、
ことを特徴とする通信方法。
【請求項１２】
第１無線装置、第２無線装置および無線制御装置を含み、無線端末と通信を行う無線基地局の前記無線制御装置であって、
前記無線端末との間で伝送する信号のうちの前記第１無線装置を介して伝送する信号に対する前記無線基地局における信号処理のうち、無線信号処理を含む前記第１無線装置の第１信号処理とは異なる第２信号処理を行う第１処理部と、
前記無線端末との間で伝送する信号のうちの前記第２無線装置を介して伝送する信号に対する前記無線基地局における信号処理のうち、無線信号処理を含む前記第２無線装置の第１信号処理とは異なる第２信号処理を行う第２処理部と、
前記第１無線装置との間の前記信号と、前記第２無線装置との間の前記信号と、を同一の伝送路を介して伝送するインタフェース処理部と、
を備えることを特徴とする無線制御装置。
【請求項１３】
前記第１処理部は、前記第１無線装置への第１信号に、前記第１無線装置の第１信号処理に関する第１情報を付加し、
前記第２処理部は、前記第２無線装置への第２信号に、前記第２無線装置の第１信号処理に関する第２情報を付加し、
前記インタフェース処理部は、前記第１信号に付加された前記第１情報に基づく伝送方法により前記第１信号を伝送し、前記第２信号に付加された前記第２情報に基づく伝送方法により前記第２信号を伝送する、
ことを特徴とする請求項１２に記載の無線制御装置。
【請求項１４】
前記第２無線装置の第１信号処理は、前記第１無線装置の第１信号処理と異なることを特徴とする請求項１２または１３に記載の無線制御装置。
【請求項１５】
第１無線装置、第２無線装置および無線制御装置を含み、無線端末と通信を行う無線基地局の前記第１無線装置に適用される無線装置であって、
前記無線端末との間で伝送する信号のうちの前記第１無線装置を介して伝送する信号に対する前記無線基地局における信号処理のうち無線信号処理を含む前記第１無線装置の第１信号処理を行う処理部と、
前記第１信号処理とは異なる第２信号処理を行う前記無線制御装置と前記第２無線装置との間の伝送を、実施するためのインタフェース処理部と、
を備えることを特徴とする無線装置。
【請求項１６】
前記処理部は、前記無線制御装置への信号に、前記第１信号処理に関する情報を付加し、
前記インタフェース処理部は、前記無線制御装置への信号に付加された前記情報に基づく伝送方法により前記無線制御装置への信号を伝送する、
ことを特徴とする請求項１５に記載の無線装置。
【請求項１７】
無線端末と、
前記無線端末と通信を行う無線基地局に含まれ、前記無線端末との間で伝送する信号のうちの自装置を介して伝送する信号に対する前記無線基地局における信号処理のうち、無線信号処理を含む第１信号処理を行う第１無線装置と、
前記無線基地局に含まれ、前記無線端末との間で伝送する信号のうちの自装置を介して伝送する信号に対する前記無線基地局における信号処理のうち、無線信号処理を含む第１信号処理を行う第２無線装置と、
前記無線基地局に含まれ、前記第１無線装置を介して伝送する信号に対する前記無線基地局における信号処理のうち前記第１無線装置の第１信号処理とは異なる第２信号処理を行い、前記第２無線装置を介して伝送する信号に対する前記無線基地局における信号処理のうち前記第２無線装置の第１信号処理とは異なる第２信号処理を行う無線制御装置と、
を含み、前記第１無線装置と前記無線制御装置との間の前記信号と、前記第２無線装置と前記無線制御装置との間の前記信号と、を同一の伝送路を介して伝送する、
ことを特徴とする無線通信システム。
【請求項１８】
第１無線装置、第２無線装置および無線制御装置を含み、無線端末と通信を行う無線基地局の通信方法であって、
前記第１無線装置が、前記無線端末との間で伝送する信号のうちの前記第１無線装置を介して伝送する信号に対する前記無線基地局における信号処理のうち、無線信号処理を含む前記第１無線装置の第１信号処理を行い、
前記第２無線装置が、前記無線端末との間で伝送する信号のうちの前記第２無線装置を介して伝送する信号に対する前記無線基地局における信号処理のうち、無線信号処理を含む前記第２無線装置の第１信号処理を行い、
前記無線制御装置が、前記無線端末との間で伝送する信号のうちの前記第１無線装置を介して伝送する信号に対する前記無線基地局における信号処理のうち前記第１無線装置の第１信号処理とは異なる第２信号処理を行い、
前記無線制御装置が、前記無線端末との間で伝送する信号のうちの前記第２無線装置を介して伝送する信号に対する前記無線基地局における信号処理のうち前記第２無線装置の第１信号処理とは異なる第２信号処理を行い、
前記第１無線装置と前記無線制御装置との間の前記信号と、前記第２無線装置と前記無線制御装置との間の前記信号と、を同一の伝送路を介して伝送する、
ことを特徴とする通信方法。
【請求項１９】
無線装置および無線制御装置を含む無線基地局と通信を行う無線端末であって、
前記無線基地局における信号処理のうち、前記無線装置における第１信号処理と前記無線制御装置における第２信号処理に関する情報を前記無線基地局から受信する通信部と、
受信した前記情報に基づいてセルを選択する制御部と、
を備えることを特徴とする無線端末。
【請求項２０】
無線装置および無線制御装置を含み無線端末と通信を行う無線基地局であって、自局における信号処理のうち、前記無線装置による第１信号処理と前記無線制御装置による第２信号処理に関する情報を送信する無線基地局と、
受信した前記情報に基づいてセルを選択する無線端末と、
を含むことを特徴とする無線通信システム。
【請求項２１】
無線装置および無線制御装置を含む無線基地局と、前記無線基地局と通信を行う無線端末と、を含む無線通信システムにおける通信方法であって、
前記無線基地局が、自局における信号処理のうち、前記無線装置による第１信号処理と前記無線制御装置による第２信号処理に関する情報を前記無線端末へ送信し、
前記無線端末が、受信した前記情報に基づいてセルを選択する、
ことを特徴とする通信方法。
【発明の詳細な説明】
【技術分野】
【０００１】
本発明は、無線基地局（たとえばｅＮＢ）、無線装置、無線制御装置、無線通信システム、通信方法および無線端末（たとえば移動機やモバイル端末）に関する。
【背景技術】
【０００２】
従来、第３世代移動通信システム（３Ｇ）、第３．９世代移動通信システムに対応するＬＴＥ、第４世代移動通信システムに対応するＬＴＥ−Ａｄｖａｎｃｅｄなどの移動通信システムが知られている。ＬＴＥはＬｏｎｇ  Ｔｅｒｍ  Ｅｖｏｌｕｔｉｏｎの略である。また、第５世代移動通信システム（５Ｇ）に関する技術の検討も開始されている。また、５Ｇにおいては無線基地局における信号処理（または、信号処理機能、機能）をＣＵ（Ｃｅｎｔｅｒ  ＵｎｉｔまたはＣｅｎｔｒａｉｚｅｄ  Ｕｎｉｔ）およびＤＵ（Ｄｉｓｔｒｉｂｕｔｅ  Ｕｎｉｔ）に分離することが検討されている。【０００３】
また、アドホックネットワークの各無線装置がローカルリンク情報を管理し、Ｈｅｌｌｏメッセージによりローカルリンク情報の構築および送信を行う技術が知られている（たとえば、下記特許文献１参照。）。また、トラフィック制御情報に基づいて、受信パケットに対して優先制御およびルート分離を含むトラフィック制御を行って出力パケットとして出力する技術が知られている（たとえば、下記特許文献２参照。）。
【先行技術文献】
【特許文献】
【０００４】
【特許文献１】特開２００８−１９３５５８号公報
【特許文献２】国際公開第２０１５／１３６８７５号
【発明の概要】
【発明が解決しようとする課題】
【０００５】
しかしながら、上述した従来技術では、ネットワーク内や無線基地局内において、たとえば無線基地局の信号処理をＣＵの信号処理とＤＵの信号処理に分離するポイント（機能分離ポイント（Ｆｕｎｃｔｉｏｎ  Ｓｐｉｌｔ））など、無線基地局における信号処理の分離ポイントを複数通り混在させることが求められる。【０００６】
１つの側面では、本発明は、無線基地局における信号処理の複数通りの分離ポイントの混在を可能にすることができる無線基地局、無線装置、無線制御装置、無線通信システム、通信方法および無線端末を提供することを目的とする。
【課題を解決するための手段】
【０００７】
上述した課題を解決し、目的を達成するため、本発明の一側面によれば、無線装置および無線制御装置を含み、無線端末と通信を行う無線基地局において、前記無線装置により、自局における信号処理のうち無線信号処理を含む第１信号処理を行い、前記無線制御装置により、前記第１信号処理と異なる第２信号処理を行い、前記第１信号処理に関する第１情報の前記無線装置から前記無線制御装置への通知および前記第２信号処理に関する第２情報の前記無線制御装置から前記無線装置への通知の少なくともいずれかを行う無線基地局、無線装置、無線制御装置、無線通信システム、通信方法および無線端末が提案される。【０００８】
また、本発明の別の一側面によれば、第１無線装置、第２無線装置および無線制御装置を含み、無線端末と通信を行う無線基地局において、前記第１無線装置が、前記無線端末との間で伝送する信号のうちの前記第１無線装置を介して伝送する信号に対する前記無線基地局における信号処理のうち、無線信号処理を含む前記第１無線装置の第１信号処理を行い、前記第２無線装置が、前記無線端末との間で伝送する信号のうちの前記第２無線装置を介して伝送する信号に対する前記無線基地局における信号処理のうち、無線信号処理を含む前記第２無線装置の第１信号処理を行い、前記無線制御装置が、前記無線端末との間で伝送する信号のうちの前記第１無線装置を介して伝送する信号に対する前記無線基地局における信号処理のうち前記第１無線装置の第１信号処理とは異なる第２信号処理を行い、前記無線制御装置が、前記無線端末との間で伝送する信号のうちの前記第２無線装置を介して伝送する信号に対する前記無線基地局における信号処理のうち前記第２無線装置の第１信号処理とは異なる第２信号処理を行い、前記第１無線装置と前記無線制御装置との間の前記信号と、前記第２無線装置と前記無線制御装置との間の前記信号と、を同一の伝送路を介して伝送する無線基地局、無線装置、無線制御装置、無線通信システム、通信方法および無線端末が提案される。【０００９】
また、本発明の別の一側面によれば、無線装置および無線制御装置を含む無線基地局と、前記無線基地局と通信を行う無線端末と、を含む無線通信システムにおいて、前記無線基地局が、自局における信号処理のうち、前記無線装置による第１信号処理と前記無線制御装置による第２信号処理に関する情報を前記無線端末へ送信し、前記無線端末が、受信した前記情報に基づいてセルを選択する無線基地局、無線装置、無線制御装置、無線通信システム、通信方法および無線端末が提案される。
【発明の効果】
【００１０】
本発明の一側面によれば、無線基地局における信号処理の複数通りの分離ポイントの混在を可能にすることができるという効果を奏する。
【図面の簡単な説明】
【００１１】
【図１】図１は、実施の形態１にかかる無線基地局の一例を示す図である。
【図２】図２は、実施の形態１にかかる基地局信号処理の分離例１を示す図である。
【図３】図３は、実施の形態１にかかる基地局信号処理の分離例２を示す図である。
【図４】図４は、実施の形態１にかかる基地局信号処理の分離例３を示す図である。
【図５】図５は、実施の形態１にかかる基地局信号処理の分離例４を示す図である。
【図６】図６は、実施の形態１にかかる基地局信号処理の分離例５を示す図である。
【図７】図７は、実施の形態１にかかる無線基地局において異なる無線装置を混在させた構成の一例を示す図である。
【図８】図８は、実施の形態１にかかる無線基地局において異なる無線装置を混在させた構成の他の一例を示す図である。
【図９】図９は、実施の形態１にかかる無線基地局を適用可能な移動体通信網の一例を示す図である。
【図１０】図１０は、実施の形態１にかかる移動体通信網における処理の一例を示すシーケンス図である。
【図１１】図１１は、実施の形態１にかかる移動体通信網における処理の他の一例を示すシーケンス図である。
【図１２】図１２は、実施の形態１にかかる移動体通信網における処理のさらに他の一例を示すシーケンス図である。
【図１３】図１３は、実施の形態１にかかる識別情報を付加された信号のフォーマットの一例を示す図である。
【図１４】図１４は、実施の形態１にかかる識別情報を付加された信号のフォーマットの他の一例を示す図である。
【図１５】図１５は、実施の形態１にかかる基地局信号処理の分離ポイントごとのＤＵカテゴリの一例を示す図である。
【図１６】図１６は、実施の形態１にかかる無線装置のハードウェア構成の一例を示す図である。
【図１７】図１７は、実施の形態１にかかる無線制御装置のハードウェア構成の一例を示す図である。
【図１８】図１８は、実施の形態２にかかる無線通信システムの一例を示す図である。
【図１９】図１９は、実施の形態２にかかる無線通信システムにおける処理の一例を示すシーケンス図である。
【図２０】図２０は、実施の形態２にかかるＤＵリストの一例を示す図である。
【図２１】図２１は、実施の形態２にかかる無線端末のハードウェア構成の一例を示す図である。
【発明を実施するための形態】
【００１２】
以下に図面を参照して、本発明にかかる無線基地局、無線装置、無線制御装置、無線通信システム、通信方法および無線端末の実施の形態を詳細に説明する。
【００１３】
（実施の形態１）
（実施の形態１にかかる無線基地局）
図１は、実施の形態１にかかる無線基地局の一例を示す図である。図１に示すように、実施の形態１にかかる無線基地局１００は、無線装置１１０と、無線制御装置１２０と、を含む。また、無線基地局１００は、複数の無線装置１１０を含んでいてもよい。また、無線基地局１００は、無線端末と通信を行う。無線端末との間で無線通信には、たとえば、無線基地局１００から無線端末への下り信号の送信と、無線端末から無線基地局１００への上り信号の送信と、の少なくともいずれかが含まれる。
【００１４】
無線装置１１０と無線制御装置１２０との間は伝送路１０１により接続されている。伝送路１０１は、たとえば無線装置１１０と無線制御装置１２０とを接続する有線の伝送路である。たとえば、伝送路１０１において双方向の信号伝送が行われる場合は、双方向の信号伝送は、たとえば互いに異なる波長を用いたＷＤＭ（Ｗａｖｅｌｅｎｇｔｈ  Ｄｉｖｉｓｉｏｎ  Ｍｕｌｔｉｐｌｅｘｉｎｇ：波長分割多重）により行われる。なお、ＷＤＭ以外の方法を用いてもよい。
【００１５】
伝送路１０１による信号の伝送には、電気信号の伝送や光信号の伝送を用いることができる。たとえば、伝送路１０１による信号の伝送には、ＣＰＲＩ（Ｃｏｍｍｏｎ  Ｐｕｂｌｉｃ  Ｒａｄｉｏ  Ｉｎｔｅｒｆａｃｅ）やＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）を用いることができる。ＣＰＲＩは、一例としてはＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の８０３に規定されている。ただし、伝送路１０１による信号の伝送には、これらに限らず各種の伝送方法を用いることができる。
【００１６】
無線装置１１０は、アンテナ１１５を用いて無線端末との間で無線による信号の送受信を行う。一例としては、無線装置１１０は、５Ｇにおいて検討されているＤＵに適用することができる。たとえば、無線装置１１０は、第１処理部１１１と、ＩＦ処理部１１２と、通知部１１３と、アンテナ１１５と、を備える。なお、第１処理部を第１信号処理部と称してもよい。また、無線装置１１０は、通知部１２４を備えていてもよい。
【００１７】
第１処理部１１１は、無線基地局１００が無線端末との間で伝送する信号に対する無線基地局１００による各処理（以下、基地局信号処理と称する。）のうち、無線信号処理を含む第１信号処理を行う。無線信号処理は、たとえばアンテナ１１５を用いた無線による信号の送受信、信号の増幅処理やフィルタを用いた不要信号の除去などである。信号の送受信は、信号の送信および信号の受信の少なくともいずれかである。
【００１８】
たとえば、第１処理部１１１は、無線端末から無線送信された信号に対して第１信号処理に含まれる受信処理を行い、第１信号処理に含まれる受信処理を行った信号をＩＦ処理部１１２へ出力する。第１信号処理に含まれる受信処理には、アンテナ１１５による信号の受信が含まれる。また、第１処理部１１１は、ＩＦ処理部１１２から出力された信号に対して第１信号処理に含まれる送信処理を行う。第１信号処理に含まれる送信処理には、アンテナ１１５による無線端末への信号の無線送信が含まれる。
【００１９】
ＩＦ処理部１１２は、伝送路１０１を介して無線制御装置１２０と通信を行うインタフェース（ＩＦ）処理部である。たとえば、ＩＦ処理部１１２は、第１処理部１１１から出力された信号を、伝送路１０１を介して無線制御装置１２０へ送信する。また、ＩＦ処理部１１２は、無線制御装置１２０から伝送路１０１を介して送信された信号を受信し、受信した信号を第１処理部１１１へ出力する。
【００２０】
また、ＩＦ処理部１１２は、通知部１１３から出力された構成情報を、伝送路１０１を介して無線制御装置１２０へ送信する。また、ＩＦ処理部１１２は、構成情報の送信を要求する構成情報要求信号を無線制御装置１２０から受信した場合に、受信した構成情報要求信号を通知部１１３へ出力してもよい。
【００２１】
通知部１１３は、基地局信号処理のうちの第１処理部１１１が行う第１信号処理に含まれる処理（基地局信号処理の第１信号処理への配分）、機能または機能分離に応じた構成情報をＩＦ処理部１１２へ出力する。これにより、構成情報を伝送路１０１により無線制御装置１２０へ送信することができる。構成情報については後述する。
【００２２】
たとえば、通知部１１３は、無線制御装置１２０と無線装置１１０とが接続された場合に構成情報をＩＦ処理部１１２へ出力する。また、通知部１１３は、ＩＦ処理部１１２から構成情報要求信号が出力された場合に構成情報をＩＦ処理部１１２へ出力してもよい。また、通知部１１３は、無線制御装置１２０と無線装置１１０とが接続された状態で、無線装置１１０の管理者から構成情報の出力の指示を受け付けた場合に構成情報をＩＦ処理部１１２へ出力してもよい。
【００２３】
また、たとえば、無線装置１１０のメモリ（たとえば不揮発メモリ）には、第１処理部１１１の第１信号処理に関する構成情報が記憶されている。この場合に、通知部１１３は、無線制御装置１２０のメモリに記憶された構成情報を読み出し、読み出した構成情報をＩＦ処理部１１２へ出力する。
【００２４】
または、無線装置１１０のメモリ（たとえば不揮発メモリ）には、第１処理部１１１の第１信号処理に応じた情報であって、構成情報を生成するための情報が記憶されていてもよい。この場合に、通知部１１３は、無線装置１１０のメモリに記憶された情報を読み出し、読み出した情報に基づいて構成情報を生成する。そして、通知部１１３は、生成した構成情報をＩＦ処理部１１２へ出力する。または、通知部１１３は、第１処理部１１１の第１信号処理に関する構成情報を第１処理部１１１から取得してもよい。
【００２５】
無線制御装置１２０は、無線装置１１０と無線装置１１０の上位装置との間に設けられ、無線装置１１０による無線信号処理を制御する。無線装置１１０の上位装置は、たとえば無線装置１１０が設けられた移動体通信網（無線通信システム）のコアネットワークにおける通信装置である。また、上位装置は、ネットワークにおける基地局の上位に位置する装置であってもよい。すなわち、基地局の上位装置であってもよい。このような上位装置としては、たとえばＳＧＷ（Ｓｅｒｖｉｎｇ  Ｇａｔｅｗａｙ）やＭＭＥ（Ｍｏｂｉｌｉｔｙ  Ｍａｎａｇｅｍｅｎｔ  Ｅｎｔｉｔｙ：移動性管理エンティティ）などがある。なお、上記のＳＧＷやＭＭＥは３ＧＰＰにおいて検討された第４世代移動通信システムであるＬＴＥシステムにおける装置である。以下、ＬＴＥシステムを例として説明するが、断りのない限り、他の無線通信システムにおいても適用可能である。
【００２６】
一例としては、無線制御装置１２０は、３ＧＰＰにおいて検討されている５ＧのＣＵに適用することができる。たとえば、無線制御装置１２０は、ＩＦ処理部１２１と、第２処理部１２２と、制御部１２３と、を備える。なお、第２処理部を第２信号処理部と称してもよい。
【００２７】
ＩＦ処理部１２１は、無線装置１１０から伝送路１０１を介して送信された信号を受信し、受信した信号を第２処理部１２２へ出力するインタフェース処理部である。また、ＩＦ処理部１２１は、第２処理部１２２から出力された信号を、伝送路１０１を介して無線装置１１０へ送信する。また、ＩＦ処理部１２１は、無線装置１１０から伝送路１０１を介して送信された信号に含まれる構成情報を制御部１２３へ出力する。
【００２８】
第２処理部１２２は、基地局信号処理のうちの、無線装置１１０の第１信号処理と異なる第２信号処理を行う。第２信号処理には、たとえば、無線基地局１００が無線端末から受信した信号を無線基地局１００の上位装置へ送信する処理と、無線基地局１００の上位装置から送信された無線端末への信号を受信する処理と、が含まれる。
【００２９】
たとえば、第２処理部１２２は、ＩＦ処理部１２１から出力された信号に対して第２信号処理に含まれる受信処理を行い、受信処理を行った信号を出力する。第２処理部１２２から出力された信号は、たとえば無線基地局１００の上位装置へ送信される。また、第２処理部１２２は、たとえば無線基地局１００の上位装置から無線制御装置１２０へ入力された信号に対して第２信号処理に含まれる送信処理を行い、送信処理を行った信号をＩＦ処理部１２１へ出力する。
【００３０】
制御部１２３は、ＩＦ処理部１２１から出力された構成情報に基づいて、第２処理部１２２の第２信号処理に含まれる処理を設定する。一例としては、制御部１２３は、構成情報に基づいて基地局信号処理のうちの無線装置１１０の第１信号処理に含まれる処理を特定し、基地局信号処理から特定した処理を除いた処理を第２処理部１２２の第２信号処理に設定する。
【００３１】
基地局信号処理の第１信号処理および第２信号処理への分配について説明する。無線基地局１００における基地局信号処理は、無線装置１１０の第１処理部１１１の第１信号処理と、無線制御装置１２０の第２処理部１２２による第２信号処理と、に分割して行われる。たとえば、移動体通信網には複数の無線基地局１００が設けられ、複数の無線基地局１００の中には、基地局信号処理の第１信号処理と第２信号処理への配分（または分割、以下、基地局信号処理の分離ポイントと称する。）が異なる無線基地局１００が混在している。そして、基地局信号処理の分離ポイントが異なると、第１信号処理および第２信号処理に含まれる処理（たとえば終端点）や、伝送路１０１において伝送される信号のデータ種別が異なる。
【００３２】
本実施の形態においては、基地局信号処理の分離ポイントが無線装置１１０によって異なるとする。すなわち、第１信号処理に含まれる処理が無線装置１１０によって異なる。この場合に、無線制御装置１２０は、自装置に接続された無線装置１１０に対応する基地局信号処理の分離ポイントに応じて、自装置が実行する第２信号処理に含まれる処理（第２信号処理におけるプロトコルの終端点）を設定することを要する。また、無線制御装置１２０は、自装置に接続された無線装置１１０に対応する基地局信号処理の分離ポイントに応じて、伝送路１０１を介した無線装置１１０との間の信号の伝送方法を設定することを要する。
【００３３】
これに対して、無線装置１１０は、上述したように第１信号処理に関する構成情報を無線制御装置１２０へ送信する。これにより、無線制御装置１２０は、無線装置１１０から受信した構成情報に基づいて、自装置の第２信号処理に含まれる処理と、無線装置１１０との間の信号の伝送方法と、を設定することが可能になる。このため、たとえば、無線基地局１００を適用する移動体通信網において、構成（基地局信号処理の分離ポイント、機能分離（Ｆｕｎｃｔｉｏｎ  Ｓｐｉｌｔ））が異なる無線装置１１０を混在させることが可能になる。
【００３４】
構成情報は、たとえば、第１処理部１１１の第１信号処理および第２処理部１２２の第２信号処理への基地局信号処理の配分を特定可能な情報である。または、構成情報は、第１処理部１１１の第１信号処理と第２処理部１２２の第２信号処理への基地局信号処理の配分に応じた、無線装置１１０と無線制御装置１２０との間において伝送路１０１により信号を伝送するための伝送方法を特定可能な情報でもよい。
【００３５】
一例としては、構成情報は、無線装置１１０が対応する基地局信号処理の分離ポイントを直接的または間接的に示す情報または分離ポイントに関する情報（たとえば後述の分離ポイントやＤＵカテゴリ）とすることができる。または、構成情報は、無線装置１１０が対応する基地局信号処理の分離ポイントに応じた、第１信号処理に含まれる処理を示す情報または第２信号処理に含まれる処理を示す情報または処理に関する情報としてもよい。または、構成情報は、伝送路１０１により伝送される信号のデータ種別、またはそのデータ種別の信号の伝送方法（たとえばプロトコル）を示す情報または伝送方法に関する情報としてもよい。
【００３６】
また、通知部１２４は、基地局信号処理のうちの無線制御装置１２０の第２信号処理に関する構成情報を伝送路により無線装置１１０へ通知する。ただし、無線制御装置１２０は通知部１２４を省いた構成としてもよい。
【００３７】
（実施の形態１にかかる基地局信号処理の各分離例）
図２は、実施の形態１にかかる基地局信号処理の分離例１を示す図である。図２において、図１に示した部分と同様の部分については同一の符号を付して説明を省略する。なお、図２においては通知部１２４の図示を省略している。図２に示す例では、無線基地局１００が、物理層処理部２０１（Ｐｈｙ）と、ＤＡＣ／ＡＤＣ２０２と、ＢＢ処理部２０３（ＢＢ）と、ＭＡＣ処理部２０４（ＭＡＣ）と、ＲＬＣ処理部２０５（ＲＬＣ）と、ＰＤＣＰ処理部２０６（ＰＤＣＰ）と、を備える。これらの各処理部は、上述の基地局信号処理に含まれる各処理を行う処理部である。上述した基地局信号処理の分離ポイントは、たとえばこれらの各処理部を第１処理部１１１および第２処理部１２２へどのように配分するかにより決まる。また、上記のＭＡＣ、ＲＬＣおよびＰＤＣＰは、従来のＷ−ＣＤＭＡやＬＴＥシステムにおける基地局装置の構成（機能）を示すものであり、ここではこれらを用いて説明する。Ｗ−ＣＤＭＡはＷｉｄｅｂａｎｄ−Ｃｏｄｅ  Ｄｉｖｉｓｉｏｎ  Ｍｕｌｔｉｐｌｅ  Ａｃｃｅｓｓの略である。Ｗ−ＣＤＭＡは登録商標である。なお、上記機能と第５世代移動通信（通称５Ｇ）の機能とは名称や機能が異なる可能性がある。ただし、本実施の形態は、これらに限定されるものではない。
【００３８】
ＤＡＣはＤｉｇｉｔａｌ／Ａｎａｌｏｇ  Ｃｏｎｖｅｒｔｅｒ（ディジタル／アナログ変換器）の略である。ＡＤＣはＡｎａｌｏｇ／Ｄｉｇｉｔａｌ  Ｃｏｎｖｅｒｔｅｒ（アナログ／ディジタル変換器）の略である。ＢＢはＢａｓｅ  Ｂａｎｄ（ベースバンド）の略である。ＭＡＣはＭｅｄｉａ  Ａｃｃｅｓｓ  Ｃｏｎｔｒｏｌ（メディアアクセス制御）の略である。ＲＬＣはＲａｄｉｏ  Ｌｉｎｋ  Ｃｏｎｔｒｏｌ（無線リンク制御）の略である。ＰＤＣＰはＰａｃｋｅｔ  Ｄａｔａ  Ｃｏｎｖｅｒｇｅｎｃｅ  Ｐｒｏｔｏｃｏｌの略である。
【００３９】
図２に示す例では、第１処理部１１１に物理層処理部２０１が含まれており、第２処理部１２２にＤＡＣ／ＡＤＣ２０２、ＢＢ処理部２０３、ＭＡＣ処理部２０４、ＲＬＣ処理部２０５およびＰＤＣＰ処理部２０６が含まれている。すなわち、基地局信号処理の分離ポイントが物理層処理部２０１とＤＡＣ／ＡＤＣ２０２との間になっている。
【００４０】
物理層処理部２０１は、アンテナ１１５を用いて受信した信号に対して物理層の受信処理を行い、受信処理を行った信号をＩＦ処理部１１２へ出力する。また、物理層処理部２０１は、ＩＦ処理部１１２から出力された信号に対して物理層の送信処理を行い、送信処理を行った信号をアンテナ１１５により無線送信する。
【００４１】
ＩＦ処理部１１２は、物理層処理部２０１から出力された信号を伝送路１０１により無線制御装置１２０へ送信する。また、ＩＦ処理部１１２は、無線制御装置１２０から伝送路１０１により送信された信号を物理層処理部２０１へ出力する。
【００４２】
ＩＦ処理部１２１は、無線装置１１０から伝送路１０１により送信された信号をＤＡＣ／ＡＤＣ２０２へ出力する。また、ＩＦ処理部１２１は、ＤＡＣ／ＡＤＣ２０２から出力された信号を伝送路１０１により無線装置１１０へ送信する。
【００４３】
ＤＡＣ／ＡＤＣ２０２は、ＩＦ処理部１２１から出力された信号をアナログ信号からディジタル信号に変換し、変換した信号をＢＢ処理部２０３へ出力する。また、ＤＡＣ／ＡＤＣ２０２は、ＢＢ処理部２０３から出力された信号をディジタル信号からアナログ信号に変換し、変換した信号をＩＦ処理部１２１へ出力する。なおＤＡＣ／ＡＤＣ２０２はＢＢ処理部２０３に設けられていてもよい。
【００４４】
ＢＢ処理部２０３は、ＤＡＣ／ＡＤＣ２０２から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＤＡＣ／ＡＤＣ２０２へ出力する。なお、ＢＢ処理部２０３の受信処理は、たとえば、復調、復号、デスクランブル、ＦＦＴおよびＩＦＦＴの少なくとも１つを含む。ＦＦＴはＦａｓｔ  Ｆｏｕｒｉｅｒ  Ｔｒａｎｓｆｏｒｍ（高速フーリエ変換）の略である。ＩＦＦＴはＩｎｖｅｒｓｅ  Ｆａｓｔ  Ｆｏｕｒｉｅｒ  Ｔｒａｎｓｆｏｒｍ（逆高速フーリエ変換）の略である。また、ＢＢ処理部２０３の送信処理は、たとえば、ＦＦＴ、ＩＦＦＴ、符号化、変調、スクランブルの少なくとも１つを含む。なお、詳細については、たとえばＴＳ３６．２１１に記載されており、当業者であれば周知の技術である。なおＴＳ３６．２１１に記載された処理の一部を含むなど記載に限定されるものではない。
【００４５】
ＭＡＣ処理部２０４は、ＢＢ処理部２０３から出力された信号に対してＭＡＣの受信処理を行い、受信処理を行った信号をＲＬＣ処理部２０５へ出力する。また、ＭＡＣ処理部２０４は、ＲＬＣ処理部２０５から出力された信号に対してＭＡＣの送信処理を行い、送信処理を行った信号をＢＢ処理部２０３へ出力する。なお、詳細な処理については、たとえばＴＳ３６．３２０に記載されており、当業者であれば周知の技術である。たとえば、ＴＳ３６．３２０に記載された処理の一部を含むなど記載に限定されるものではない。
【００４６】
ＲＬＣ処理部２０５は、ＭＡＣ処理部２０４から出力された信号に対してＲＬＣの受信処理を行い、受信処理を行った信号をＰＤＣＰ処理部２０６へ出力する。また、ＲＬＣ処理部２０５は、ＰＤＣＰ処理部２０６から出力された信号に対してＲＬＣの送信処理を行い、送信処理を行った信号をＭＡＣ処理部２０４へ出力する。なお、詳細な処理については、たとえばＴＳ３６．３２１に記載されており、当業者であれば周知の技術である。たとえば、ＴＳ３６．３２１に記載された処理の一部を含むなど記載に限定されるものではない。
【００４７】
ＰＤＣＰ処理部２０６は、ＲＬＣ処理部２０５から出力された信号に対してＰＤＣＰの受信処理を行い、受信処理を行った信号を出力する。ＰＤＣＰ処理部２０６から出力された信号は、たとえば無線基地局１００の上位装置へ送信される。また、ＰＤＣＰ処理部２０６は、たとえば無線基地局１００の上位装置から送信され入力された信号に対してＰＤＣＰの送信処理を行い、送信処理を行った信号をＲＬＣ処理部２０５へ出力する。なお、詳細な処理については、たとえばＴＳ３６．３２２に記載されており、当業者であれば周知の技術である。たとえば、ＴＳ３６．３２１に記載された処理の一部を含むなど記載に限定されるものではない。
【００４８】
図２に示す例においては、物理層処理部２０１とＤＡＣ／ＡＤＣ２０２との間が基地局信号処理の分離ポイントになっていることにより、伝送路１０１により伝送される信号は、たとえばＤＡＣ出力またはＡＤＣ入力であり、アナログのＩＱデータとなる。
【００４９】
ただし、ＩＦ処理部１１２，１２１による伝送路１０１を介した伝送がディジタル伝送である場合は、物理層処理部２０１とＤＡＣ／ＡＤＣ２０２との間のアナログのＩＱデータは、ＤＡＣ入力またはＡＤＣ出力であり、ディジタル化されて伝送路１０１により伝送される。
【００５０】
すなわち、ＩＦ処理部１１２は、物理層処理部２０１から出力されたアナログのＩＱデータをディジタル信号に変換して伝送路１０１により無線制御装置１２０へ送信する。この際、プロトコルによって定められたフォーマットに上記のディジタル信号をマッピングして伝送する。また、ＩＦ処理部１１２は、無線制御装置１２０から伝送路１０１により送信されたディジタル信号をアナログのＩＱデータに変換して物理層処理部２０１へ出力する。この際、上記のフォーマットにマッピングされ送信されたディジタル信号をデマッピングして受信する。
【００５１】
また、ＩＦ処理部１２１は、無線装置１１０から伝送路１０１により送信されたディジタルの信号をアナログのＩＱデータに変換してＤＡＣ／ＡＤＣ２０２へ出力する。この際、上記のフォーマットにマッピングされ送信されたディジタル信号をデマッピングして受信する。また、ＩＦ処理部１２１は、ＤＡＣ／ＡＤＣ２０２から出力されたアナログのＩＱデータをディジタル信号に変換して伝送路１０１により無線装置１１０へ送信する。この際、プロトコルによって定められたフォーマットに上記のディジタル信号をマッピングして伝送する。
【００５２】
図３は、実施の形態１にかかる基地局信号処理の分離例２を示す図である。図３において、図２に示した部分と同様の部分については同一の符号を付して説明を省略する。図３に示す例では、第１処理部１１１に物理層処理部２０１およびＤＡＣ／ＡＤＣ２０２が含まれており、第２処理部１２２にＢＢ処理部２０３、ＭＡＣ処理部２０４、ＲＬＣ処理部２０５およびＰＤＣＰ処理部２０６が含まれている。すなわち、基地局信号処理の分離ポイントがＤＡＣ／ＡＤＣ２０２とＢＢ処理部２０３との間になっている。
【００５３】
物理層処理部２０１は、アンテナ１１５を用いて受信した信号に対して物理層の受信処理を行い、受信処理を行った信号をＤＡＣ／ＡＤＣ２０２へ出力する。また、物理層処理部２０１は、ＤＡＣ／ＡＤＣ２０２から出力された信号に対して物理層の送信処理を行い、送信処理を行った信号をアンテナ１１５により無線送信する。
【００５４】
ＤＡＣ／ＡＤＣ２０２は、物理層処理部２０１から出力された信号をアナログ信号からディジタル信号に変換し、変換した信号をＩＦ処理部１１２へ出力する。また、ＤＡＣ／ＡＤＣ２０２は、ＩＦ処理部１１２から出力された信号をディジタル信号からアナログ信号に変換し、変換した信号を物理層処理部２０１へ出力する。
【００５５】
ＩＦ処理部１１２は、ＤＡＣ／ＡＤＣ２０２から出力された信号を伝送路１０１により無線制御装置１２０へ送信する。また、ＩＦ処理部１１２は、無線制御装置１２０から伝送路１０１により送信された信号をＤＡＣ／ＡＤＣ２０２へ出力する。
【００５６】
ＩＦ処理部１２１は、無線装置１１０から伝送路１０１により送信された信号をＢＢ処理部２０３へ出力する。また、ＩＦ処理部１２１は、ＢＢ処理部２０３から出力された信号を伝送路１０１により無線装置１１０へ送信する。
【００５７】
ＢＢ処理部２０３は、ＩＦ処理部１２１から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＩＦ処理部１２１へ出力する。
【００５８】
図３に示す例においては、ＤＡＣ／ＡＤＣ２０２とＢＢ処理部２０３との間が基地局信号処理の分離ポイントになっていることにより、伝送路１０１により伝送される信号はたとえばディジタル信号のＩＱデータとなる。
【００５９】
図４は、実施の形態１にかかる基地局信号処理の分離例３を示す図である。図４において、図３に示した部分と同様の部分については同一の符号を付して説明を省略する。図４に示す例では、第１処理部１１１に物理層処理部２０１、ＤＡＣ／ＡＤＣ２０２およびＢＢ処理部２０３が含まれており、第２処理部１２２にＭＡＣ処理部２０４、ＲＬＣ処理部２０５およびＰＤＣＰ処理部２０６が含まれている。すなわち、基地局信号処理の分離ポイントがＢＢ処理部２０３とＭＡＣ処理部２０４との間になっている。
【００６０】
ＤＡＣ／ＡＤＣ２０２は、物理層処理部２０１から出力された信号をアナログからディジタル信号に変換し、変換した信号をＢＢ処理部２０３へ出力する。また、ＤＡＣ／ＡＤＣ２０２は、ＢＢ処理部２０３から出力された信号をディジタル信号からアナログ信号に変換し、変換した信号を物理層処理部２０１へ出力する。
【００６１】
ＢＢ処理部２０３は、ＤＡＣ／ＡＤＣ２０２から出力された信号に対してベースバンドの受信処理を行い、受信処理を行った信号をＩＦ処理部１１２へ出力する。また、ＢＢ処理部２０３は、ＩＦ処理部１１２から出力された信号に対してベースバンドの送信処理を行い、送信処理を行った信号をＤＡＣ／ＡＤＣ２０２へ出力する。
【００６２】
ＩＦ処理部１１２は、ＢＢ処理部２０３から出力された信号を伝送路１０１により無線制御装置１２０へ送信する。また、ＩＦ処理部１１２は、無線制御装置１２０から伝送路１０１により送信された信号をＢＢ処理部２０３へ出力する。
【００６３】
ＩＦ処理部１２１は、無線装置１１０から伝送路１０１により送信された信号をＭＡＣ処理部２０４へ出力する。また、ＩＦ処理部１２１は、ＭＡＣ処理部２０４から出力された信号を伝送路１０１により無線装置１１０へ送信する。
【００６４】
図４に示す例においては、ＢＢ処理部２０３とＭＡＣ処理部２０４との間が基地局信号処理の分離ポイントになっていることにより、伝送路１０１により伝送される信号はたとえばＭＡＣ  ＰＤＵとなる。ＰＤＵはＰｒｏｔｏｃｏｌ  Ｄａｔａ  Ｕｎｉｔの略である。ＭＡＣ  ＰＤＵは、たとえばビット幅が１ビットのディジタル信号である。
【００６５】
図５は、実施の形態１にかかる基地局信号処理の分離例４を示す図である。図５において、図４に示した部分と同様の部分については同一の符号を付して説明を省略する。図５に示す例では、第１処理部１１１に物理層処理部２０１、ＤＡＣ／ＡＤＣ２０２、ＢＢ処理部２０３およびＭＡＣ処理部２０４が含まれており、第２処理部１２２にＲＬＣ処理部２０５およびＰＤＣＰ処理部２０６が含まれている。すなわち、基地局信号処理の分離ポイントがＭＡＣ処理部２０４とＲＬＣ処理部２０５との間になっている。
【００６６】
ＢＢ処理部２０３は、ＤＡＣ／ＡＤＣ２０２から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＤＡＣ／ＡＤＣ２０２へ出力する。
【００６７】
ＭＡＣ処理部２０４は、ＢＢ処理部２０３から出力された信号に対してＭＡＣの受信処理を行い、受信処理を行った信号をＩＦ処理部１１２へ出力する。また、ＭＡＣ処理部２０４は、ＩＦ処理部１１２から出力された信号に対してＭＡＣの送信処理を行い、送信処理を行った信号をＢＢ処理部２０３へ出力する。
【００６８】
ＩＦ処理部１１２は、ＭＡＣ処理部２０４から出力された信号を伝送路１０１により無線制御装置１２０へ送信する。また、ＩＦ処理部１１２は、無線制御装置１２０から伝送路１０１により送信された信号をＭＡＣ処理部２０４へ出力する。
【００６９】
ＩＦ処理部１２１は、無線装置１１０から伝送路１０１により送信された信号をＲＬＣ処理部２０５へ出力する。また、ＩＦ処理部１２１は、ＲＬＣ処理部２０５から出力された信号を伝送路１０１により無線装置１１０へ送信する。
【００７０】
図５に示す例においては、ＭＡＣ処理部２０４とＲＬＣ処理部２０５との間が基地局信号処理の分離ポイントになっていることにより、伝送路１０１により伝送される信号はたとえばＲＬＣ  ＰＤＵとなる。
【００７１】
図６は、実施の形態１にかかる基地局信号処理の分離例５を示す図である。図６において、図５に示した部分と同様の部分については同一の符号を付して説明を省略する。図６に示す例では、第１処理部１１１に物理層処理部２０１、ＤＡＣ／ＡＤＣ２０２、ＢＢ処理部２０３、ＭＡＣ処理部２０４およびＲＬＣ処理部２０５が含まれており、第２処理部１２２にＰＤＣＰ処理部２０６が含まれている。すなわち、基地局信号処理の分離ポイントがＲＬＣ処理部２０５とＰＤＣＰ処理部２０６との間になっている。
【００７２】
ＭＡＣ処理部２０４は、ＢＢ処理部２０３から出力された信号に対してＭＡＣの受信処理を行い、受信処理を行った信号をＲＬＣ処理部２０５へ出力する。また、ＭＡＣ処理部２０４は、ＲＬＣ処理部２０５から出力された信号に対してＭＡＣの送信処理を行い、送信処理を行った信号をＢＢ処理部２０３へ出力する。
【００７３】
ＲＬＣ処理部２０５は、ＭＡＣ処理部２０４から出力された信号に対してＲＬＣの受信処理を行い、受信処理を行った信号をＩＦ処理部１１２へ出力する。ＲＬＣ処理部２０５は、ＩＦ処理部１１２から出力された信号に対してＲＬＣの送信処理を行い、送信処理を行った信号をＭＡＣ処理部２０４へ出力する。
【００７４】
ＩＦ処理部１１２は、ＲＬＣ処理部２０５から出力された信号を伝送路１０１により無線制御装置１２０へ送信する。また、ＩＦ処理部１１２は、無線制御装置１２０から伝送路１０１により送信された信号をＲＬＣ処理部２０５へ出力する。
【００７５】
ＩＦ処理部１２１は、無線装置１１０から伝送路１０１により送信された信号をＰＤＣＰ処理部２０６へ出力する。また、ＩＦ処理部１２１は、ＰＤＣＰ処理部２０６から出力された信号を伝送路１０１により無線装置１１０へ送信する。
【００７６】
ＰＤＣＰ処理部２０６は、ＩＦ処理部１２１から出力された信号に対してＰＤＣＰの受信処理を行い、受信処理を行った信号を無線基地局１００の上位装置へ送信する。また、ＰＤＣＰ処理部２０６は、無線基地局１００の上位装置から出力された信号に対してＰＤＣＰの送信処理を行い、送信処理を行った信号をＩＦ処理部１２１へ出力する。
【００７７】
図６に示す例においては、ＲＬＣ処理部２０５とＰＤＣＰ処理部２０６との間が基地局信号処理の分離ポイントになっていることにより、伝送路１０１により伝送される信号はたとえばＰＤＣＰ  ＰＤＵとなる。
【００７８】
無線基地局１００が適用される移動体通信網には、一例としては図２〜図６に示した基地局信号処理の分離ポイントが異なる無線基地局１００が混在している。ただし、無線基地局１００が適用される移動体通信網には、図２〜図６に示した無線基地局１００のうちの一部の複数の無線基地局１００が混在していてもよい。また、無線基地局１００が適用される移動体通信網には、図２〜図６に示した例とは基地局信号処理の分離ポイントが異なる無線基地局１００が混在していてもよい。
【００７９】
たとえば、ＭＡＣの処理をＰＤＵとＳＤＵの変換部において２つの処理に分割可能である場合は、ＭＡＣ処理部２０４を２つのＭＡＣ処理部に分割し、分割した２つのＭＡＣ処理部の間を基地局信号処理の分離ポイントとしてもよい。この場合は、伝送路１０１により伝送される信号は、一例としてはＭＡＣ  ＳＤＵになる。ＳＤＵはＳｅｒｖｉｃｅ  Ｄａｔａ  Ｕｎｉｔの略である。なお、分割した２つのＭＡＣのうち、ＲＬＣ側を上位ＭＡＣ（Ｈｉｇｈ  ＭＡＣ）とし、ＢＢ側を下位ＭＡＣ（Ｌｏｗ  ＭＡＣ）と呼んでもよい。
【００８０】
また、ＲＬＣの処理を、ＰＤＵとＳＤＵの変換部において２つの処理に分割可能である場合は、ＲＬＣ処理部２０５を２つのＲＬＣ処理部に分割し、分割した２つのＲＬＣ処理部の間を基地局信号処理の分離ポイントとしてもよい。この場合は、伝送路１０１により伝送される信号は、一例としてはＲＬＣ  ＳＤＵになる。なお、分割した２つのＲＬＣのうち、ＰＤＣＰ側を上位ＲＬＣ（Ｈｉｇｈ  ＲＬＣ）とし、ＭＡＣ側を下位ＲＬＣ（Ｌｏｗ  ＲＬＣ）と呼んでもよい。
【００８１】
また、ＰＤＣＰの処理を、ＰＤＵとＳＤＵの変換部において２つの処理に分割可能である場合は、ＰＤＣＰ処理部２０６を２つのＰＤＣＰ処理部に分割し、分割した２つのＰＤＣＰ処理部２０６の間を基地局信号処理の分離ポイントとしてもよい。この場合は、伝送路１０１により伝送される信号は、一例としてはＰＤＣＰ  ＳＤＵになる。なお、分割した２つのＰＤＣＰのうち、ＭＭＥまたはＳＧＷ側を上位ＰＤＣＰ（Ｈｉｇｈ  ＰＤＣＰ）とし、ＲＬＣ側を下位ＰＤＣＰ（Ｌｏｗ  ＰＤＣＰ）と呼んでもよい。
【００８２】
また、アンテナ１１５と物理層処理部２０１の間に、ＲＦ（Ｒａｄｉｏ  Ｆｒｅｑｕｅｎｃｙ：高周波）処理部がある場合は、ＲＦ処理部と物理層処理部２０１との間を基地局信号処理の分離ポイントとしてもよい。
【００８３】
また、無線基地局１００の基地局信号処理は、図２〜図６に示した例に限らず、無線基地局１００の通信方式に応じて変更することができる。たとえば、４Ｇの移動体通信網における基地局信号処理にはたとえば図２〜図６に示した例のように物理層、ＢＢ、ＭＡＣ、ＲＬＣ、ＰＤＣＰの処理が含まれているが、５Ｇの移動体通信網における基地局信号処理はこれらの処理と異なる可能性がある。たとえば、無線基地局１００の基地局信号処理は、無線基地局１００が伝送する信号に対して無線基地局１００が直列的に行う複数の処理であればよい。具体的には、たとえばＲＬＣの機能をＭＡＣおよび／またはＰＤＣＰと統合することでＲＬＣを削除するなど、一部の機能を削除することも可能である。また、新たな機能を追加することも可能である。
【００８４】
（実施の形態１にかかる無線基地局において異なる無線装置を混在させた構成）
図７は、実施の形態１にかかる無線基地局において異なる無線装置を混在させた構成の一例を示す図である。図７において、図２〜図８に示した部分と同様の部分については同一の符号を付して説明を省略する。図７に示すように、１個の無線基地局１００において、無線装置１１０として、第１信号処理に含まれる処理が異なる複数の無線装置１１０を混在させてもよい。すなわち、図７に示す例では、無線制御装置１２０に対して、無線装置１１０として無線装置１１０ａおよび無線装置１１０ｂがカスケード接続されている。
【００８５】
たとえば、無線装置１１０ａは、４ＧのＲＲＨ（Ｒｅｍｏｔｅ  Ｒａｄｉｏ  Ｈｅａｄ）に対応する無線装置１１０（第１無線装置）である。無線装置１１０ａは、第１処理部１１１ａと、ＩＦ処理部１１２ａと、通知部１１３ａと、アンテナ１１５ａと、を備える。第１処理部１１１ａ、ＩＦ処理部１１２ａ、通知部１１３ａおよびアンテナ１１５ａは、それぞれ無線装置１１０の第１処理部１１１、ＩＦ処理部１１２、通知部１１３およびアンテナ１１５と同様の構成である。
【００８６】
ただし、第１処理部１１１ａは、たとえば図２に示した第１処理部１１１と同様の構成である。すなわち、第１処理部１１１ａには第１信号処理の処理部として物理層処理部７１１（Ｐｈｙ）が含まれる。物理層処理部７１１は、図２に示した物理層処理部２０１と同様の構成である。
【００８７】
また、無線装置１１０ａのＩＦ処理部１１２ａは、後述の無線装置１１０ｂと無線制御装置１２０との間の信号の伝送を中継する。また、無線装置１１０ａの通知部１１３ａは、第１処理部１１１ａの第１信号処理に関する構成情報を、ＩＦ処理部１１２ａを介して無線制御装置１２０へ送信する。
【００８８】
無線装置１１０ｂは、５ＧのＲＥ（Ｒａｄｉｏ  Ｅｑｕｉｐｍｅｎｔ）に対応する無線装置１１０（第２無線装置）である。無線装置１１０ｂは、第１処理部１１１ｂと、ＩＦ処理部１１２ｂと、通知部１１３ｂと、アンテナ１１５ｂと、を備える。第１処理部１１１ｂ、ＩＦ処理部１１２ｂ、通知部１１３ｂおよびアンテナ１１５ｂは、それぞれ無線装置１１０の第１処理部１１１、ＩＦ処理部１１２、通知部１１３およびアンテナ１１５と同様の構成である。
【００８９】
ただし、第１処理部１１１ｂは、たとえば図４に示した第１処理部１１１と同様の構成である。すなわち、第１処理部１１１ｂには、第１信号処理の処理部として物理層処理部７２１（Ｐｈｙ）、ＤＡＣ／ＡＤＣ７２２およびＢＢ処理部７２３（ＢＢ）が含まれる。物理層処理部７２１、ＤＡＣ／ＡＤＣ７２２およびＢＢ処理部７２３は、たとえばそれぞれ図４に示した物理層処理部２０１、ＤＡＣ／ＡＤＣ２０２およびＢＢ処理部２０３と同様の構成である。
【００９０】
また、無線装置１１０ｂのＩＦ処理部１１２ｂは、伝送路７０１を介して無線装置１１０ａのＩＦ処理部１１２ａと接続されることにより、無線装置１１０ａを介して無線制御装置１２０と接続されている。すなわち、無線制御装置１２０と無線装置１１０ｂとの間の信号は、伝送路１０１、ＩＦ処理部１１２ａおよび伝送路７０１を介して伝送される。
【００９１】
また、無線装置１１０ｂの通知部１１３ｂは、第１処理部１１１ｂの第１信号処理に関する構成情報を、ＩＦ処理部１１２ｂを介して送信する。通知部１１３ｂからＩＦ処理部１１２ｂを介して送信された構成情報は、伝送路７０１、ＩＦ処理部１１２ａおよび伝送路１０１を介して無線制御装置１２０へ送信される。
【００９２】
無線制御装置１２０のＩＦ処理部１２１は、無線装置１１０ａ，１１０ｂから送信された各構成情報を制御部１２３へ出力する。制御部１２３は、ＩＦ処理部１２１から出力された無線装置１１０ａからの構成情報に基づいて、無線装置１１０ａと通信を行う第２処理部１２２ａを設定する。また、制御部１２３は、ＩＦ処理部１２１から出力された無線装置１１０ｂからの構成情報に基づいて、無線装置１１０ｂと通信を行う第２処理部１２２ｂを設定する。
【００９３】
第２処理部１２２ａは、たとえば図２に示した第２処理部１２２と同様である。すなわち、第２処理部１２２ａは、ＤＡＣ／ＡＤＣ２０２ａと、ＢＢ処理部２０３ａと、ＭＡＣ処理部２０４ａと、ＲＬＣ処理部２０５ａと、ＰＤＣＰ処理部２０６ａと、を備える。ＤＡＣ／ＡＤＣ２０２ａおよびＢＢ処理部２０３ａは、たとえば図２に示したＤＡＣ／ＡＤＣ２０２およびＢＢ処理部２０３と同様である。また、ＭＡＣ処理部２０４ａ、ＲＬＣ処理部２０５ａおよびＰＤＣＰ処理部２０６ａは、たとえば図２に示したＭＡＣ処理部２０４、ＲＬＣ処理部２０５およびＰＤＣＰ処理部２０６と同様である。したがって、第１処理部１１１ａおよび第２処理部１２２ａにより、図２に示した無線基地局１００と同様の機能が実現される。
【００９４】
第２処理部１２２ｂは、たとえば図４に示した第２処理部１２２と同様である。すなわち、第２処理部１２２ｂは、ＭＡＣ処理部２０４ｂと、ＰＤＣＰ処理部２０６ｂと、を備える。ＭＡＣ処理部２０４ｂ、ＰＤＣＰ処理部２０６ｂは、たとえば図４に示したＭＡＣ処理部２０４およびＰＤＣＰ処理部２０６と同様である。したがって、第１処理部１１１ｂおよび第２処理部１２２ｂにより、図２に示した無線基地局１００と同様の機能が実現される。ただし、図７に示す例では、図４に示したＲＬＣ処理部２０５に相当する処理部は第２処理部１２２ｂに含まれていない。たとえば、３ＧＰＰにおいては、５ＧではこのようにＭＡＣとＰＤＣＰとの間のＲＬＣの処理を省くことも検討されている。
【００９５】
つぎに、無線基地局１００が上位装置から受信して無線端末へ送信する下り信号の伝送について説明する。図７に示す無線制御装置１２０には分配部７３０が設けられている。分配部７３０は、無線基地局１００の上位装置から送信された信号のうちの無線装置１１０ａにより無線送信すべき信号を第２処理部１２２ａへ出力する。また、分配部７３０は、無線基地局１００の上位装置から送信された信号のうちの無線装置１１０ｂにより無線送信すべき信号を第２処理部１２２ｂへ出力する。
【００９６】
第２処理部１２２ａは、分配部７３０から出力された信号に対して第２処理部１２２ａの第２信号処理を行い、第２信号処理を行った信号をＩＦ処理部１２１へ出力する。このとき、第２処理部１２２ａは、ＩＦ処理部１２１へ出力する信号に、無線装置１１０ａを示す宛先と、無線装置１１０ａの第１信号処理に含まれる処理に応じた識別情報と、を付加してもよい。この識別情報は、たとえば、第２処理部１２２ａが出力する信号（たとえばアナログのＩＱデータ）を伝送路１０１により伝送するための伝送方法を特定可能な情報である。
【００９７】
第２処理部１２２ｂは、分配部７３０から出力された信号に対して第２処理部１２２ｂの第２信号処理を行い、第２信号処理を行った信号をＩＦ処理部１２１へ出力する。このとき、第２処理部１２２ｂは、ＩＦ処理部１２１へ出力する信号に、無線装置１１０ｂを示す宛先と、無線装置１１０ｂの第１信号処理に含まれる処理に応じた識別情報と、を付加する。この識別情報は、第２処理部１２２ｂが出力する信号（たとえばＭＡＣ  ＰＤＵ）を伝送路１０１により伝送するための伝送方法を特定可能な情報である。
【００９８】
ＩＦ処理部１２１は、第２処理部１２２ａ，１２２ｂから出力された各信号を、伝送路１０１を介して無線装置１１０ａへ送信する。このとき、ＩＦ処理部１２１は、第２処理部１２２ａからの信号に付加された識別情報に基づいてその信号（たとえばアナログのＩＱデータ）を伝送路１０１により伝送するための伝送方法（たとえばプロトコル）を特定する。そして、ＩＦ処理部１２１は、特定した伝送方法を用いて第２処理部１２２ａからの信号を伝送路１０１により無線装置１１０ａへ送信する。
【００９９】
また、ＩＦ処理部１２１は、第２処理部１２２ｂからの信号に付加された識別情報に基づいてその信号（たとえばＭＡＣ  ＰＤＵ）を伝送路１０１により伝送するための伝送方法（たとえば新たな伝送方法）を特定する。そして、ＩＦ処理部１２１は、特定した伝送方法を用いて第２処理部１２２ｂからの信号を伝送路１０１により無線装置１１０ａへ送信する。
【０１００】
無線装置１１０ａのＩＦ処理部１１２ａは、無線制御装置１２０から伝送路１０１により送信された信号について、その信号に付加された識別情報に基づいてその信号の伝送方法を特定し、特定した伝送方法を用いてその信号を受信する。そして、ＩＦ処理部１１２ａは、受信した信号のうちの宛先が無線装置１１０ａである信号を第１処理部１１１ａへ出力し、受信した信号のうちの宛先が無線装置１１０ｂである信号を伝送路７０１により無線装置１１０ｂへ送信する。第１処理部１１１ａは、ＩＦ処理部１１２ａから出力された信号に対して自装置の第１信号処理を行うことによりその信号を無線送信する。
【０１０１】
無線装置１１０ｂのＩＦ処理部１１２ｂは、無線装置１１０ａから伝送路７０１により送信された信号を受信する。このとき、ＩＦ処理部１１２ｂは、無線装置１１０ａから伝送路７０１により送信された信号に付加された識別情報に基づいて特定した伝送方法を用いてその信号を受信してもよい。そして、ＩＦ処理部１１２ｂは、受信した信号を第１処理部１１１ｂへ出力する。第１処理部１１１ｂは、ＩＦ処理部１１２ｂから出力された信号に対して自装置の第１信号処理を行うことによりその信号を無線送信する。
【０１０２】
つぎに、無線基地局１００が無線端末から受信して上位装置へ送信する上り信号の伝送について説明する。無線装置１１０ｂの第１処理部１１１ｂは、無線により受信した信号に対して自装置の第１信号処理を行い、第１信号処理を行った信号をＩＦ処理部１１２ｂへ出力する。このとき、第１処理部１１１ｂは、ＩＦ処理部１１２ｂへ出力する信号に、無線制御装置１２０の第２処理部１２２ｂを示す宛先と、無線装置１１０ｂの第１信号処理に含まれる処理に応じた識別情報と、を付加する。この識別情報は、第１処理部１１１ｂが出力する信号（たとえばＭＡＣ  ＰＤＵ）を伝送路１０１により伝送するための伝送方法を特定可能な識別情報である。
【０１０３】
ＩＦ処理部１１２ｂは、第１処理部１１１ｂから出力された信号を伝送路７０１により無線装置１１０ａへ送信する。このとき、ＩＦ処理部１１２ｂは、第１処理部１１１ｂから出力された信号に付加された識別情報により特定した伝送方法を用いてその信号を送信してもよい。
【０１０４】
無線装置１１０ａの第１処理部１１１ａは、無線により受信した信号に対して自装置の第１信号処理を行い、第１信号処理を行った信号をＩＦ処理部１１２ａへ出力する。このとき、第１処理部１１１ａは、ＩＦ処理部１１２ａへ出力する信号に、無線制御装置１２０の第２処理部１２２ａを示す宛先と、無線装置１１０ａの第１信号処理に含まれる処理に応じた識別情報と、を付加する。この識別情報は、第１処理部１１１ａが出力する信号（たとえばアナログのＩＱデータ）を伝送路１０１により伝送するための伝送方法を特定可能な識別情報である。
【０１０５】
ＩＦ処理部１１２ａは、無線装置１１０ｂから伝送路７０１により送信された信号を受信する。このとき、ＩＦ処理部１１２ａは、無線装置１１０ｂから伝送路７０１により送信された信号に付加された識別情報に基づいて特定した伝送方法を用いてその信号を受信してもよい。そして、ＩＦ処理部１１２ａは、受信した無線装置１１０ｂからの信号に付加された識別情報に基づいて特定した伝送方法を用いてその信号を伝送路１０１により無線制御装置１２０へ送信する。また、ＩＦ処理部１１２ａは、第１処理部１１１ａから出力された信号に付加された識別情報に基づいて特定した伝送方法を用いてその信号を伝送路１０１により無線制御装置１２０へ送信する。
【０１０６】
無線制御装置１２０のＩＦ処理部１２１は、無線装置１１０ａから伝送路１０１により送信された信号に付加された識別情報に基づいて特定した伝送方法を用いてその信号を受信する。そして、ＩＦ処理部１２１は、受信した信号のうちの第２処理部１２２ａを宛先とする無線装置１１０ａからの信号を第２処理部１２２ａへ出力する。また、ＩＦ処理部１２１は、受信した信号のうちの第２処理部１２２ｂを宛先とする無線装置１１０ｂからの信号を第２処理部１２２ｂへ出力する。
【０１０７】
第２処理部１２２ａは、ＩＦ処理部１２１から出力された信号に対して第２処理部１２２ａの第２信号処理を行い、第２信号処理を行った信号を分配部７３０へ出力する。第２処理部１２２ｂは、ＩＦ処理部１２１から出力された信号に対して第２処理部１２２ｂの第２信号処理を行い、第２信号処理を行った信号を分配部７３０へ出力する。分配部７３０は、第２処理部１２２ａ，１２２ｂから出力された各信号を無線基地局１００の上位装置へ送信する。
【０１０８】
つぎに、識別情報について説明する。識別情報は、たとえば上述した構成情報と同様の情報とすることができる。たとえば、識別情報は、第１処理部１１１の第１信号処理および第２処理部１２２の第２信号処理への基地局信号処理の配分（または機能分け）を特定可能な情報である。または、識別情報は、第１処理部１１１の第１信号処理および第２処理部１２２の第２信号処理への基地局信号処理の配分に応じた、無線装置１１０と無線制御装置１２０との間において伝送路１０１により信号を伝送するための伝送方法を特定可能な情報でもよい。
【０１０９】
一例としては、識別情報は、無線装置１１０が対応する基地局信号処理の分離ポイントを直接的または間接的に示す情報または分離ポイントに関する情報（たとえば後述の分離ポイントやＤＵカテゴリ）とすることができる。または、識別情報は、無線装置１１０が対応する基地局信号処理の分離ポイントに応じた、第１信号処理に含まれる処理を示す情報または第２信号処理に含まれる処理を示す情報または処理に関する情報としてもよい。または、識別情報は、伝送路１０１により伝送される信号のデータ種別、またはそのデータ種別の信号の伝送方法（たとえばプロトコル）を示す情報または伝送方法に関する情報としてもよい。
【０１１０】
無線装置１１０ａに設けられた１個のＩＦ処理部１１２ａが無線制御装置１２０および無線装置１１０ａに接続される構成について説明したが、このような構成に限らない。たとえば、無線装置１１０ａに２個のＩＦ処理部１１２ａを設け、２個のＩＦ処理部１１２ａがそれぞれ無線制御装置１２０および無線装置１１０ａに接続される構成としてもよい。この場合は、無線装置１１０ｂと無線制御装置１２０との間の信号は２個のＩＦ処理部１１２ａの間で伝送される。
【０１１１】
無線制御装置１２０に対して無線基地局１００として無線装置１１０ａ，１１０ｂをカスケード接続する構成について説明したが、無線制御装置１２０に対して３個以上の無線基地局１００をカスケード接続する構成としてもよい。また、無線制御装置１２０に接続される無線装置１１０のそれぞれが対応する基地局信号処理の分離ポイントは、図７に示した例に限らず各種変更することができる。
【０１１２】
図７に示した構成によれば、無線制御装置１２０と無線装置１１０ａとの間の信号と、無線制御装置１２０と無線装置１１０ｂとの間の信号と、を同一の伝送路１０１を介して送信することができる。無線制御装置１２０は、無線制御装置１２０と無線装置１１０ａとの間の信号と、無線制御装置１２０と無線装置１１０ｂとの間の信号と、を一括して伝送することができる。
【０１１３】
図８は、実施の形態１にかかる無線基地局において異なる無線装置を混在させた構成の他の一例を示す図である。図８において、図７に示した部分と同様の部分については同一の符号を付して説明を省略する。図８に示す例では、無線制御装置１２０に対して、無線装置１１０ａおよび無線装置１１０ｂがスター接続されている。すなわち、無線装置１１０ｂが、無線装置１１０ａを介さずに伝送路８０１を介して無線制御装置１２０と接続されている。無線装置１１０ｂの通知部１１３ｂからＩＦ処理部１１２ｂを介して送信された構成情報は、伝送路８０１を介して無線制御装置１２０へ送信される。スター接続とは、たとえば無線装置１１０ａおよび１１０ｂのそれぞれが無線制御装置と直接接続する接続形式である。
【０１１４】
図８に示す例では、無線制御装置１２０は、図７に示したＩＦ処理部１２１に代えてＩＦ処理部１２１ａ，１２１ｂを備える。ＩＦ処理部１２１ａ，１２１ｂのそれぞれは、ＩＦ処理部１２１と同様の構成である。ただし、ＩＦ処理部１２１ａは、無線装置１１０ａから送信された構成情報を制御部１２３へ出力する。ＩＦ処理部１２１ｂは、無線装置１１０ｂから送信された構成情報を制御部１２３へ出力する。
【０１１５】
制御部１２３は、ＩＦ処理部１２１ａから出力された無線装置１１０ａからの構成情報に基づいて、無線装置１１０ａと通信を行う第２処理部１２２ａを設定する。また、制御部１２３は、ＩＦ処理部１２１ｂから出力された無線装置１１０ｂからの構成情報に基づいて、無線装置１１０ｂと通信を行う第２処理部１２２ｂを設定する。
【０１１６】
つぎに、無線基地局１００が上位装置から受信して無線端末へ送信する下り信号の伝送のうち図７に示した例と異なる部分について説明する。第２処理部１２２ａは、分配部７３０から出力された信号に対して第２処理部１２２ａの第２信号処理を行い、第２信号処理を行った信号をＩＦ処理部１２１ａへ出力する。第２処理部１２２ｂは、分配部７３０から出力された信号に対して第２処理部１２２ｂの第２信号処理を行い、第２信号処理を行った信号をＩＦ処理部１２１ｂへ出力する。
【０１１７】
ＩＦ処理部１２１ａは、第２処理部１２２ａから出力された信号を、伝送路１０１を介して無線装置１１０ａへ送信する。このとき、ＩＦ処理部１２１ａは、第２処理部１２２ａからの信号に付加された識別情報に基づいて特定した伝送方法を用いて第２処理部１２２ａからの信号を伝送路１０１により無線装置１１０ａへ送信する。
【０１１８】
ＩＦ処理部１２１ｂは、第２処理部１２２ｂから出力された信号を、伝送路８０１を介して無線装置１１０ｂへ送信する。このとき、ＩＦ処理部１２１ｂは、第２処理部１２２ｂからの信号に付加された識別情報に基づいて特定した伝送方法を用いて第２処理部１２２ｂからの信号を伝送路８０１により無線装置１１０ｂへ送信する。
【０１１９】
無線装置１１０ｂのＩＦ処理部１１２ｂは、無線制御装置１２０から伝送路８０１により送信された信号を受信する。このとき、ＩＦ処理部１１２ｂは、無線装置１１０ａから伝送路８０１により送信された信号に付加された識別情報に基づいて特定した伝送方法を用いてその信号を受信する。
【０１２０】
つぎに、無線基地局１００が無線端末から受信して上位装置へ送信する上り信号の伝送のうち図７に示した例と異なる部分について説明する。無線装置１１０ｂのＩＦ処理部１１２ｂは、第１処理部１１１ｂから出力された信号を伝送路８０１により無線制御装置１２０へ送信する。このとき、ＩＦ処理部１１２ｂは、第１処理部１１１ｂから出力された信号に付加された識別情報により特定した伝送方法を用いてその信号を送信する。
【０１２１】
また、ＩＦ処理部１１２ａは、第１処理部１１１ａから出力された信号に付加された識別情報に基づいて特定した伝送方法を用いてその信号を伝送路１０１により無線制御装置１２０へ送信する。
【０１２２】
無線制御装置１２０のＩＦ処理部１２１ａは、無線装置１１０ａから伝送路１０１により送信された信号に付加された識別情報に基づいて特定した伝送方法を用いてその信号を受信し、受信した信号を第２処理部１２２ａへ出力する。
【０１２３】
ＩＦ処理部１２１ｂは、無線装置１１０ｂから伝送路８０１により送信された信号に付加された識別情報に基づいて特定した伝送方法を用いてその信号を受信し、受信した信号を第２処理部１２２ｂへ出力する。第２処理部１２２ｂは、ＩＦ処理部１２１ｂから出力された信号に対して第２処理部１２２ｂの第２信号処理を行い、第２信号処理を行った信号を分配部７３０へ出力する。
【０１２４】
無線制御装置１２０に対して無線基地局１００として無線装置１１０ａ，１１０ｂをスター接続する構成について説明したが、無線制御装置１２０に対して３個以上の無線基地局１００をスター接続する構成としてもよい。また、無線制御装置１２０に対して３個以上の無線基地局１００を、カスケード接続とスター接続を混在させて接続する構成としてもよい。また、無線制御装置１２０に接続される無線装置１１０のそれぞれが対応する基地局信号処理の分離ポイントは、図８に示した例に限らず各種変更することができる。
【０１２５】
（実施の形態１にかかる無線基地局を適用可能な移動体通信網）
図９は、実施の形態１にかかる無線基地局を適用可能な移動体通信網の一例を示す図である。実施の形態１にかかる無線基地局１００は、たとえば図９に示す移動体通信網９００に適用することができる。
【０１２６】
図９に示す例において、移動体通信網９００は、ＤＵ９１１〜９１８（＃１〜＃８）と、ＣＵ９２１〜９２３（＃１〜＃３）と、ＭＭＥ９３１，９３２（＃１，＃２）と、ＳＧＷ９４１，９４２（＃１，＃２）と、ＰＧＷ９５０と、を含む。ＰＧＷはＰａｃｋｅｔ  ｄａｔａ  ｎｅｔｗｏｒｋ  Ｇａｔｅｗａｙの略である。
【０１２７】
ＤＵ９１１〜９１８のそれぞれは、無線基地局１００において第１信号処理を行う無線装置１１０となり得る装置である。また、ＤＵ９１１〜９１８においては、実行する第１信号処理に含まれる処理が異なるＤＵが混在している。すなわち、ＤＵ９１１〜９１８においては、基地局信号処理の分離ポイントが異なるＤＵが混在している。
【０１２８】
ＣＵ９２１〜９２３のそれぞれは、無線基地局１００において第２信号処理を行う無線制御装置１２０となり得る装置である。また、ＣＵ９２１〜９２３のそれぞれは、基地局信号処理の複数通りの分離ポイントに対応可能なＣＵである。すなわち、ＣＵ９２１〜９２３のそれぞれは、ＤＵ９１１〜９１８のうちの自装置とともに無線基地局１００となるＤＵの第１信号処理に含まれる処理に応じて、自装置の第２信号処理に含まれる処理を設定する。
【０１２９】
ＣＵ９２１は、ＣＵ−ＤＵ間インタフェースを介してＤＵ９１１〜９１４と接続されている。ＣＵ９２２は、ＣＵ−ＤＵ間インタフェースを介してＤＵ９１３〜９１６と接続されている。ＣＵ９２３は、ＣＵ−ＤＵ間インタフェースを介してＤＵ９１５〜９１８と接続されている。ＣＵ−ＤＵ間インタフェースは、たとえば上述の伝送路１０１，８０１に対応する伝送路である。図９に示すように、ＣＵ９２１〜９２３のそれぞれには、ＣＵ−ＤＵ間インタフェースを介してＤＵ９１１〜９１８のうちの１個以上のＤＵが接続される。また、ＤＵ９１１〜９１８のそれぞれは、ＣＵ−ＤＵ間インタフェースを介してＣＵ９２１〜９２３のうちの１個以上のＣＵに接続される。
【０１３０】
ＣＵ９２１とＣＵ９２２との間はＣＵ間インタフェースにより接続されている。ＣＵ９２２とＣＵ９２３との間はＣＵ間インタフェースにより接続されている。また、ＣＵ９２１はＭＭＥ９３１，９３２およびＳＧＷ９４１に接続されている。ＣＵ９２２はＭＭＥ９３１およびＳＧＷ９４１に接続されている。ＣＵ９２３はＭＭＥ９３２およびＳＧＷ９４１，９４２に接続されている。図９に示すように、ＣＵ９２１〜９２３のそれぞれは、ＭＭＥ９３１，９３２のうちの１個以上のＭＭＥと、ＳＧＷ９４１，９４２のうちの１個以上のＳＧＷと、に接続される。
【０１３１】
ＭＭＥ９３１，９３２およびＳＧＷ９４１，９４２のそれぞれは、上述した無線基地局１００の上位装置になり得る装置である。ＭＭＥ９３１，９３２およびＳＧＷ９４１，９４２のそれぞれはＰＧＷ９５０に接続されている。ＰＧＷ９５０とＣＵ９２１〜９２３との間においては、ＭＭＥ９３１，９３２を介してコントロールプレーン（Ｃ−Ｐｌａｎｅ）の信号が伝送され、ＳＧＷ９４１，９４２を介してユーザプレーン（Ｕ−Ｐｌａｎｅ）の信号が伝送される。
【０１３２】
実施の形態１にかかる無線基地局１００は、ＤＵ９１１〜９１８のうちの１個以上のＤＵを無線装置１１０とし、ＣＵ９２１〜９２３のうちの１個以上のＣＵを無線制御装置１２０とすることにより実現することができる。また、ＤＵ９１１〜９１８のうちの１個以上のＤＵと、ＣＵ９２１〜９２３のうちの１個以上のＣＵと、の組み合わせを複数設けることにより複数の無線基地局１００を実現してもよい。
【０１３３】
図９に示す例ではＣＵ９２１〜９２３に対してＤＵ９１１〜９１８に含まれるＤＵがスター接続される構成について説明したが、ＣＵ９２１〜９２３に対してＤＵ９１１〜９１８に含まれるＤＵがカスケード接続される構成としてもよい。
【０１３４】
また、図９に示した例のように、１個のＣＵには複数のＤＵが接続されていてもよい。また、１個のＤＵには複数のＣＵが接続されていてもよい。これにより、ＣＵとＤＵの組み合わせを柔軟に変更して無線基地局１００を実現することができる。したがって、たとえば、ＤＳＡ、ＶＣ、ＡＡＡ、ビームフォーミング、ＣｏＭＰなどにおけるＤＵの組み合わせを柔軟に制御可能になる。ＤＳＡはＤｉｓｔｒｉｂｕｔｅｄ  Ａｎｔｅｎｎａ  Ｓｙｓｔｅｍの略である。ＶＣはＶｉｒｔｕａｌ  Ｃｅｌｌの略である。ＣｏＭＰはＣｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ（多地点協調通信）の略である。
【０１３５】
また、ＭＭＥ９３１，９３２が同一のＰＧＷ９５０に接続された構成について説明したが、ＭＭＥ９３１，９３２がそれぞれ異なるＰＧＷに接続された構成としてもよい。また、ＳＧＷ９４１，９４２が同一のＰＧＷ９５０に接続された構成について説明したが、ＳＧＷ９４１，９４２がそれぞれ異なるＰＧＷに接続された構成としてもよい。
【０１３６】
（実施の形態１にかかる移動体通信網における処理）
図１０は、実施の形態１にかかる移動体通信網における処理の一例を示すシーケンス図である。図１０においては、図９に示したＣＵ９２１（＃１）およびＤＵ９１１，９１２（＃１，＃２）により無線基地局１００を実現する場合について説明する。この場合に、たとえば図８に示した無線制御装置１２０および無線装置１１０ａ，１１０ｂをそれぞれＣＵ９２１およびＤＵ９１１，９１２に適用することができる。
【０１３７】
ＣＵ９２１に対してＤＵ９１１，９１２が接続された状態で、たとえば図１０に示す各ステップが実行される。まず、ＣＵ９２１が、構成情報の送信を要求する構成情報要求信号をＤＵ９１１へ送信する（ステップＳ１００１）。ステップＳ１００１による構成情報要求信号の送信は、一例としては図８に示した無線制御装置１２０の制御部１２３がＩＦ処理部１２１ａを用いて伝送路１０１を介して実行することができる。また、ステップＳ１００１により送信された構成情報要求信号は、一例としては図８に示したＩＦ処理部１１２ａを介して通知部１１３ａに受信される。
【０１３８】
つぎに、ＤＵ９１１が、自装置の第１信号処理に関する構成情報をＣＵ９２１へ送信する（ステップＳ１００２）。ステップＳ１００２による構成情報の送信は、一例としては図８に示した無線装置１１０ａの通知部１１３ａがＩＦ処理部１１２ａにより伝送路１０１を介して実行することができる。また、ステップＳ１００２により送信された構成情報は、一例としては図８に示したＩＦ処理部１２１ａを介して制御部１２３に受信される。
【０１３９】
つぎに、ＣＵ９２１が、構成情報の送信を要求する構成情報要求信号をＤＵ９１２へ送信する（ステップＳ１００３）。ステップＳ１００３による構成情報要求信号の送信は、一例としては図８に示した無線制御装置１２０の制御部１２３がＩＦ処理部１２１ｂを用いて伝送路８０１を介して実行することができる。また、ステップＳ１００３により送信された構成情報要求信号は、一例としては図８に示したＩＦ処理部１１２ｂを介して通知部１１３ｂに受信される。
【０１４０】
つぎに、ＤＵ９１２が、自装置の第１信号処理に関する構成情報をＣＵ９２１へ送信する（ステップＳ１００４）。ステップＳ１００４による構成情報の送信は、一例としては図８に示した無線装置１１０ｂの通知部１１３ｂがＩＦ処理部１１２ｂにより伝送路８０１を介して実行することができる。また、ステップＳ１００４により送信された構成情報は、一例としては図８に示したＩＦ処理部１２１ｂを介して制御部１２３に受信される。
【０１４１】
つぎに、ＣＵ９２１が、ステップＳ１００２，Ｓ１００４により受信した各構成情報に基づいて、ＤＵ９１１，９１２との間の伝送制御（伝送設定）を行う（ステップＳ１００５）。ステップＳ１００５における伝送制御については後述する。つぎに、ＣＵ９２１とＤＵ９１１，９１２との間でデータ伝送が行われる（ステップＳ１００６）。これにより、ＣＵ９２１がＤＵ９１１，９１２を介して無線端末との間でデータ伝送を行うことが可能になる。
【０１４２】
ステップＳ１００５における伝送制御には、たとえば、無線基地局１００が無線端末との間で伝送する信号のうちのＤＵ９１１により伝送する信号に対してＣＵ９２１が行う第２信号処理に含まれる処理（第２信号処理の終端部）の設定が含まれる。また、ステップＳ１００５における伝送制御には、無線基地局１００が無線端末との間で伝送する信号のうちのＤＵ９１１により伝送する信号を伝送路１０１により伝送するための伝送方法の制御が含まれていてもよい。
【０１４３】
また、ステップＳ１００５における伝送制御には、たとえば、無線基地局１００が無線端末との間で伝送する信号のうちのＤＵ９１２により伝送する信号に対してＣＵ９２１が行う第２信号処理に含まれる処理（第２信号処理の終端部）の設定が含まれる。また、ステップＳ１００５における伝送制御には、無線基地局１００が無線端末との間で伝送する信号のうちのＤＵ９１２により伝送する信号を伝送路１０１により伝送するための伝送方法の制御が含まれていてもよい。
【０１４４】
図１０に示す例では、図９に示したようにＣＵ９２１に対してＤＵ９１１，９１２がスター接続されている場合の処理について説明したが、ＣＵ９２１に対してＤＵ９１１，９１２がカスケード接続されている場合の処理についても同様である。たとえば、ＣＵ９２１に対してＤＵ９１１が伝送路１０１を介して接続され、ＤＵ９１１に対してＤＵ９１２が伝送路７０１を介して接続されているとする。
【０１４５】
この場合に、たとえば図７に示した無線制御装置１２０および無線装置１１０ａ，１１０ｂをそれぞれＣＵ９２１およびＤＵ９１１，９１２に適用することができる。この場合は、ステップＳ１００３，Ｓ１００４における構成情報要求信号および構成情報の伝送は、ＤＵ９１１を介して行われる。また、ステップＳ１００６におけるＣＵ９２１とＤＵ９１２との間のデータ伝送はＤＵ９１１を介して行われる。
【０１４６】
図１１は、実施の形態１にかかる移動体通信網における処理の他の一例を示すシーケンス図である。図１１においては、図９に示したＣＵ９２１（＃１）およびＤＵ９１１，９１５（＃１，＃５）により無線基地局１００を実現する場合について説明する。この場合に、たとえば図８に示した無線制御装置１２０および無線装置１１０ａ，１１０ｂをそれぞれＣＵ９２１およびＤＵ９１１，９１５に適用することができる。
【０１４７】
ただし、図９に示したように、ＣＵ９２１とＤＵ９１１との間はＣＵ−ＤＵ間インタフェースにより接続されているが、ＣＵ９２１とＤＵ９１５との間はＣＵ−ＤＵ間インタフェースにより接続されていない。そして、ＤＵ９１５はＣＵ９２２（＃２）とＣＵ−ＤＵ間インタフェースにより接続されている。この場合は、ＣＵ９２１は、ＣＵ９２２を介してＤＵ９１５と通信を行う。なお、ＤＵ９１５とＣＵ９２１との間は物理的には直接接続していないが、論理的には直接接続されており、ＣＵ９２１とＤＵ９１５との間の通信においてＣＵ９２２の存在は認識されなくてもよい。なお、物理的に接続する場合は物理接続と呼び、論理的に接続する場合を論理接続と呼ぶ。
【０１４８】
図１１に示すステップＳ１１０１，Ｓ１１０２は、図１０に示したステップＳ１００１，Ｓ１１０２と同様である。ステップＳ１１０２のつぎに、ＣＵ９２１が、構成情報の送信を要求する構成情報要求信号であってＤＵ９１５を宛先とする構成情報要求信号をＣＵ９２２へ送信する（ステップＳ１１０３）。ステップＳ１１０３による構成情報要求信号の送信は、たとえばＣＵ９２１，９２２の間のＣＵ間インタフェースを介して行われる。
【０１４９】
つぎに、ＣＵ９２２が、ステップＳ１１０３により受信した構成情報要求信号をＤＵ９１５へ送信する（ステップＳ１１０４）。ステップＳ１１０４による構成情報要求信号の送信は、たとえばＣＵ９２２とＤＵ９１５との間のＣＵ−ＤＵ間インタフェースを介して行われる。また、ステップＳ１１０４により送信された構成情報要求信号は、一例としては図８に示したＩＦ処理部１１２ｂを介して通知部１１３ｂに受信される。
【０１５０】
つぎに、ＤＵ９１５が、自装置の第１信号処理に関する構成情報をＣＵ９２２へ送信する（ステップＳ１１０５）。ステップＳ１１０５による構成情報の送信は、一例としては図８に示した無線装置１１０ｂの通知部１１３ｂがＩＦ処理部１１２ｂを用いて実行することができる。つぎに、ＣＵ９２２が、ステップＳ１１０５により受信した構成情報をＣＵ９２１へ送信する（ステップＳ１１０６）。ステップＳ１１０６による構成情報の送信は、たとえばＣＵ９２１，９２２の間のＣＵ間インタフェースを介して行われる。
【０１５１】
つぎに、ＣＵ９２１が、ステップＳ１１０２，Ｓ１１０６により受信した各構成情報に基づいて、ＤＵ９１１，９１５との間の伝送制御を行う（ステップＳ１１０７）。ステップＳ１１０５における伝送制御は、図１０に示したステップＳ１００５における伝送制御と同様である。つぎに、ＣＵ９２１とＤＵ９１１，９１５との間でデータ伝送が行われる（ステップＳ１１０８）。これにより、ＣＵ９２１がＤＵ９１１，９１５を介して無線端末との間でデータ伝送を行うことが可能になる。ステップＳ１１０８におけるＣＵ９２１とＤＵ９１５との間のデータ伝送は、ＣＵ９２２を介して行われる。
【０１５２】
図１１に示したように、ＣＵ９２１は、ＣＵ間インタフェースを用いてＣＵ９２２を介してＤＵ９１５との間で通信を行うことで、自装置と直接接続されていないＤＵ９１５を介して無線端末との間でデータ伝送を行うことができる。
【０１５３】
図１２は、実施の形態１にかかる移動体通信網における処理のさらに他の一例を示すシーケンス図である。図１２においては、図９に示したＣＵ９２１（＃１）およびＤＵ９１１，９１８（＃１，＃８）により無線基地局１００を実現する場合について説明する。この場合に、たとえば図８に示した無線制御装置１２０および無線装置１１０ａ，１１０ｂをそれぞれＣＵ９２１およびＤＵ９１１，９１８に適用することができる。
【０１５４】
ただし、図９に示したように、ＣＵ９２１とＤＵ９１１との間はＣＵ−ＤＵ間インタフェースにより接続されているが、ＣＵ９２１とＤＵ９１８との間はＣＵ−ＤＵ間インタフェースにより接続されていない。そして、ＤＵ９１８は、ＭＭＥ９３２に接続されたＣＵ９２３（＃３）とＣＵ−ＤＵ間インタフェースにより接続されている。この場合は、たとえばＣＵ９２１は、ＭＭＥ９３２およびＣＵ９２３を介してＤＵ９１８と通信を行う。
【０１５５】
図１２に示すステップＳ１２０１，Ｓ１２０２は、図１０に示したステップＳ１００１，Ｓ１００２と同様である。ステップＳ１２０２のつぎに、ＣＵ９２１が、構成情報の送信を要求する構成情報要求信号であってＤＵ９１８を宛先とする構成情報要求信号をＭＭＥ９３２へ送信する（ステップＳ１２０３）。ステップＳ１２０３による構成情報要求信号の送信は、たとえばＣＵ９２１とＭＭＥ９３２との間のＳ１インタフェースを介して行われる。つぎに、ＭＭＥ９３２が、ステップＳ１２０３により受信した構成情報要求信号をＣＵ９２３へ送信する（ステップＳ１２０４）。ステップＳ１２０４による構成情報要求信号の送信は、たとえばＭＭＥ９３２とＣＵ９２３との間のＳ１インタフェースを介して行われる。
【０１５６】
つぎに、ＣＵ９２３が、ステップＳ１２０４により受信した構成情報要求信号をＤＵ９１８へ送信する（ステップＳ１２０５）。ステップＳ１２０５による構成情報要求信号の送信は、たとえばＣＵ９２３とＤＵ９１８との間のＣＵ−ＤＵ間インタフェースを介して行われる。また、ステップＳ１２０５により送信された構成情報要求信号は、一例としては図８に示したＩＦ処理部１１２ｂを介して通知部１１３ｂに受信される。
【０１５７】
つぎに、ＤＵ９１８が、自装置の第１信号処理に関する構成情報であってＣＵ９２１を宛先とする構成情報をＣＵ９２３へ送信する（ステップＳ１２０６）。ステップＳ１２０６による構成情報の送信は、一例としては図８に示した無線装置１１０ｂの通知部１１３ｂがＩＦ処理部１１２ｂを用いて実行することができる。
【０１５８】
つぎに、ＣＵ９２３が、ステップＳ１２０６により受信した構成情報をＭＭＥ９３２へ送信する（ステップＳ１２０７）。ステップＳ１２０７による構成情報の送信は、たとえばＭＭＥ９３２とＣＵ９２３との間のＳ１インタフェースを介して行われる。つぎに、ＭＭＥ９３２が、ステップＳ１２０７により受信した構成情報をＣＵ９２１へ送信する（ステップＳ１２０８）。ステップＳ１２０８による構成情報の送信は、たとえばＭＭＥ９３２とＣＵ９２１との間のＳ１インタフェースを介して行われる。
【０１５９】
つぎに、ＣＵ９２１が、ステップＳ１２０２，Ｓ１２０８により受信した各構成情報に基づいて、ＤＵ９１１，９１８との間の伝送制御を行う（ステップＳ１２０９）。ステップＳ１２０９における伝送制御は、図１０に示したステップＳ１００５における伝送制御と同様である。つぎに、ＣＵ９２１とＤＵ９１１，９１８との間でデータ伝送が行われる（ステップＳ１２１０）。これにより、ＣＵ９２１がＤＵ９１１，９１８を介して無線端末との間でデータ伝送を行うことが可能になる。ステップＳ１２０８におけるＣＵ９２１とＤＵ９１８との間のデータ伝送は、ＭＭＥ９３２およびＣＵ９２３を介して行われる。
【０１６０】
図１２に示したように、ＣＵ９２１は、ＭＭＥ９３２およびＣＵ９２３を介してＤＵ９１８との間で通信を行うことで、自装置と直接接続されていないＤＵ９１８を介して無線端末との間でデータ伝送を行うことができる。また、たとえば図９に示した例においてＣＵ９２１がＭＭＥ９３２と直接接続されていない場合は、ＣＵ９２１は、ＭＭＥ９３１およびＰＧＷ９５０を介してＭＭＥ９３２との間で通信を行ってもよい。
【０１６１】
図１０に示した例では、ＣＵ９２１が各ＤＵに対して構成情報要求信号を送信する処理について説明したが、このような処理に限らない。たとえば、ＣＵ９２１は各ＤＵに対して構成情報要求信号を送信せずに、各ＤＵが所定のタイミングでＣＵ９２１へ構成情報を送信する処理としてもよい。
【０１６２】
（実施の形態１にかかる識別情報を付加された信号のフォーマット）
図１３は、実施の形態１にかかる識別情報を付加された信号のフォーマットの一例を示す図である。たとえば図７に示した無線基地局１００において、ＩＦ処理部１２１とＩＦ処理部１１２ａとの間においては、伝送路１０１を介してたとえば図１３に示す信号１３００が伝送される。
【０１６３】
信号１３００は、混在情報１３０１と、プリアンブル１３０２と、ＳＦＤ１３０３と、宛先アドレス１３０４と、送信元アドレス１３０５と、ＤＵカテゴリ１３０６と、データ種別／プロトコル情報１３０７と、を含む。また、信号１３００は、長さ／タイプ情報１３０８と、クライアントデータ１３０９と、フレームチェックシーケンス１３１０と、を含む。ＳＦＤはＳｔａｒｔ  Ｆｒａｍｅ  Ｄｅｌｉｍｉｔｏｒの略である。
【０１６４】
混在情報１３０１は、無線基地局１００において基地局信号処理の分離ポイントが異なるＤＵの混在の有無を示す１オクテット（ｏｃｔ）の情報である。たとえば図７に示す例では無線基地局１００において基地局信号処理の分離ポイントが異なるＤＵ（無線装置１１０ａ，１１０ｂ）が混在しているため、混在情報１３０１は混在があることを示す値となる。ただし、たとえば基地局信号処理の分離ポイントの混在を前提として移動体通信網が設計される場合は、信号１３００から混在情報１３０１を省いてもよい。なお、上記では１オクテットの情報として説明したが、情報量で限定されるものではなく、複数オクテットであってもよいし、１オクテット未満（すなわち８ビット未満）であってもよい。以下、同様に情報量には限定されないものとして記述する。
【０１６５】
プリアンブル１３０２は、７オクテットの所定パターンである。ＳＦＤ１３０３は、フレームの始まりを示す１オクテットの情報である。宛先アドレス１３０４は、信号１３００の宛先の識別子を示す６オクテットの情報である。送信元アドレス１３０５は、信号１３００の送信元の識別子を示す６オクテットの情報である。なお、宛先アドレス１３０４および送信元アドレス１３０５はたとえばＣＰＲＩの使用においては規定されていないが図１３に示すように宛先アドレス１３０４および送信元アドレス１３０５を信号１３００に用いてもよい。
【０１６６】
ＤＵカテゴリ１３０６は、信号１３００に対応する基地局信号処理の分離ポイントに応じたカテゴリを示す１オクテットの情報である。信号１３００に対応する基地局信号処理の分離ポイントは、たとえば信号１３００を送信または受信するＤＵが対応する基地局信号処理の分離ポイントである。
【０１６７】
データ種別／プロトコル情報１３０７は、ＣＵ−ＤＵ間インタフェースにより伝送される際の信号１３００のデータ種別と、信号１３００をＣＵ−ＤＵ間インタフェースにより伝送するためのプロトコルと、の少なくともいずれかを示す１オクテットの情報である。これらのデータ種別およびプロトコルは、ＤＵカテゴリ１３０６が示す基地局信号処理の分離ポイントによって異なる。
【０１６８】
長さ／タイプ情報１３０８は、信号１３００がシングルホップおよびマルチホップのいずれにより伝送されるかを示す２オクテットの情報である。クライアントデータ１３０９は、ＣＵ−ＤＵ間インタフェースにより伝送されるデータである。クライアントデータ１３０９のデータ種別は、ＤＵカテゴリ１３０６が示す基地局信号処理の分離ポイントによって異なる。フレームチェックシーケンス１３１０は、信号１３００の誤りを検出するための冗長情報である。なお、マルチホップとは、上述のカスケード接続のように、複数の装置を介して送信元と送信先間でデータ伝送を行う形式であり、シングルホップとは、他の装置が介在せず送信元と送信先間で直接データ伝送を行う形式である。
【０１６９】
上述した識別情報は、たとえばＤＵカテゴリ１３０６およびデータ種別／プロトコル情報１３０７の少なくともいずれかにより実現することができる。たとえば、ＤＵカテゴリ１３０６により識別情報を実現する場合は信号１３００からデータ種別／プロトコル情報１３０７を省いてもよい。また、データ種別／プロトコル情報１３０７により識別情報を実現する場合は信号１３００からＤＵカテゴリ１３０６を省いてもよい。
【０１７０】
たとえば、無線制御装置１２０のＩＦ処理部１２１は、入力された信号１３００に対応する基地局信号処理の分離ポイントによらずに、入力された信号１３００のうちの少なくともＤＵカテゴリ１３０６やデータ種別／プロトコル情報１３０７を受信可能である。また、ＩＦ処理部１２１は、信号１３００に対応する基地局信号処理の分離ポイントを、ＤＵカテゴリ１３０６およびデータ種別／プロトコル情報１３０７の少なくともいずれかに基づいて判定する。そして、ＩＦ処理部１２１は、判定結果に基づきクライアントデータ１３０９の伝送方法を切り替える。ＩＦ処理部１２１が識別情報に基づいて伝送方法を切り替える処理について説明したが、第２処理部１２２，１２２ａ，１２２ｂが識別情報に基づいて伝送方法を切り替える処理も同様である。
【０１７１】
また、上述した構成情報は、たとえば図１３に示した信号１３００により実現することができる。たとえば、構成情報は、信号１３００に含まれるＤＵカテゴリ１３０６およびデータ種別／プロトコル情報１３０７の少なくともいずれかとすることができる。たとえば、無線装置１１０の通知部１１３は、構成情報として図１３に示した信号１３００を無線制御装置１２０へ送信する。この場合に、たとえば長さ／タイプ情報１３０８やクライアントデータ１３０９は信号１３００から省いてもよい。
【０１７２】
図１４は、実施の形態１にかかる識別情報を付加された信号のフォーマットの他の一例を示す図である。図１４において、図１３に示した部分と同様の部分については同一の符号を付して説明を省略する。たとえば図７に示した無線基地局１００において、ＩＦ処理部１２１とＩＦ処理部１１２ａとの間においては、伝送路１０１を介してたとえば図１４に示す信号１３００が伝送されてもよい。
【０１７３】
図１４に示す信号１３００は、図１３に示した信号１３００のＤＵカテゴリ１３０６に代えて分離ポイント１４０１を含む。分離ポイント１４０１は、信号１３００に対応する基地局信号処理の分離ポイントを示す１オクテットの情報である。
【０１７４】
上述した識別情報は、たとえば分離ポイント１４０１およびデータ種別／プロトコル情報１３０７の少なくともいずれかにより実現することができる。たとえば、分離ポイント１４０１により識別情報を実現する場合は信号１３００からデータ種別／プロトコル情報１３０７を省いてもよい。また、データ種別／プロトコル情報１３０７により識別情報を実現する場合は信号１３００から分離ポイント１４０１を省いてもよい。
【０１７５】
たとえば、ＩＦ処理部１２１は、入力された信号１３００に対応する分離ポイントによらずに、入力された信号１３００のうちの少なくとも分離ポイント１４０１やデータ種別／プロトコル情報１３０７を受信可能である。そして、ＩＦ処理部１２１は、信号１３００に対応する分離ポイントを、分離ポイント１４０１およびデータ種別／プロトコル情報１３０７の少なくともいずれかに基づいて判定し、判定結果に基づいてクライアントデータ１３０９の伝送方法を切り替える。ＩＦ処理部１２１が識別情報に基づいて伝送方法を切り替える処理について説明したが、第２処理部１２２，１２２ａ，１２２ｂが識別情報に基づいて伝送方法を切り替える処理も同様である。
【０１７６】
また、上述した構成情報は、たとえば図１４に示した信号１３００により実現することができる。たとえば、構成情報は、信号１３００に含まれる分離ポイント１４０１およびデータ種別／プロトコル情報１３０７の少なくともいずれかとすることができる。たとえば、無線装置１１０の通知部１１３は、構成情報として図１４に示した信号１３００を無線制御装置１２０へ送信する。この場合に、たとえば長さ／タイプ情報１３０８やクライアントデータ１３０９は信号１３００から省いてもよい。
【０１７７】
（実施の形態１にかかる基地局信号処理の分離ポイントごとのＤＵカテゴリ）
図１５は、実施の形態１にかかる基地局信号処理の分離ポイントごとのＤＵカテゴリの一例を示す図である。図１５に示すテーブル１５００は、無線基地局１００が適用される移動体通信網において定義された基地局信号処理の分離ポイントごとのＤＵカテゴリを示す。ＤＵカテゴリの１〜８は、それぞれ分離ポイント８〜１に対応する。
【０１７８】
テーブル１５００の伝送データ種別は、基地局信号処理の分離ポイントに応じたデータ種別であって、ＣＵ−ＤＵ間インタフェースを介して伝送される信号のデータ種別である。図１５に示す例では、伝送データ種別として、アナログのＩＱデータ、ディジタルのＩＱデータ、ＭＡＣ  ＰＤＵ、ＭＡＣ  ＳＤＵ、ＲＬＣ  ＰＤＵ、ＲＬＣ  ＳＤＵ、ＰＤＣＰ  ＰＤＵおよびＰＤＣＰ  ＳＤＵがある。
【０１７９】
テーブル１５００のプロトコルは、基地局信号処理の分離ポイントに応じたプロトコルであって、ＣＵ−ＤＵ間インタフェースを介して行われる信号の伝送のプロトコルである。図１５に示す例では、プロトコルとしてＣＰＲＩおよびＰ１〜Ｐ７があるとする。Ｐ１〜Ｐ７のそれぞれは、たとえば基地局信号処理の分離ポイントに応じて新たに定義されるプロトコルである。
【０１８０】
テーブル１５００の機能は、分離ポイントに応じたＤＵの第１信号処理に含まれる機能（処理）である。図１５に示す例では、無線基地局１００の基地局信号処理に、ＲＦ、Ｐｈｙ、ＢＢ、ＭＡＣ、ＲＬＣおよびＰＤＣＰの各処理が含まれるとする。
【０１８１】
ＤＵカテゴリ１に対応する分離ポイント８は、基地局信号処理をＲＦとＰｈｙとの間で分離する分離ポイントである。分離ポイント８において、ＤＵの第１信号処理にはＲＦの処理が含まれる。したがって、分離ポイント８では、ＣＵの第２信号処理にはＰｈｙ、ＢＢ、ＭＡＣ、ＲＬＣおよびＰＤＣＰの各処理が含まれる。また、分離ポイント８では、ＣＵ−ＤＵ間インタフェースにおいてアナログのＩＱデータがＣＰＲＩにより伝送される。
【０１８２】
ＤＵカテゴリ２に対応する分離ポイント７は、基地局信号処理をＰｈｙとＢＢとの間で分離する分離ポイントである。分離ポイント７において、ＤＵの第１信号処理にはＲＦおよびＰｈｙの各処理が含まれる。したがって、分離ポイント７では、ＣＵの第２信号処理にはＢＢ、ＭＡＣ、ＲＬＣおよびＰＤＣＰの各処理が含まれる。また、分離ポイント７では、ＣＵ−ＤＵ間インタフェースにおいてディジタルのＩＱデータがＰ１により伝送される。
【０１８３】
ＤＵカテゴリ３に対応する分離ポイント６は、基地局信号処理をＢＢとＭＡＣとの間で分離する分離ポイントであり、たとえば図４に示した分離ポイントである。分離ポイント６において、ＤＵの第１信号処理にはＲＦ、ＰｈｙおよびＢＢの各処理が含まれる。したがって、分離ポイント６では、ＣＵの第２信号処理にはＭＡＣ、ＲＬＣおよびＰＤＣＰの各処理が含まれる。また、分離ポイント６では、ＣＵ−ＤＵ間インタフェースにおいてＭＡＣ  ＰＤＵがＰ２により伝送される。
【０１８４】
ＤＵカテゴリ４に対応する分離ポイント５は、基地局信号処理をＭＡＣの途中（たとえばＰＤＵとＳＤＵの変換部）で分離する分離ポイントである。分離ポイント５において、ＤＵの第１信号処理にはＲＦ、Ｐｈｙ、ＢＢおよびＭＡＣの一部（たとえばＬｏｗ−ＭＡＣ）の各処理が含まれる。したがって、分離ポイント５では、ＣＵの第２信号処理にはＭＡＣの一部（たとえばＨｉｇｈ−ＭＡＣ）、ＲＬＣおよびＰＤＣＰの各処理が含まれる。また、分離ポイント５では、ＣＵ−ＤＵ間インタフェースにおいてＭＡＣ  ＳＤＵがＰ３により伝送される。
【０１８５】
ＤＵカテゴリ５に対応する分離ポイント４は、基地局信号処理をＭＡＣとＲＬＣとの間で分離する分離ポイントであり、たとえば図５に示した分離ポイントである。分離ポイント４において、ＤＵの第１信号処理にはＲＦ、Ｐｈｙ、ＢＢおよびＭＡＣの各処理が含まれる。したがって、分離ポイント４では、ＣＵの第２信号処理にはＲＬＣおよびＰＤＣＰの各処理が含まれる。また、分離ポイント４では、ＣＵ−ＤＵ間インタフェースにおいてＲＬＣ  ＰＤＵがＰ４により伝送される。
【０１８６】
ＤＵカテゴリ６に対応する分離ポイント３は、基地局信号処理をＲＬＣの途中（たとえばＰＤＵとＳＤＵの変換部）で分離する分離ポイントである。分離ポイント４において、ＤＵの第１信号処理にはＲＦ、Ｐｈｙ、ＢＢ、ＭＡＣおよびＲＬＣの一部（たとえばＲＬＣ）の各処理が含まれる。したがって、分離ポイント４では、ＣＵの第２信号処理にはＲＬＣの一部（たとえばＨｉｇｈ−ＲＬＣ）およびＰＤＣＰの各処理が含まれる。また、分離ポイント４では、ＣＵ−ＤＵ間インタフェースにおいてＲＬＣ  ＳＤＵがＰ５により伝送される。
【０１８７】
ＤＵカテゴリ７に対応する分離ポイント２は、基地局信号処理をＲＬＣとＰＤＣＰとの間で分離する分離ポイントであり、たとえば図６に示した分離ポイントである。分離ポイント２において、ＤＵの第１信号処理にはＲＦ、Ｐｈｙ、ＢＢ、ＭＡＣおよびＲＬＣの各処理が含まれる。したがって、分離ポイント２では、ＣＵの第２信号処理にはＰＤＣＰの処理が含まれる。また、分離ポイント２では、ＣＵ−ＤＵ間インタフェースにおいてＰＤＣＰ  ＰＤＵがＰ６により伝送される。
【０１８８】
ＤＵカテゴリ８に対応する分離ポイント１は、基地局信号処理をＰＤＣＰの途中（たとえばＰＤＵとＳＤＵの変換部）で分離する分離ポイントである。分離ポイント１において、ＤＵの第１信号処理にはＲＦ、Ｐｈｙ、ＢＢ、ＭＡＣ、ＲＬＣおよびＰＤＣＰの一部（たとえばＬｏｗ−ＰＤＣＰ）の各処理が含まれる。したがって、分離ポイント１では、ＣＵの第２信号処理にはＰＤＣＰの一部（たとえばＨｉｇｈ−ＰＤＣＰ）の処理が含まれる。また、分離ポイント１では、ＣＵ−ＤＵ間インタフェースにおいてＰＤＣＰ  ＳＤＵがＰ７により伝送される。
【０１８９】
たとえば、図４に示した無線装置１１０は、無線制御装置１２０に接続された状態で、ＤＵカテゴリ＝３、分離ポイント＝６、伝送データ種別＝ＭＡＣ  ＰＤＵおよびプロトコル＝Ｐ２の少なくともいずれかを構成情報として無線制御装置１２０へ送信する。これにより、無線制御装置１２０は、無線装置１１０が分離ポイント６に対応する構成であると判断し、自装置の第２処理部１２２においてＭＡＣ、ＲＬＣおよびＰＤＣＰの各処理を行う設定を行う。また、無線制御装置１２０は、無線装置１１０との間で伝送路１０１を介してＰ２のプロトコルを用いてＭＡＣ  ＰＤＵを伝送するための設定を行う。
【０１９０】
また、図５に示した無線装置１１０は、無線制御装置１２０に接続された状態で、ＤＵカテゴリ＝５、分離ポイント＝４、伝送データ種別＝ＲＬＣ  ＰＤＵおよびプロトコル＝Ｐ４の少なくともいずれかを構成情報として無線制御装置１２０へ送信する。これにより、無線制御装置１２０は、無線装置１１０が分離ポイント４に対応する構成であると判断し、自装置の第２処理部１２２において、ＲＬＣおよびＰＤＣＰの各処理を行う設定を行う。また、無線制御装置１２０は、無線装置１１０との間で伝送路１０１を介してＰ４のプロトコルを用いてＲＬＣ  ＰＤＵを伝送するための設定を行う。
【０１９１】
また、図６に示した無線装置１１０は、無線制御装置１２０に接続された状態で、ＤＵカテゴリ＝７、分離ポイント＝２、伝送データ種別＝ＰＤＣＰ  ＰＤＵおよびプロトコル＝Ｐ６の少なくともいずれかを構成情報として無線制御装置１２０へ送信する。これにより、無線制御装置１２０は、無線装置１１０が分離ポイント２に対応する構成であると判断し、自装置の第２処理部１２２において、ＰＤＣＰの処理を行う設定を行う。また、無線制御装置１２０は、無線装置１１０との間で伝送路１０１を介してＰ６のプロトコルを用いてＰＤＣＰ  ＰＤＵを伝送するための設定を行う。
【０１９２】
ただし、基地局信号処理の分離ポイントごとのＤＵカテゴリは、テーブル１５００に示した例に限らない。たとえば、テーブル１５００は、３ＧＰＰのＴＲ３８．８０１のＶ０．２．０  ６．１．２．１に規定された基地局信号処理の分離ポイントの候補に基づく一例である。３ＧＰＰは３ｒｄ  Ｇｅｎｅｒａｔｉｏｎ  Ｐａｒｔｎｅｒｓｈｉｐ  Ｐｒｏｊｅｃｔの略である。たとえば、分離ポイント自体や、ＤＵカテゴリ、伝送データ種別、プロトコル、機能の定義は、実際に運用される移動体通信システムに応じて種々の変更が可能である。
【０１９３】
（実施の形態１にかかる無線装置のハードウェア構成）
図１６は、実施の形態１にかかる無線装置のハードウェア構成の一例を示す図である。上述した無線装置１１０は、たとえば図１６に示す通信装置１６００によって実現することができる。通信装置１６００は、ＣＰＵ１６０１と、メモリ１６０２と、有線通信インタフェース１６０３と、無線通信インタフェース１６０４と、を備える。ＣＰＵ１６０１、メモリ１６０２、有線通信インタフェース１６０３および無線通信インタフェース１６０４は、バス１６０９によって接続される。ＣＰＵはＣｅｎｔｒａｌ  Ｐｒｏｃｅｓｓｉｎｇ  Ｕｎｉｔ（中央処理装置）の略である。
【０１９４】
ＣＰＵ１６０１は、通信装置１６００の全体の制御を司る。メモリ１６０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１６０１のワークエリアとして使用される。補助メモリは、たとえば磁気ディスク、光ディスク、フラッシュメモリなどの不揮発メモリである。補助メモリには、通信装置１６００を動作させる各種のプログラムが記憶されている。補助メモリに記憶されたプログラムは、メインメモリにロードされてＣＰＵ１６０１によって実行される。
【０１９５】
無線通信インタフェース１６０４は、無線によって通信装置１６００の外部（たとえば無線端末）との間で通信を行う通信インタフェースである。無線通信インタフェース１６０４は、ＣＰＵ１６０１によって制御される。
【０１９６】
有線通信インタフェース１６０３は、有線によって無線基地局１００における他装置（たとえば無線制御装置１２０）との間で通信を行う通信インタフェースである。有線通信インタフェース１６０３は、ＣＰＵ１６０１によって制御される。
【０１９７】
図１に示したアンテナ１１５は、たとえば無線通信インタフェース１６０４に含まれる。図１に示した第１処理部１１１は、たとえばＣＰＵ１６０１および無線通信インタフェース１６０４の少なくともいずれかにより実現することができる。図１に示したＩＦ処理部１１２は、たとえば有線通信インタフェース１６０３により実現することができる。図１に示した通知部１１３は、たとえばＣＰＵ１６０１および有線通信インタフェース１６０３の少なくともいずれかにより実現することができる。
【０１９８】
また、無線装置１１０のハードウェア構成は図１６に示したハードウェア構成に限らない。たとえば、ＣＰＵ１６０１やメモリ１６０２に対応する構成を、ＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などを用いて実現してもよい。無線装置１１０のハードウェア構成について説明したが、無線装置１１０ａ，１１０ｂのハードウェア構成についても同様である。
【０１９９】
（実施の形態１にかかる無線制御装置のハードウェア構成）
図１７は、実施の形態１にかかる無線制御装置のハードウェア構成の一例を示す図である。上述した無線制御装置１２０は、たとえば図１７に示す情報処理装置１７００によって実現することができる。情報処理装置１７００は、ＣＰＵ１７０１と、メモリ１７０２と、有線通信インタフェース１７０３，１７０４と、を備える。ＣＰＵ１７０１、メモリ１７０２および有線通信インタフェース１７０３，１７０４は、バス１７０９によって接続される。
【０２００】
ＣＰＵ１７０１は、情報処理装置１７００の全体の制御を司る。メモリ１７０２には、たとえばメインメモリおよび補助メモリが含まれる。メインメモリは、たとえばＲＡＭである。メインメモリは、ＣＰＵ１７０１のワークエリアとして使用される。補助メモリは、たとえば磁気ディスク、光ディスク、フラッシュメモリなどの不揮発メモリである。補助メモリには、情報処理装置１７００を動作させる各種のプログラムが記憶されている。補助メモリに記憶されたプログラムは、メインメモリにロードされてＣＰＵ１７０１によって実行される。
【０２０１】
有線通信インタフェース１７０３は、有線によって無線基地局１００における他装置（たとえば無線装置１１０）との間で通信を行う通信インタフェースである。有線通信インタフェース１７０４は、有線によって無線基地局１００の上位装置との間で通信を行う通信インタフェースである。有線通信インタフェース１７０３，１７０４のそれぞれは、ＣＰＵ１７０１によって制御される。
【０２０２】
図１に示したＩＦ処理部１２１は、たとえば有線通信インタフェース１７０３により実現することができる。図１に示した第２処理部１２２および制御部１２３のそれぞれは、たとえばＣＰＵ１７０１および有線通信インタフェース１７０３の少なくともいずれかにより実現することができる。また、第２処理部１２２と無線基地局１００の上位装置との間の信号の伝送は、たとえば有線通信インタフェース１７０４により行うことができる。
【０２０３】
また、無線制御装置１２０のハードウェア構成は図１７に示したハードウェア構成に限らない。たとえば、ＣＰＵ１７０１やメモリ１７０２に対応する構成を、ＦＰＧＡやＤＳＰなどを用いて実現してもよい。
【０２０４】
このように、実施の形態１によれば、無線装置１１０が、基地局信号処理のうちの無線装置１１０の第１信号処理に関する構成情報を伝送路１０１により無線制御装置１２０へ通知することができる。
【０２０５】
これにより、たとえば、無線制御装置１２０が、通知された構成情報に基づいて、基地局信号処理のうちの無線制御装置１２０の第２信号処理の制御を行うことができる。または、無線制御装置１２０が、通知された構成情報に基づいて、無線装置１１０との間の信号を伝送路により伝送するための伝送方法の制御を行うことができる。伝送方法の制御には、たとえば信号を伝送するためのプロトコルの設定と、伝送する信号のデータ種別の設定と、の少なくともいずれかが含まれる。または、無線制御装置１２０が、通知された構成情報に基づいて、基地局信号処理のうちの無線制御装置１２０の第２信号処理の制御と、無線装置１１０との間の信号を伝送路により伝送するための伝送方法の制御と、を行うことができる。
【０２０６】
このため、たとえば無線装置１１０によって基地局信号処理の分離ポイントが異なっていても、無線装置１１０および無線制御装置１２０の間で信号を伝送し、無線装置１１０と無線制御装置１２０がそれぞれ第１信号処理と第２信号処理を行うことができる。このため、基地局信号処理の複数通りの分離ポイントを混在させることが可能になる。
【０２０７】
また、無線装置１１０が無線制御装置１２０へ無線装置１１０の構成情報を通知する構成について説明したが、無線制御装置１２０が無線装置１１０へ無線制御装置１２０の構成情報を通知する構成としてもよい。すなわち、基地局信号処理のうちの無線制御装置１２０の第２信号処理に関する構成情報を伝送路により無線装置１１０へ通知する第２通知部（たとえば図１，図１８の通知部１２４）が無線制御装置１２０に設けられてもよい。
【０２０８】
これにより、たとえば、無線装置１１０が、通知された構成情報に基づいて、基地局信号処理のうちの無線装置１１０の第１信号処理の制御を行うことができる。または、無線装置１１０が、通知された構成情報に基づいて、無線制御装置１２０との間の信号を伝送路により伝送するための伝送方法の制御を行うことができる。または、無線装置１１０が、通知された構成情報に基づいて、基地局信号処理のうちの無線装置１１０の第１信号処理の制御と、無線制御装置１２０との間の信号を伝送路により伝送するための伝送方法の制御と、を行うことができる。
【０２０９】
このため、たとえば無線制御装置１２０によって基地局信号処理の分離ポイントが異なっていても、無線装置１１０と無線制御装置１２０との間で信号を伝送し、無線装置１１０と無線制御装置１２０がそれぞれ第１信号処理と第２信号処理を行うことができる。このため、基地局信号処理の複数通りの分離ポイントを混在させることが可能になる。
【０２１０】
無線制御装置１２０から無線装置１１０への構成情報の通知方法は、上述した無線装置１１０から無線制御装置１２０への構成情報の通知方法と同様である。また、無線制御装置１２０から通知された構成情報に基づく無線装置１１０による制御は、上述した無線装置１１０から通知された構成情報に基づく無線制御装置１２０による制御と同様である。
【０２１１】
また、これらの構成を組み合わせてもよい。すなわち、無線装置１１０が無線制御装置１２０へ無線装置１１０の構成情報を通知し、かつ無線制御装置１２０が無線装置１１０へ無線制御装置１２０の構成情報を通知する構成としてもよい。
【０２１２】
また、実施の形態１によれば、無線制御装置１２０に対して無線装置１１０ａ，１１０ｂを接続し、無線制御装置１２０と無線装置１１０ａとの間の信号と、無線制御装置１２０と無線装置１１０ｂとの間の信号と、を同一の伝送路を介して送信することができる。このため、無線基地局における信号処理を分離する複数のポイントを混在させることが可能になる。
【０２１３】
たとえば、無線制御装置１２０は、無線装置１１０ａへの第１信号に、無線装置１１０ａの第１信号処理に含まれる処理に応じた識別情報を第１信号に付加してもよい。また、無線制御装置１２０は、無線装置１１０ｂへの第２信号に、無線装置１１０ｂの第１信号処理に含まれる処理に応じた識別情報を付加してもよい。この場合は、無線制御装置１２０は、第１信号に付加した識別情報に基づく伝送方法により第１信号を伝送路により無線装置１１０ａへ伝送する。また、無線制御装置１２０は、第２信号に付加した識別情報に基づく伝送方法により第２信号を伝送路により無線装置１１０ｂへ伝送する。
【０２１４】
これにより、無線装置１１０ａ，１１０ｂが互いに基地局信号処理の分離ポイントが異なっていても、無線装置１１０ａ，１１０ｂに対してそれぞれの基地局信号処理の分離ポイントに応じた伝送方法によって信号を送信することができる。このため、基地局信号処理の複数通りの分離ポイントを混在させることが可能になる。
【０２１５】
また、無線装置１１０ａは、無線制御装置１２０への信号に、無線装置１１０ａの第１信号処理に含まれる処理に応じた識別情報を付加してもよい。この場合は、無線装置１１０ａは、無線制御装置１２０への信号に付加した識別情報に基づく伝送方法により、無線制御装置１２０への信号を伝送路により伝送する。これにより、無線装置１１０ａ，１１０ｂが互いに基地局信号処理の分離ポイントが異なっていても、無線制御装置１２０は、無線装置１１０ａからの信号に付加された識別情報に基づく伝送方法によって無線装置１１０ａからの信号を受信することができる。
【０２１６】
また、実施の形態１において、上述した識別情報の送信を行わない構成としてもよい。この場合においても、上述した構成情報を送信することにより、第１信号処理または第２信号処理の設定や信号の伝送方法の制御を行うことができる。このため、基地局信号処理の複数通りの分離ポイントを混在させることが可能になる。
【０２１７】
また、この場合において、構成情報に基づいて伝送路による伝送方法を宛先ごとに設定する構成としてもよい。これにより、無線制御装置１２０と無線装置１１０ａ，１１０ｂとの間で基地局信号処理の分離ポイントに応じた伝送方法によって信号を送信することができる。このため、基地局信号処理の複数通りの分離ポイントを混在させることが可能になる。
【０２１８】
また、実施の形態１において、上述した構成情報の送信を行わない構成としてもよい。この場合においても、上述した識別情報を送信することにより、無線制御装置１２０と無線装置１１０ａ，１１０ｂとの間で基地局信号処理の分離ポイントに応じた伝送方法によって信号を送信することができる。このため、基地局信号処理の複数通りの分離ポイントを混在させることが可能になる。
【０２１９】
また、無線制御装置１２０に複数の無線装置１１０が直接的または間接的に接続する場合に、無線装置１１０が自装置の構成情報を他の無線装置１１０へ送信する構成としてもよい。
【０２２０】
（実施の形態２）
実施の形態２について、実施の形態１と異なる部分について説明する。実施の形態２においては、たとえば無線制御装置１２０が無線装置１１０から受信した構成情報を無線端末へ送信する構成について説明する。
【０２２１】
（実施の形態２にかかる無線基地局）
図１８は、実施の形態２にかかる無線通信システムの一例を示す図である。図１８において、図１に示した部分と同様の部分については同一の符号を付して説明を省略する。図１８に示すように、実施の形態２にかかる無線通信システム１８００は、たとえば、無線基地局１００と、無線端末１８１０と、を含む。無線端末１８１０は、上述した無線基地局１００と通信を行う無線端末である。
【０２２２】
無線基地局１００は、基地局信号処理のうち、第１処理部１１１による第１信号処理および第２処理部１２２による第２信号処理に関する構成情報を、無線装置１１０が形成するセルと対応付けて無線端末１８１０へ送信する。すなわち、この構成情報は、基地局信号処理の第１信号処理および第２信号処理への配分に応じた上述の基地局信号処理の分離ポイントに関する情報である。無線端末１８１０へ構成情報を送信する処理は、たとえば第２処理部１２２により行うことができる。
【０２２３】
たとえば、無線端末１８１０へ構成情報を送信する処理を第２処理部１２２において行う場合は、制御部１２３は、ＩＦ処理部１２１を介して取得した無線装置１１０の構成情報を第２処理部１２２へ通知する。これに対して、第２処理部１２２は、制御部１２３から通知された構成情報を無線端末１８１０への信号に格納し、構成情報を格納した信号を、ＩＦ処理部１２１を介して無線装置１１０へ送信する。
【０２２４】
これにより、構成情報を無線基地局１００から無線端末１８１０へ送信することができる。ただし、無線装置１１０の構成情報をそのまま無線端末１８１０へ送信する構成に限らない。たとえば、無線基地局１００は、無線装置１１０の構成情報を、データ形式やフォーマットの変換を行ってから無線端末１８１０へ送信してもよい。たとえば、無線基地局１００が無線端末１８１０へ送信する構成情報は、上述した無線基地局１００における基地局信号処理の分離ポイントを無線端末１８１０が特定可能な情報であればよい。
【０２２５】
また、無線基地局１００は、無線制御装置１２０に対して複数の無線装置１１０（たとえば無線装置１１０ａ，１１０ｂ）が接続されている場合は、複数の無線装置１１０のそれぞれについて構成情報を無線端末１８１０へ送信してもよい。この場合は、複数の無線装置１１０について各構成情報を、それぞれ複数の無線装置１１０を用いて送信してもよいし、複数の無線装置１１０のうちの一部の無線装置を用いてまとめて送信してもよい。
【０２２６】
無線端末１８１０は、たとえば、アンテナ１８１１と、通信部１８１２と、制御部１８１３と、を備える。通信部１８１２は、無線装置１１０から無線送信された信号を、アンテナ１８１１を介して受信する。そして、通信部１８１２は、受信した信号を制御部１８１３へ出力する。
【０２２７】
制御部１８１３は、通信部１８１２から出力された信号に含まれる構成情報に基づいて、無線基地局１００が形成するセルを含む各セルの中から自端末の接続先のセルを選択する。そして、制御部１８１３は、選択したセルへ自端末が接続するための制御を行う。
【０２２８】
（実施の形態２にかかる無線通信システムにおける処理）
図１９は、実施の形態２にかかる無線通信システムにおける処理の一例を示すシーケンス図である。図１９においては、図９に示したＣＵ９２１（＃１）およびＤＵ９１１，９１２（＃１，＃２）により無線基地局１００を実現する場合について説明する。この場合に、たとえば図８に示した無線制御装置１２０および無線装置１１０ａ，１１０ｂをそれぞれＣＵ９２１およびＤＵ９１１，９１２に適用することができる。
【０２２９】
ＣＵ９２１に対してＤＵ９１１，９１２が接続された状態で、たとえば図１９に示す各ステップが実行される。図１９に示すステップＳ１９０１〜Ｓ１９０５は、図１０に示したステップＳ１００１〜Ｓ１００５と同様である。
【０２３０】
ステップＳ１９０５のつぎに、ＣＵ９２１が、ステップＳ１９０２，Ｓ１９０４により受信した構成情報に基づいてＤＵリストを生成する（ステップＳ１９０６）。ＤＵリストは、上述した複数の無線装置１１０についての各構成情報を含む情報である。ＤＵリストの例については後述する。ステップＳ１９０６において、ＤＵリストを生成済みである場合は、ＣＵ９２１は、ステップＳ１９０２，Ｓ１９０４により受信した構成情報に基づいて、生成済みのＤＵリストを更新してもよい。
【０２３１】
つぎに、ＣＵ９２１とＤＵ９１１，９１２との間でデータ伝送が行われる（ステップＳ１９０７）。これにより、ＣＵ９２１がＤＵ９１１，９１２を介して無線端末との間でデータ伝送を行うことが可能になる。また、ステップＳ１９０７により伝送されるデータのうちの下りデータには、ステップＳ１９０６により生成または更新されたＤＵリストが含まれる。すなわち、ＣＵ９２１は、ＤＵ９１１，９１２の少なくともいずれかにより、ステップＳ１９０６により生成または更新したＤＵリストを無線端末１８１０へ送信する。
【０２３２】
つぎに、無線端末１８１０が、ステップＳ１９０７において受信したＤＵリストに基づいて、無線基地局１００が形成するセルを含む各セルの中から自端末の接続先のセルを選択するセル選択を行う（ステップＳ１９０８）。
【０２３３】
図１９に示したＣＵ９２１（＃１）およびＤＵ９１１，９１２（＃１，＃２）により無線基地局１００を実現する場合の処理について説明したが、他のＣＵとＤＵにより無線基地局１００を実現する場合の処理についても同様である。
【０２３４】
また、無線基地局１００によるＤＵリストの送信は、無線端末１８１０などの無線端末に対して個別に行ってもよいし、無線基地局１００のセル内の各無線端末へブロードキャスト（報知）することによって行ってもよい。なお、各無線端末に対して、システム情報または共通制御情報として報知してもよい。
【０２３５】
（実施の形態２にかかるＤＵリスト）
図２０は、実施の形態２にかかるＤＵリストの一例を示す図である。無線基地局１００は、たとえば図２０に示すＤＵリスト２０００を無線端末１８１０へ送信する。ＤＵリスト２０００は、無線基地局１００が備えるＤＵ（無線装置１１０）ごとに、ＤＵ識別子と、セルＩＤと、下り周波数と、セル選択パラメータと、ＤＵカテゴリと、が含まれる。
【０２３６】
まず、ＤＵリスト２０００のＤＵ識別子について説明する。ＤＵ識別子は、無線装置１１０に対応するＤＵの識別子である。ＤＵ識別子には、一例としては０〜１０２３の１０２４通りの値が用いられる。図２０に示す例では、無線基地局１００の無線制御装置１２０には無線装置１１０として３個のＤＵが接続されており、この３個のＤＵのＤＵ識別子がそれぞれ１〜３である。
【０２３７】
つぎに、ＤＵリスト２０００のセルＩＤについて説明する。セルＩＤは、無線装置１１０に対応するＤＵが形成するセルの識別子である。セルＩＤには、一例としては０〜５０３の５０４通りの値が用いられる。図２０に示す例では、３個のＤＵが形成する各セルのセルＩＤがそれぞれ１０，１０，１１である。すなわち、３個のＤＵのうちの２個のＤＵは、セルＩＤ＝１０の同一のセルを形成し、残りの１個のＤＵはセルＩＤ＝１１のセルを形成する。
【０２３８】
無線基地局１００においては、たとえば１個のセルに対して１個のＤＵが割り当てられる。ただし、たとえば１個のＤＵが１アンテナに相当すると考えると、複数のアンテナを用いるＭＩＭＯ、ＡＡＡ、ダイバーシチなどにおいては、１個のセルに対して複数のＤＵが設定される。ＭＩＭＯはＭｕｌｔｉｐｌｅ  Ｉｎｐｕｔ  Ｍｕｌｔｉｐｌｅ  Ｏｕｔｐｕｔ（多元入力多元出力）の略である。ＡＡＡはＡｄａｐｔｉｖｅ  Ａｒｒａｙ  Ａｎｔｅｎｎａの略である。なお、ＡＡＡはビームフォーミング（ｂｅａｍ  ｆｏｒｍｉｎｇ）と同等と考えることもできる。
【０２３９】
また、５Ｇにおいて、１個のセルに対して複数のＤＵが割り当てられる可能性もある。すなわち、Ｆ−ＯＦＤＭなどのシステム帯域内に、サブキャリア間隔やシンボル長が異なり、複数のサブキャリアで構成されたＳＣＢを設定することも検討されており、１個のＳＣＢに対して１個のＤＵが割り当てられる可能性がある。Ｆ−ＯＦＤＭはＦｉｌｔｅｒｅｄ−ＯＦＤＭの略である。ＯＦＤＭはＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重）の略である。ＳＣＢはＳｕｂ  Ｃａｒｒｉｅｒ  Ｂｌｏｃｋの略である。また、ＳＣＢはクラスタや周波数帯域であってもよい。さらに、１個のセルに複数のＳＣＢが設定されてもよい。このため、１個のセルに対して複数のＤＵが割り当てられる可能性がある。
【０２４０】
たとえばＬＴＥのセルＩＤは１６８×３の５０４通りであるが、５Ｇにおいては５０４通りではない可能性もある。また、マッシブＭＩＭＯ（ｍａｓｓｉｖｅ  ＭＩＭＯ）の導入により、各ビームに対してセルＩＤまたはビームＩＤが付与されたり、上述のようにＳＣＢごとにセルＩＤまたはＳＣＢ  ＩＤが付与されたりする可能性もある。これらを考慮し、ＤＵリスト２０００にセルＩＤを含めてもよい。なお、後述のＬＴＥの隣接セルリストにもセルＩＤが含まれている。
【０２４１】
ＤＵリスト２０００の下り周波数について説明する。下り周波数は、対応するＤＵが無線端末１８１０へ送信可能な無線信号の周波数［ＭＨｚ］である。なお、ＬＴＥの隣接セルリストと同様に、下り周波数そのものではなく、下り周波数から計算した値をＤＵリスト２０００に用いてもよい。この値の計算式には、一例としては３ＧＰＰのＴＳ３６．１０１  ５．７．３で規定されている式を用いてもよい。
【０２４２】
また、ＤＵリスト２０００の下り周波数は、一例としては下り周波数の中心周波数であるが、帯域幅が既知であれば下り周波数の下限または上限の周波数であってもよい。また、下り周波数に代えて、または下り周波数に加えて、上り周波数をＤＵリスト２０００に含めてもよい。また、下り周波数や上り周波数の帯域幅をＤＵリスト２０００に含めてもよい。これらは、ＦＤＤを前提としているが、ＴＤＤの場合は、上り周波数と下り周波数が一致しているため、周波数を付加しなくてもよいし、付加してもよい。ＦＤＤはＦｒｅｑｕｅｎｃｙ  Ｄｉｖｉｓｉｏｎ  Ｄｕｐｌｅｘ（周波数分割複信）の略である。ＴＤＤはＴｉｍｅ  Ｄｉｖｉｓｉｏｎ  Ｄｕｐｌｅｘ（時分割複信）の略である。
【０２４３】
ＤＵリスト２０００のセル選択パラメータについて説明する。セル選択パラメータは、無線端末１８１０がセルを選択するためのパラメータである。たとえばＬＴＥの隣接セルリストにはセル再選択のためのパラメータが含まれている。これと同様に、ＤＵリスト２０００にセル選択パラメータを含めることも可能である。セル選択パラメータは、セルの再選択に限らず初回の選択に用いることができるパラメータであってもよい。
【０２４４】
無線端末１８１０におけるセル選択は、たとえば、受信電力と受信品質とに基づいて行われる。受信電力は、ＬＴＥであればＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）である。受信品質は、ＬＴＥであればＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）である。また、ＬＴＥのセル選択には、受信電力や受信品質に対して補正を行うパラメータが用いられる。なお、実際のセル選択パラメータは、たとえばオフセット値や係数などであり、一例としては３ＧＰＰのＴＳ３６．３０４の５．２．３や５．２．４等に規定されたパラメータを用いることができる。また、パラメータの具体的な値は、一例としては３ＧＰＰのＴＳ３６．３３１等に規定されている。
【０２４５】
ＤＵリスト２０００のＤＵカテゴリについて説明する。ＤＵカテゴリは、上述した基地局信号処理の分離ポイントに対応するＤＵカテゴリである（たとえば図１５参照）。たとえば、基地局信号処理の分離ポイントとＤＵカテゴリとは一対一の関係になる。図２０に示す例では、ＤＵ識別子が１〜３の各ＤＵのＤＵカテゴリはそれぞれ１，３，５である。
【０２４６】
無線端末１８１０は、無線基地局１００から送信されたＤＵリスト２０００に基づいて接続先のセルを選択する。このとき、無線端末１８１０は、たとえばＤＵリスト２０００に含まれるＤＵカテゴリをセル選択に用いる。ＤＵカテゴリに基づくセル選択には各種の方法を用いることができる。
【０２４７】
たとえば、無線装置１１０の第１信号処理に含まれる処理が少ないＤＵカテゴリほど、同一のユーザデータを伝送する場合におけるＣＵ−ＤＵ間インタフェースによる信号の伝送量が少なくなる。このため、多数のユーザのためのユーザデータの伝送が可能になる。一方、無線装置１１０の第１信号処理に含まれる処理が多いＤＵカテゴリほど、同一のユーザデータを伝送する場合におけるＣＵ−ＤＵ間インタフェースによる信号の伝送量が多くなる。このため、ＣＵ−ＤＵ間インタフェースの速度制限により多数のユーザのためのユーザデータの伝送が困難になる。
【０２４８】
これに対して、無線端末１８１０は、たとえば、無線基地局１００との間で伝送するデータのＱｏＳが大容量の信号伝送を要するＱｏＳである場合は、第１信号処理に含まれる処理が比較的に少ないまたは信号処理の処理時間の短いＤＵカテゴリのセルを選択する。ＱｏＳはＱｕａｌｉｔｙ  ｏｆ  Ｓｅｒｖｉｃｅの略である。また、無線端末１８１０は、無線基地局１００との間で伝送するデータのＱｏＳが大容量の伝送を要しないＱｏＳである場合は、第１信号処理に含まれる処理が比較的に多いまたは信号処理の処理時間の長いＤＵカテゴリのセルを選択する。
【０２４９】
また、基地局信号処理の分離ポイントによって、上述のＣＵ−ＤＵ間インタフェースによる信号の伝送量に限らず、伝送遅延、誤り率またはスケジューリング精度などが異なる場合がある。このような場合は、無線端末１８１０は、無線基地局１００との間で伝送するデータのＱｏＳにおいて要求される伝送遅延、誤り率またはスケジューリング精度などに応じてセルを選択してもよい。
【０２５０】
つぎに、隣接セルリストについて説明する。たとえば、ＬＴＥにおいては、セル再選択のための隣接セル（ｎｅｉｇｈｂｏｕｒｉｎｇ  ｃｅｌｌ）を規定するＳＩＢ４やＳＩＢ５が用いられている。ＳＩＢはＳｙｓｔｅｍ  Ｉｎｆｏｒｍａｔｉｏｎ  Ｂｌｏｃｋ（システム情報ブロック）の略である。
【０２５１】
ＳＩＢ４は、ｉｎｔｒａ−ｆｒｅｑｕｅｎｃｙすなわち同一の周波数の隣接セルリストに関するシステム情報である。ＳＩＢ４のリストの中身は、ＰｈｙｓＣｅｌｌＩｄ（物理セルＩＤやＰＣＩと呼ぶ場合もある）、すなわちセルＩＤとセル再選択に使用するパラメータであるｑ−ＯｆｆｓｅｔＣｅｌｌで構成されている。なお、セル再選択に用いるパラメータについては、たとえば３ＧＰＰのＴＳ３６．３０４に規定されている。
【０２５２】
ＳＩＢ５は、ｉｎｔｅｒ−ｆｒｅｑｕｅｎｃｙすなわち異なる周波数の隣接セルリストに関するシステム情報である。ＳＩＢ５には、たとえばｉｎｔｅｒＦｒｅｑＣａｒｒｉｅｒＦｒｅｑＬｉｓｔとして下り周波数（ｄｌ−ＣａｒｒｉｅｒＦｒｅｑ）、ＮｅｉｇｈＣｅｌｌＣｏｎｆｉｇ、ｉｎｔｅＦｒｅｑＮｅｉｇｈＣｅｌｌＬｉｓｔおよびセル再選択のパラメータが含まれている。ＮｅｉｇｈＣｅｌｌＣｏｎｆｉｇは、隣接セルがＭＢＳＦＮであるか否かを示す情報やＴＤＤのＵＬ／ＤＬの設定の情報などを含む。ＭＢＳＦＮはＭＢＭＳ  Ｓｉｎｇｌｅ  Ｆｒｅｑｕｅｎｃｙ  Ｎｅｔｗｏｒｋの略である。ＭＢＭＳはＭｕｌｔｉｍｅｄｉａ  Ｂｒｏａｄｃａｓｔ  ａｎｄ  Ｍｕｌｔｉｃａｓｔ  Ｓｅｒｖｉｃｅの略である。ＴＤＤはＴｉｍｅ  Ｄｉｖｉｓｉｏｎ  Ｄｕｐｌｅｘ（時分割複信）の略である。ＵＬ／ＤＬはアップリンク（Ｕｐ  Ｌｉｎｋ）およびダウンリンク（Ｄｏｗｎ  Ｌｉｎｋ）の略である。また、ｉｎｔｅＦｒｅｑＮｅｉｇｈＣｅｌｌＬｉｓｔにはＳＩＢ４と同様にセルＩＤとセル再選択のパラメータが含まれている。このように、隣接セルリストには、周波数、セルＩＤ、セル再選択のパラメータが含まれている。
【０２５３】
上述したＤＵリスト２０００は、一例としては、このような隣接セルリストに対して、ＤＵごとのＤＵカテゴリを追加した情報とすることができる。ただし、ＤＵリスト２０００はこのような情報に限らず、たとえばＤＵごとのＤＵカテゴリを示す各種の情報とすることができる。また、上述のカテゴリに相当する情報として、種別、タイプ、ケイパビリティなど各種の名称の情報を用いることができる。
【０２５４】
（実施の形態２にかかる無線端末のハードウェア構成）
図２１は、実施の形態２にかかる無線端末のハードウェア構成の一例を示す図である。図１８に示した無線端末１８１０は、たとえば図２１に示す通信装置２１００によって実現することができる。通信装置２１００は、ＣＰＵ２１０１と、メモリ２１０２と、ユーザインタフェース２１０３と、無線通信インタフェース２１０４と、を備える。ＣＰＵ２１０１、メモリ２１０２、ユーザインタフェース２１０３および無線通信インタフェース２１０４は、バス２１０９によって接続される。
【０２５５】
ＣＰＵ２１０１は、通信装置２１００の全体の制御を司る。メモリ２１０２には、たとえばメインメモリおよび補助メモリが含まれる。メインメモリは、たとえばＲＡＭである。メインメモリは、ＣＰＵ２１０１のワークエリアとして使用される。補助メモリは、たとえば磁気ディスク、フラッシュメモリなどの不揮発メモリである。補助メモリには、通信装置２１００を動作させる各種のプログラムが記憶されている。補助メモリに記憶されたプログラムは、メインメモリにロードされてＣＰＵ２１０１によって実行される。
【０２５６】
ユーザインタフェース２１０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース２１０３は、ＣＰＵ２１０１によって制御される。
【０２５７】
無線通信インタフェース２１０４は、無線によって通信装置２１００の外部（たとえば無線基地局１００）との間で通信を行う通信インタフェースである。無線通信インタフェース２１０４は、ＣＰＵ２１０１によって制御される。
【０２５８】
図１８に示したアンテナ１８１１は、たとえば無線通信インタフェース２１０４に含まれる。図１８に示した通信部１８１２および制御部１８１３のそれぞれは、たとえばＣＰＵ２１０１および無線通信インタフェース２１０４の少なくともいずれかにより実現することができる。
【０２５９】
また、無線端末１８１０のハードウェア構成は図２１に示したハードウェア構成に限らない。たとえば、ＣＰＵ２１０１やメモリ２１０２に対応する構成を、ＦＰＧＡやＤＳＰなどを用いて実現してもよい。
【０２６０】
このように、実施の形態２によれば、基地局信号処理のうちの無線装置１１０の第１信号処理に関する構成情報を無線端末１８１０へ送信することができる。これにより、無線端末１８１０は、基地局信号処理の分離ポイントに応じて自端末の接続先のセルを選択することが可能になる。
【０２６１】
また、無線制御装置１２０が無線装置１１０の構成情報を無線端末１８１０へ送信する構成について説明したが、無線装置１１０が無線制御装置１２０の構成情報を無線端末１８１０へ送信する構成としてもよい。
【０２６２】
なお、上述の構成情報に応じたセル選択は、無線端末１８１０ではなく無線基地局１００において行ってもよい。この場合は、無線基地局１００から構成情報を無線端末１８１０へ送信しなくてもよい。
【０２６３】
また、上述したＤＵごとのＤＵカテゴリを示すＤＵリストに代えて、またはＤＵリストに加えて、ＣＵごとのＣＵカテゴリを示すＣＵリストを無線端末１８１０へ送信する構成としてもよい。ＣＵカテゴリは、たとえばＣＵの第２信号処理に含まれる処理に応じた分離ポイントに対応するカテゴリである。
【０２６４】
以上説明したように、無線基地局、無線装置、無線制御装置、無線通信システム、通信方法および無線端末によれば、無線基地局における信号処理の複数通りの分離ポイントの混在を可能にすることができる。
【０２６５】
たとえば、将来、マッシブＭＩＭＯやビームフォーミングの導入に伴うアンテナ数の増加が想定される。これらの技術においては、アンテナごとに送信データが異なり、かつアンテナごとにＤＵを要する。このため、ＣＵ−ＤＵ間インタフェースにおいて伝送されるデータの量が増加する。これに対して、たとえばＣＰＲＩの伝送速度は最大で２４［ＧＨｚ］であり、このようなデータの量の増大に対応できない可能性がある。このため、ＣＵ−ＤＵ間インタフェースとして新たなインタフェース（プロトコル）の検討を要する。
【０２６６】
また、ＣＵに対して複数のＤＵをカスケード接続してマルチホップ伝送を行う構成が検討されている。この場合に、複数のＤＵが対応する基地局信号処理の分離ポイントが異なると、ＣＵ−ＤＵ間インタフェースにおいてデータ種別が異なる各信号が伝送されることになる。たとえば、複数のＤＵが対応する基地局信号処理の分離ポイントが異なる例として、４ＧのＤＵ（たとえばＲＲＨ）と５ＧのＤＵ（たとえばＲＥ）をＣＵに接続する構成が考えられる。したがって、ＣＵ−ＤＵ間インタフェースにおいて、基地局信号処理の複数通りの分離ポイントに対応することを要する。
【０２６７】
また、ＣＵに対して複数のＣＵをスター接続する構成においても、複数のＤＵが対応する基地局信号処理の分離ポイントが異なると、各ＤＵに対応するＣＵ−ＤＵ間インタフェースにおいてデータ種別が異なる各信号が伝送されることになる。したがって、各ＤＵに対応するＣＵ−ＤＵ間インタフェースにおいて、基地局信号処理の分離ポイントによって異なる信号の伝送方法を特定することを要する。
【０２６８】
また、現在、基地局信号処理の分離ポイントについて多数の候補が検討されている。これらの基地局信号処理の分離ポイントの候補は、たとえば３ＧＰＰのＴＲ３８．８０１のＶ０．２．０  ６．１．２．１等において検討されている。そして、これらの候補のうちの複数の候補が採用され、基地局信号処理の複数通りの分離ポイントをシステム内や無線基地局内で混在させることが考えられる。
【０２６９】
これに対して、上述した各実施の形態によれば、基地局信号処理の複数通りの分離ポイントを混在させることが可能になる。
【０２７０】
なお、上述した各実施の形態においては、複数の無線装置１１０（ＤＵ）の接続方法としてカスケード接続やスター接続を説明したが、複数の無線装置１１０の接続方法はこれらに限らない。たとえば、複数の無線装置１１０をリンク接続する構成としてもよい。
【符号の説明】
【０２７１】
１００  無線基地局
１０１，７０１，８０１  伝送路
１１０，１１０ａ，１１０ｂ  無線装置
１１１，１１１ａ，１１１ｂ  第１処理部
１１２，１１２ａ，１１２ｂ，１２１，１２１ａ，１２１ｂ  ＩＦ処理部
１１３，１１３ａ，１１３ｂ，１２４  通知部
１１５，１１５ａ，１１５ｂ，１８１１  アンテナ
１２０  無線制御装置
１２２，１２２ａ，１２２ｂ  第２処理部
１２３，１８１３  制御部
２０１，７１１，７２１  物理層処理部
２０２，２０２ａ，７２２  ＤＡＣ／ＡＤＣ
２０３，２０３ａ，７２３  ＢＢ処理部
２０４，２０４ａ，２０４ｂ  ＭＡＣ処理部
２０５，２０５ａ  ＲＬＣ処理部
２０６，２０６ａ，２０６ｂ  ＰＤＣＰ処理部
７３０  分配部
９００  移動体通信網
９１１〜９１８  ＤＵ
９２１〜９２３  ＣＵ
９３１，９３２  ＭＭＥ
９４１，９４２  ＳＧＷ
９５０  ＰＧＷ
１３００  信号
１３０１  混在情報
１３０２  プリアンブル
１３０３  ＳＦＤ
１３０４  宛先アドレス
１３０５  送信元アドレス
１３０６  ＤＵカテゴリ
１３０７  データ種別／プロトコル情報
１３０８  長さ／タイプ情報
１３０９  クライアントデータ
１３１０  フレームチェックシーケンス
１４０１  分離ポイント
１５００  テーブル
１６００，２１００  通信装置
１６０１，１７０１，２１０１  ＣＰＵ
１６０２，１７０２，２１０２  メモリ
１６０３，１７０３，１７０４  有線通信インタフェース
１６０４，２１０４  無線通信インタフェース
１６０９，１７０９，２１０９  バス
１７００  情報処理装置
１８００  無線通信システム
１８１０  無線端末
１８１２  通信部
２０００  ＤＵリスト
２１０３  ユーザインタフェース
【図１】
2018029853.tif 000003
【図２】
2018029853.tif 000004
【図３】
2018029853.tif 000005
【図４】
2018029853.tif 000006
【図５】
2018029853.tif 000007
【図６】
2018029853.tif 000008
【図７】
2018029853.tif 000009
【図８】
2018029853.tif 000010
【図９】
2018029853.tif 000011
【図１０】
2018029853.tif 000012
【図１１】
2018029853.tif 000013
【図１２】
2018029853.tif 000014
【図１３】
2018029853.tif 000015
【図１４】
2018029853.tif 000016
【図１５】
2018029853.tif 000017
【図１６】
2018029853.tif 000018
【図１７】
2018029853.tif 000019
【図１８】
2018029853.tif 000020
【図１９】
2018029853.tif 000021
【図２０】
2018029853.tif 000022
【図２１】
2018029853.tif 000023
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
無線端末と通信を行う無線基地局であって、
自局における信号処理のうち無線信号処理を含む第１信号処理を行う無線装置と、
前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線基地局。
【請求項２】
前記無線制御装置は、通知された前記第１情報と、前記無線装置が形成するセルに関する情報と、を前記無線端末へ通知する処理を行うことを特徴とする請求項１に記載の無線基地局。
【請求項３】
無線装置および無線制御装置を含み、無線端末と通信を行う無線基地局の前記無線装置であって、
前記無線基地局における信号処理のうち無線信号処理を含む第１信号処理を行う処理部と、
前記無線制御装置との間で伝送を実施するためのインタフェース処理部と、
前記第１信号処理に関する情報を前記無線制御装置へ通知する通知部と、
を備えることを特徴とする無線装置。
【請求項４】
無線装置および無線制御装置を含み、無線端末と通信を行う無線基地局の前記無線制御装置であって、
前記無線基地局における信号処理のうち無線信号処理を含む第１信号処理とは異なる第２信号処理を行う処理部と、
前記無線装置との間で伝送を実施するためのインタフェース処理部と、
前記第２信号処理に関する情報を前記無線装置へ通知する通知部と、
を備えることを特徴とする無線制御装置。
【請求項５】
無線端末と、
前記無線端末と通信を行う無線基地局に含まれ、前記無線基地局における信号処理のうち無線信号処理を含む第１信号処理を行う無線装置と、
前記無線基地局に含まれ、前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線通信システム。
【請求項６】
無線装置および無線制御装置を含み、無線端末と通信を行う無線基地局の通信方法であって、
前記無線装置により、自局における信号処理のうち無線信号処理を含む第１信号処理を行い、
前記無線制御装置により、前記第１信号処理と異なる第２信号処理を行い、
前記第１信号処理に関する第１情報の前記無線装置から前記無線制御装置への通知および前記第２信号処理に関する第２情報の前記無線制御装置から前記無線装置への通知の少なくともいずれかを行う、
ことを特徴とする通信方法。
【請求項７】
第１無線装置、第２無線装置および無線制御装置を含み、無線端末と通信を行う無線基地局の前記無線制御装置であって、
前記無線端末との間で伝送する信号のうちの前記第１無線装置を介して伝送する信号に対する前記無線基地局における信号処理のうち、無線信号処理を含む前記第１無線装置の第１信号処理とは異なる第２信号処理を行う第１処理部と、
前記無線端末との間で伝送する信号のうちの前記第２無線装置を介して伝送する信号に対する前記無線基地局における信号処理のうち、無線信号処理を含む前記第２無線装置の第１信号処理とは異なる第２信号処理を行う第２処理部と、
前記第１無線装置との間の前記信号と、前記第２無線装置との間の前記信号と、を同一の伝送路を介して伝送するインタフェース処理部と、
を備えることを特徴とする無線制御装置。
【請求項８】
前記第１処理部は、前記第１無線装置への第１信号に、前記第１無線装置の第１信号処理に関する第１情報を付加し、
前記第２処理部は、前記第２無線装置への第２信号に、前記第２無線装置の第１信号処理に関する第２情報を付加し、
前記インタフェース処理部は、前記第１信号に付加された前記第１情報に基づく伝送方法により前記第１信号を伝送し、前記第２信号に付加された前記第２情報に基づく伝送方法により前記第２信号を伝送する、
ことを特徴とする請求項７に記載の無線制御装置。
【請求項９】
第１無線装置、第２無線装置および無線制御装置を含み、無線端末と通信を行う無線基地局の前記第１無線装置に適用される無線装置であって、
前記無線端末との間で伝送する信号のうちの前記第１無線装置を介して伝送する信号に対する前記無線基地局における信号処理のうち無線信号処理を含む前記第１無線装置の第１信号処理を行う処理部と、
前記第１信号処理とは異なる第２信号処理を行う前記無線制御装置と前記第２無線装置との間の伝送を、実施するためのインタフェース処理部と、
を備えることを特徴とする無線装置。
【請求項１０】
前記処理部は、前記無線制御装置への信号に、前記第１信号処理に関する情報を付加し、
前記インタフェース処理部は、前記無線制御装置への信号に付加された前記情報に基づく伝送方法により前記無線制御装置への信号を伝送する、
ことを特徴とする請求項９に記載の無線装置。
【請求項１１】
無線端末と、
前記無線端末と通信を行う無線基地局に含まれ、前記無線端末との間で伝送する信号のうちの自装置を介して伝送する信号に対する前記無線基地局における信号処理のうち、無線信号処理を含む第１信号処理を行う第１無線装置と、
前記無線基地局に含まれ、前記無線端末との間で伝送する信号のうちの自装置を介して伝送する信号に対する前記無線基地局における信号処理のうち、無線信号処理を含む第１信号処理を行う第２無線装置と、
前記無線基地局に含まれ、前記第１無線装置を介して伝送する信号に対する前記無線基地局における信号処理のうち前記第１無線装置の第１信号処理とは異なる第２信号処理を行い、前記第２無線装置を介して伝送する信号に対する前記無線基地局における信号処理のうち前記第２無線装置の第１信号処理とは異なる第２信号処理を行う無線制御装置と、
を含み、前記第１無線装置と前記無線制御装置との間の前記信号と、前記第２無線装置と前記無線制御装置との間の前記信号と、を同一の伝送路を介して伝送する、
ことを特徴とする無線通信システム。
【請求項１２】
第１無線装置、第２無線装置および無線制御装置を含み、無線端末と通信を行う無線基地局の通信方法であって、
前記第１無線装置が、前記無線端末との間で伝送する信号のうちの前記第１無線装置を介して伝送する信号に対する前記無線基地局における信号処理のうち、無線信号処理を含む前記第１無線装置の第１信号処理を行い、
前記第２無線装置が、前記無線端末との間で伝送する信号のうちの前記第２無線装置を介して伝送する信号に対する前記無線基地局における信号処理のうち、無線信号処理を含む前記第２無線装置の第１信号処理を行い、
前記無線制御装置が、前記無線端末との間で伝送する信号のうちの前記第１無線装置を介して伝送する信号に対する前記無線基地局における信号処理のうち前記第１無線装置の第１信号処理とは異なる第２信号処理を行い、
前記無線制御装置が、前記無線端末との間で伝送する信号のうちの前記第２無線装置を介して伝送する信号に対する前記無線基地局における信号処理のうち前記第２無線装置の第１信号処理とは異なる第２信号処理を行い、
前記第１無線装置と前記無線制御装置との間の前記信号と、前記第２無線装置と前記無線制御装置との間の前記信号と、を同一の伝送路を介して伝送する、
ことを特徴とする通信方法。
【請求項１３】
無線装置および無線制御装置を含む無線基地局と通信を行う無線端末であって、
前記無線基地局における信号処理のうち、前記無線装置における第１信号処理と前記無線制御装置における第２信号処理に関する情報を前記無線基地局から受信する通信部と、
受信した前記情報に基づいてセルを選択する制御部と、
を備えることを特徴とする無線端末。
【請求項１４】
無線装置および無線制御装置を含み無線端末と通信を行う無線基地局であって、自局における信号処理のうち、前記無線装置による第１信号処理と前記無線制御装置による第２信号処理に関する情報を送信する無線基地局と、
受信した前記情報に基づいてセルを選択する無線端末と、
を含むことを特徴とする無線通信システム。
【請求項１５】
無線装置および無線制御装置を含む無線基地局と、前記無線基地局と通信を行う無線端末と、を含む無線通信システムにおける通信方法であって、
前記無線基地局が、自局における信号処理のうち、前記無線装置による第１信号処理と前記無線制御装置による第２信号処理に関する情報を前記無線端末へ送信し、
前記無線端末が、受信した前記情報に基づいてセルを選択する、
ことを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、無線基地局（たとえばｅＮＢ）、無線装置、無線制御装置、無線通信システム、通信方法および無線端末（たとえば移動機やモバイル端末）に関する。
【背景技術】
【０００２】
従来、第３世代移動通信システム（３Ｇ）、第３．９世代移動通信システムに対応するＬＴＥ、第４世代移動通信システムに対応するＬＴＥ−Ａｄｖａｎｃｅｄなどの移動通信システムが知られている。ＬＴＥはＬｏｎｇ  Ｔｅｒｍ  Ｅｖｏｌｕｔｉｏｎの略である。また、第５世代移動通信システム（５Ｇ）に関する技術の検討も開始されている。また、５Ｇにおいては無線基地局における信号処理（または、信号処理機能、機能）をＣＵ（Ｃｅｎｔｅｒ  ＵｎｉｔまたはＣｅｎｔｒａｉｚｅｄ  Ｕｎｉｔ）およびＤＵ（Ｄｉｓｔｒｉｂｕｔｅ  Ｕｎｉｔ）に分離することが検討されている。
【０００３】
また、アドホックネットワークの各無線装置がローカルリンク情報を管理し、Ｈｅｌｌｏメッセージによりローカルリンク情報の構築および送信を行う技術が知られている（たとえば、下記特許文献１参照。）。また、トラフィック制御情報に基づいて、受信パケットに対して優先制御およびルート分離を含むトラフィック制御を行って出力パケットとして出力する技術が知られている（たとえば、下記特許文献２参照。）。
【先行技術文献】
【特許文献】
【０００４】
【特許文献１】特開２００８−１９３５５８号公報
【特許文献２】国際公開第２０１５／１３６８７５号
【発明の概要】
【発明が解決しようとする課題】
【０００５】
しかしながら、上述した従来技術では、ネットワーク内や無線基地局内において、たとえば無線基地局の信号処理をＣＵの信号処理とＤＵの信号処理に分離するポイント（機能分離ポイント（Ｆｕｎｃｔｉｏｎ  Ｓｐｉｌｔ））など、無線基地局における信号処理の分離ポイントを複数通り混在させることが求められる。
【０００６】
１つの側面では、本発明は、無線基地局における信号処理の複数通りの分離ポイントの混在を可能にすることができる無線基地局、無線装置、無線制御装置、無線通信システム、通信方法および無線端末を提供することを目的とする。
【課題を解決するための手段】
【０００７】
上述した課題を解決し、目的を達成するため、本発明の一側面によれば、無線装置および無線制御装置を含み、無線端末と通信を行う無線基地局において、前記無線装置により、自局における信号処理のうち無線信号処理を含む第１信号処理を行い、前記無線制御装置により、前記第１信号処理と異なる第２信号処理を行い、前記第１信号処理に関する第１情報の前記無線装置から前記無線制御装置への通知および前記第２信号処理に関する第２情報の前記無線制御装置から前記無線装置への通知の少なくともいずれかを行う無線基地局、無線装置、無線制御装置、無線通信システム、通信方法および無線端末が提案される。
【０００８】
また、本発明の別の一側面によれば、第１無線装置、第２無線装置および無線制御装置を含み、無線端末と通信を行う無線基地局において、前記第１無線装置が、前記無線端末との間で伝送する信号のうちの前記第１無線装置を介して伝送する信号に対する前記無線基地局における信号処理のうち、無線信号処理を含む前記第１無線装置の第１信号処理を行い、前記第２無線装置が、前記無線端末との間で伝送する信号のうちの前記第２無線装置を介して伝送する信号に対する前記無線基地局における信号処理のうち、無線信号処理を含む前記第２無線装置の第１信号処理を行い、前記無線制御装置が、前記無線端末との間で伝送する信号のうちの前記第１無線装置を介して伝送する信号に対する前記無線基地局における信号処理のうち前記第１無線装置の第１信号処理とは異なる第２信号処理を行い、前記無線制御装置が、前記無線端末との間で伝送する信号のうちの前記第２無線装置を介して伝送する信号に対する前記無線基地局における信号処理のうち前記第２無線装置の第１信号処理とは異なる第２信号処理を行い、前記第１無線装置と前記無線制御装置との間の前記信号と、前記第２無線装置と前記無線制御装置との間の前記信号と、を同一の伝送路を介して伝送する無線基地局、無線装置、無線制御装置、無線通信システム、通信方法および無線端末が提案される。
【０００９】
また、本発明の別の一側面によれば、無線装置および無線制御装置を含む無線基地局と、前記無線基地局と通信を行う無線端末と、を含む無線通信システムにおいて、前記無線基地局が、自局における信号処理のうち、前記無線装置による第１信号処理と前記無線制御装置による第２信号処理に関する情報を前記無線端末へ送信し、前記無線端末が、受信した前記情報に基づいてセルを選択する無線基地局、無線装置、無線制御装置、無線通信システム、通信方法および無線端末が提案される。
【発明の効果】
【００１０】
本発明の一側面によれば、無線基地局における信号処理の複数通りの分離ポイントの混在を可能にすることができるという効果を奏する。
【図面の簡単な説明】
【００１１】
【図１】図１は、実施の形態１にかかる無線基地局の一例を示す図である。
【図２】図２は、実施の形態１にかかる基地局信号処理の分離例１を示す図である。
【図３】図３は、実施の形態１にかかる基地局信号処理の分離例２を示す図である。
【図４】図４は、実施の形態１にかかる基地局信号処理の分離例３を示す図である。
【図５】図５は、実施の形態１にかかる基地局信号処理の分離例４を示す図である。
【図６】図６は、実施の形態１にかかる基地局信号処理の分離例５を示す図である。
【図７】図７は、実施の形態１にかかる無線基地局において異なる無線装置を混在させた構成の一例を示す図である。
【図８】図８は、実施の形態１にかかる無線基地局において異なる無線装置を混在させた構成の他の一例を示す図である。
【図９】図９は、実施の形態１にかかる無線基地局を適用可能な移動体通信網の一例を示す図である。
【図１０】図１０は、実施の形態１にかかる移動体通信網における処理の一例を示すシーケンス図である。
【図１１】図１１は、実施の形態１にかかる移動体通信網における処理の他の一例を示すシーケンス図である。
【図１２】図１２は、実施の形態１にかかる移動体通信網における処理のさらに他の一例を示すシーケンス図である。
【図１３】図１３は、実施の形態１にかかる識別情報を付加された信号のフォーマットの一例を示す図である。
【図１４】図１４は、実施の形態１にかかる識別情報を付加された信号のフォーマットの他の一例を示す図である。
【図１５】図１５は、実施の形態１にかかる基地局信号処理の分離ポイントごとのＤＵカテゴリの一例を示す図である。
【図１６】図１６は、実施の形態１にかかる無線装置のハードウェア構成の一例を示す図である。
【図１７】図１７は、実施の形態１にかかる無線制御装置のハードウェア構成の一例を示す図である。
【図１８】図１８は、実施の形態２にかかる無線通信システムの一例を示す図である。
【図１９】図１９は、実施の形態２にかかる無線通信システムにおける処理の一例を示すシーケンス図である。
【図２０】図２０は、実施の形態２にかかるＤＵリストの一例を示す図である。
【図２１】図２１は、実施の形態２にかかる無線端末のハードウェア構成の一例を示す図である。
【発明を実施するための形態】
【００１２】
以下に図面を参照して、本発明にかかる無線基地局、無線装置、無線制御装置、無線通信システム、通信方法および無線端末の実施の形態を詳細に説明する。
【００１３】
（実施の形態１）
（実施の形態１にかかる無線基地局）
図１は、実施の形態１にかかる無線基地局の一例を示す図である。図１に示すように、実施の形態１にかかる無線基地局１００は、無線装置１１０と、無線制御装置１２０と、を含む。また、無線基地局１００は、複数の無線装置１１０を含んでいてもよい。また、無線基地局１００は、無線端末と通信を行う。無線端末との間で無線通信には、たとえば、無線基地局１００から無線端末への下り信号の送信と、無線端末から無線基地局１００への上り信号の送信と、の少なくともいずれかが含まれる。
【００１４】
無線装置１１０と無線制御装置１２０との間は伝送路１０１により接続されている。伝送路１０１は、たとえば無線装置１１０と無線制御装置１２０とを接続する有線の伝送路である。たとえば、伝送路１０１において双方向の信号伝送が行われる場合は、双方向の信号伝送は、たとえば互いに異なる波長を用いたＷＤＭ（Ｗａｖｅｌｅｎｇｔｈ  Ｄｉｖｉｓｉｏｎ  Ｍｕｌｔｉｐｌｅｘｉｎｇ：波長分割多重）により行われる。なお、ＷＤＭ以外の方法を用いてもよい。
【００１５】
伝送路１０１による信号の伝送には、電気信号の伝送や光信号の伝送を用いることができる。たとえば、伝送路１０１による信号の伝送には、ＣＰＲＩ（Ｃｏｍｍｏｎ  Ｐｕｂｌｉｃ  Ｒａｄｉｏ  Ｉｎｔｅｒｆａｃｅ）やＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）を用いることができる。ＣＰＲＩは、一例としてはＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の８０３に規定されている。ただし、伝送路１０１による信号の伝送には、これらに限らず各種の伝送方法を用いることができる。
【００１６】
無線装置１１０は、アンテナ１１５を用いて無線端末との間で無線による信号の送受信を行う。一例としては、無線装置１１０は、５Ｇにおいて検討されているＤＵに適用することができる。たとえば、無線装置１１０は、第１処理部１１１と、ＩＦ処理部１１２と、通知部１１３と、アンテナ１１５と、を備える。なお、第１処理部を第１信号処理部と称してもよい。また、無線装置１１０は、通知部１２４を備えていてもよい。
【００１７】
第１処理部１１１は、無線基地局１００が無線端末との間で伝送する信号に対する無線基地局１００による各処理（以下、基地局信号処理と称する。）のうち、無線信号処理を含む第１信号処理を行う。無線信号処理は、たとえばアンテナ１１５を用いた無線による信号の送受信、信号の増幅処理やフィルタを用いた不要信号の除去などである。信号の送受信は、信号の送信および信号の受信の少なくともいずれかである。
【００１８】
たとえば、第１処理部１１１は、無線端末から無線送信された信号に対して第１信号処理に含まれる受信処理を行い、第１信号処理に含まれる受信処理を行った信号をＩＦ処理部１１２へ出力する。第１信号処理に含まれる受信処理には、アンテナ１１５による信号の受信が含まれる。また、第１処理部１１１は、ＩＦ処理部１１２から出力された信号に対して第１信号処理に含まれる送信処理を行う。第１信号処理に含まれる送信処理には、アンテナ１１５による無線端末への信号の無線送信が含まれる。
【００１９】
ＩＦ処理部１１２は、伝送路１０１を介して無線制御装置１２０と通信を行うインタフェース（ＩＦ）処理部である。たとえば、ＩＦ処理部１１２は、第１処理部１１１から出力された信号を、伝送路１０１を介して無線制御装置１２０へ送信する。また、ＩＦ処理部１１２は、無線制御装置１２０から伝送路１０１を介して送信された信号を受信し、受信した信号を第１処理部１１１へ出力する。
【００２０】
また、ＩＦ処理部１１２は、通知部１１３から出力された構成情報を、伝送路１０１を介して無線制御装置１２０へ送信する。また、ＩＦ処理部１１２は、構成情報の送信を要求する構成情報要求信号を無線制御装置１２０から受信した場合に、受信した構成情報要求信号を通知部１１３へ出力してもよい。
【００２１】
通知部１１３は、基地局信号処理のうちの第１処理部１１１が行う第１信号処理に含まれる処理（基地局信号処理の第１信号処理への配分）、機能または機能分離に応じた構成情報をＩＦ処理部１１２へ出力する。これにより、構成情報を伝送路１０１により無線制御装置１２０へ送信することができる。構成情報については後述する。
【００２２】
たとえば、通知部１１３は、無線制御装置１２０と無線装置１１０とが接続された場合に構成情報をＩＦ処理部１１２へ出力する。また、通知部１１３は、ＩＦ処理部１１２から構成情報要求信号が出力された場合に構成情報をＩＦ処理部１１２へ出力してもよい。また、通知部１１３は、無線制御装置１２０と無線装置１１０とが接続された状態で、無線装置１１０の管理者から構成情報の出力の指示を受け付けた場合に構成情報をＩＦ処理部１１２へ出力してもよい。
【００２３】
また、たとえば、無線装置１１０のメモリ（たとえば不揮発メモリ）には、第１処理部１１１の第１信号処理に関する構成情報が記憶されている。この場合に、通知部１１３は、無線制御装置１２０のメモリに記憶された構成情報を読み出し、読み出した構成情報をＩＦ処理部１１２へ出力する。
【００２４】
または、無線装置１１０のメモリ（たとえば不揮発メモリ）には、第１処理部１１１の第１信号処理に応じた情報であって、構成情報を生成するための情報が記憶されていてもよい。この場合に、通知部１１３は、無線装置１１０のメモリに記憶された情報を読み出し、読み出した情報に基づいて構成情報を生成する。そして、通知部１１３は、生成した構成情報をＩＦ処理部１１２へ出力する。または、通知部１１３は、第１処理部１１１の第１信号処理に関する構成情報を第１処理部１１１から取得してもよい。
【００２５】
無線制御装置１２０は、無線装置１１０と無線装置１１０の上位装置との間に設けられ、無線装置１１０による無線信号処理を制御する。無線装置１１０の上位装置は、たとえば無線装置１１０が設けられた移動体通信網（無線通信システム）のコアネットワークにおける通信装置である。また、上位装置は、ネットワークにおける基地局の上位に位置する装置であってもよい。すなわち、基地局の上位装置であってもよい。このような上位装置としては、たとえばＳＧＷ（Ｓｅｒｖｉｎｇ  Ｇａｔｅｗａｙ）やＭＭＥ（Ｍｏｂｉｌｉｔｙ  Ｍａｎａｇｅｍｅｎｔ  Ｅｎｔｉｔｙ：移動性管理エンティティ）などがある。なお、上記のＳＧＷやＭＭＥは３ＧＰＰにおいて検討された第４世代移動通信システムであるＬＴＥシステムにおける装置である。以下、ＬＴＥシステムを例として説明するが、断りのない限り、他の無線通信システムにおいても適用可能である。
【００２６】
一例としては、無線制御装置１２０は、３ＧＰＰにおいて検討されている５ＧのＣＵに適用することができる。たとえば、無線制御装置１２０は、ＩＦ処理部１２１と、第２処理部１２２と、制御部１２３と、を備える。なお、第２処理部を第２信号処理部と称してもよい。
【００２７】
ＩＦ処理部１２１は、無線装置１１０から伝送路１０１を介して送信された信号を受信し、受信した信号を第２処理部１２２へ出力するインタフェース処理部である。また、ＩＦ処理部１２１は、第２処理部１２２から出力された信号を、伝送路１０１を介して無線装置１１０へ送信する。また、ＩＦ処理部１２１は、無線装置１１０から伝送路１０１を介して送信された信号に含まれる構成情報を制御部１２３へ出力する。
【００２８】
第２処理部１２２は、基地局信号処理のうちの、無線装置１１０の第１信号処理と異なる第２信号処理を行う。第２信号処理には、たとえば、無線基地局１００が無線端末から受信した信号を無線基地局１００の上位装置へ送信する処理と、無線基地局１００の上位装置から送信された無線端末への信号を受信する処理と、が含まれる。
【００２９】
たとえば、第２処理部１２２は、ＩＦ処理部１２１から出力された信号に対して第２信号処理に含まれる受信処理を行い、受信処理を行った信号を出力する。第２処理部１２２から出力された信号は、たとえば無線基地局１００の上位装置へ送信される。また、第２処理部１２２は、たとえば無線基地局１００の上位装置から無線制御装置１２０へ入力された信号に対して第２信号処理に含まれる送信処理を行い、送信処理を行った信号をＩＦ処理部１２１へ出力する。
【００３０】
制御部１２３は、ＩＦ処理部１２１から出力された構成情報に基づいて、第２処理部１２２の第２信号処理に含まれる処理を設定する。一例としては、制御部１２３は、構成情報に基づいて基地局信号処理のうちの無線装置１１０の第１信号処理に含まれる処理を特定し、基地局信号処理から特定した処理を除いた処理を第２処理部１２２の第２信号処理に設定する。
【００３１】
基地局信号処理の第１信号処理および第２信号処理への分配について説明する。無線基地局１００における基地局信号処理は、無線装置１１０の第１処理部１１１の第１信号処理と、無線制御装置１２０の第２処理部１２２による第２信号処理と、に分割して行われる。たとえば、移動体通信網には複数の無線基地局１００が設けられ、複数の無線基地局１００の中には、基地局信号処理の第１信号処理と第２信号処理への配分（または分割、以下、基地局信号処理の分離ポイントと称する。）が異なる無線基地局１００が混在している。そして、基地局信号処理の分離ポイントが異なると、第１信号処理および第２信号処理に含まれる処理（たとえば終端点）や、伝送路１０１において伝送される信号のデータ種別が異なる。
【００３２】
本実施の形態においては、基地局信号処理の分離ポイントが無線装置１１０によって異なるとする。すなわち、第１信号処理に含まれる処理が無線装置１１０によって異なる。この場合に、無線制御装置１２０は、自装置に接続された無線装置１１０に対応する基地局信号処理の分離ポイントに応じて、自装置が実行する第２信号処理に含まれる処理（第２信号処理におけるプロトコルの終端点）を設定することを要する。また、無線制御装置１２０は、自装置に接続された無線装置１１０に対応する基地局信号処理の分離ポイントに応じて、伝送路１０１を介した無線装置１１０との間の信号の伝送方法を設定することを要する。
【００３３】
これに対して、無線装置１１０は、上述したように第１信号処理に関する構成情報を無線制御装置１２０へ送信する。これにより、無線制御装置１２０は、無線装置１１０から受信した構成情報に基づいて、自装置の第２信号処理に含まれる処理と、無線装置１１０との間の信号の伝送方法と、を設定することが可能になる。このため、たとえば、無線基地局１００を適用する移動体通信網において、構成（基地局信号処理の分離ポイント、機能分離（Ｆｕｎｃｔｉｏｎ  Ｓｐｉｌｔ））が異なる無線装置１１０を混在させることが可能になる。
【００３４】
構成情報は、たとえば、第１処理部１１１の第１信号処理および第２処理部１２２の第２信号処理への基地局信号処理の配分を特定可能な情報である。または、構成情報は、第１処理部１１１の第１信号処理と第２処理部１２２の第２信号処理への基地局信号処理の配分に応じた、無線装置１１０と無線制御装置１２０との間において伝送路１０１により信号を伝送するための伝送方法を特定可能な情報でもよい。
【００３５】
一例としては、構成情報は、無線装置１１０が対応する基地局信号処理の分離ポイントを直接的または間接的に示す情報または分離ポイントに関する情報（たとえば後述の分離ポイントやＤＵカテゴリ）とすることができる。または、構成情報は、無線装置１１０が対応する基地局信号処理の分離ポイントに応じた、第１信号処理に含まれる処理を示す情報または第２信号処理に含まれる処理を示す情報または処理に関する情報としてもよい。または、構成情報は、伝送路１０１により伝送される信号のデータ種別、またはそのデータ種別の信号の伝送方法（たとえばプロトコル）を示す情報または伝送方法に関する情報としてもよい。
【００３６】
また、通知部１２４は、基地局信号処理のうちの無線制御装置１２０の第２信号処理に関する構成情報を伝送路により無線装置１１０へ通知する。ただし、無線制御装置１２０は通知部１２４を省いた構成としてもよい。
【００３７】
（実施の形態１にかかる基地局信号処理の各分離例）
図２は、実施の形態１にかかる基地局信号処理の分離例１を示す図である。図２において、図１に示した部分と同様の部分については同一の符号を付して説明を省略する。なお、図２においては通知部１２４の図示を省略している。図２に示す例では、無線基地局１００が、物理層処理部２０１（Ｐｈｙ）と、ＤＡＣ／ＡＤＣ２０２と、ＢＢ処理部２０３（ＢＢ）と、ＭＡＣ処理部２０４（ＭＡＣ）と、ＲＬＣ処理部２０５（ＲＬＣ）と、ＰＤＣＰ処理部２０６（ＰＤＣＰ）と、を備える。これらの各処理部は、上述の基地局信号処理に含まれる各処理を行う処理部である。上述した基地局信号処理の分離ポイントは、たとえばこれらの各処理部を第１処理部１１１および第２処理部１２２へどのように配分するかにより決まる。また、上記のＭＡＣ、ＲＬＣおよびＰＤＣＰは、従来のＷ−ＣＤＭＡやＬＴＥシステムにおける基地局装置の構成（機能）を示すものであり、ここではこれらを用いて説明する。Ｗ−ＣＤＭＡはＷｉｄｅｂａｎｄ−Ｃｏｄｅ  Ｄｉｖｉｓｉｏｎ  Ｍｕｌｔｉｐｌｅ  Ａｃｃｅｓｓの略である。Ｗ−ＣＤＭＡは登録商標である。なお、上記機能と第５世代移動通信（通称５Ｇ）の機能とは名称や機能が異なる可能性がある。ただし、本実施の形態は、これらに限定されるものではない。
【００３８】
ＤＡＣはＤｉｇｉｔａｌ／Ａｎａｌｏｇ  Ｃｏｎｖｅｒｔｅｒ（ディジタル／アナログ変換器）の略である。ＡＤＣはＡｎａｌｏｇ／Ｄｉｇｉｔａｌ  Ｃｏｎｖｅｒｔｅｒ（アナログ／ディジタル変換器）の略である。ＢＢはＢａｓｅ  Ｂａｎｄ（ベースバンド）の略である。ＭＡＣはＭｅｄｉａ  Ａｃｃｅｓｓ  Ｃｏｎｔｒｏｌ（メディアアクセス制御）の略である。ＲＬＣはＲａｄｉｏ  Ｌｉｎｋ  Ｃｏｎｔｒｏｌ（無線リンク制御）の略である。ＰＤＣＰはＰａｃｋｅｔ  Ｄａｔａ  Ｃｏｎｖｅｒｇｅｎｃｅ  Ｐｒｏｔｏｃｏｌの略である。
【００３９】
図２に示す例では、第１処理部１１１に物理層処理部２０１が含まれており、第２処理部１２２にＤＡＣ／ＡＤＣ２０２、ＢＢ処理部２０３、ＭＡＣ処理部２０４、ＲＬＣ処理部２０５およびＰＤＣＰ処理部２０６が含まれている。すなわち、基地局信号処理の分離ポイントが物理層処理部２０１とＤＡＣ／ＡＤＣ２０２との間になっている。
【００４０】
物理層処理部２０１は、アンテナ１１５を用いて受信した信号に対して物理層の受信処理を行い、受信処理を行った信号をＩＦ処理部１１２へ出力する。また、物理層処理部２０１は、ＩＦ処理部１１２から出力された信号に対して物理層の送信処理を行い、送信処理を行った信号をアンテナ１１５により無線送信する。
【００４１】
ＩＦ処理部１１２は、物理層処理部２０１から出力された信号を伝送路１０１により無線制御装置１２０へ送信する。また、ＩＦ処理部１１２は、無線制御装置１２０から伝送路１０１により送信された信号を物理層処理部２０１へ出力する。
【００４２】
ＩＦ処理部１２１は、無線装置１１０から伝送路１０１により送信された信号をＤＡＣ／ＡＤＣ２０２へ出力する。また、ＩＦ処理部１２１は、ＤＡＣ／ＡＤＣ２０２から出力された信号を伝送路１０１により無線装置１１０へ送信する。
【００４３】
ＤＡＣ／ＡＤＣ２０２は、ＩＦ処理部１２１から出力された信号をアナログ信号からディジタル信号に変換し、変換した信号をＢＢ処理部２０３へ出力する。また、ＤＡＣ／ＡＤＣ２０２は、ＢＢ処理部２０３から出力された信号をディジタル信号からアナログ信号に変換し、変換した信号をＩＦ処理部１２１へ出力する。なおＤＡＣ／ＡＤＣ２０２はＢＢ処理部２０３に設けられていてもよい。
【００４４】
ＢＢ処理部２０３は、ＤＡＣ／ＡＤＣ２０２から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＤＡＣ／ＡＤＣ２０２へ出力する。なお、ＢＢ処理部２０３の受信処理は、たとえば、復調、復号、デスクランブル、ＦＦＴおよびＩＦＦＴの少なくとも１つを含む。ＦＦＴはＦａｓｔ  Ｆｏｕｒｉｅｒ  Ｔｒａｎｓｆｏｒｍ（高速フーリエ変換）の略である。ＩＦＦＴはＩｎｖｅｒｓｅ  Ｆａｓｔ  Ｆｏｕｒｉｅｒ  Ｔｒａｎｓｆｏｒｍ（逆高速フーリエ変換）の略である。また、ＢＢ処理部２０３の送信処理は、たとえば、ＦＦＴ、ＩＦＦＴ、符号化、変調、スクランブルの少なくとも１つを含む。なお、詳細については、たとえばＴＳ３６．２１１に記載されており、当業者であれば周知の技術である。なおＴＳ３６．２１１に記載された処理の一部を含むなど記載に限定されるものではない。
【００４５】
ＭＡＣ処理部２０４は、ＢＢ処理部２０３から出力された信号に対してＭＡＣの受信処理を行い、受信処理を行った信号をＲＬＣ処理部２０５へ出力する。また、ＭＡＣ処理部２０４は、ＲＬＣ処理部２０５から出力された信号に対してＭＡＣの送信処理を行い、送信処理を行った信号をＢＢ処理部２０３へ出力する。なお、詳細な処理については、たとえばＴＳ３６．３２０に記載されており、当業者であれば周知の技術である。たとえば、ＴＳ３６．３２０に記載された処理の一部を含むなど記載に限定されるものではない。
【００４６】
ＲＬＣ処理部２０５は、ＭＡＣ処理部２０４から出力された信号に対してＲＬＣの受信処理を行い、受信処理を行った信号をＰＤＣＰ処理部２０６へ出力する。また、ＲＬＣ処理部２０５は、ＰＤＣＰ処理部２０６から出力された信号に対してＲＬＣの送信処理を行い、送信処理を行った信号をＭＡＣ処理部２０４へ出力する。なお、詳細な処理については、たとえばＴＳ３６．３２１に記載されており、当業者であれば周知の技術である。たとえば、ＴＳ３６．３２１に記載された処理の一部を含むなど記載に限定されるものではない。
【００４７】
ＰＤＣＰ処理部２０６は、ＲＬＣ処理部２０５から出力された信号に対してＰＤＣＰの受信処理を行い、受信処理を行った信号を出力する。ＰＤＣＰ処理部２０６から出力された信号は、たとえば無線基地局１００の上位装置へ送信される。また、ＰＤＣＰ処理部２０６は、たとえば無線基地局１００の上位装置から送信され入力された信号に対してＰＤＣＰの送信処理を行い、送信処理を行った信号をＲＬＣ処理部２０５へ出力する。なお、詳細な処理については、たとえばＴＳ３６．３２２に記載されており、当業者であれば周知の技術である。たとえば、ＴＳ３６．３２１に記載された処理の一部を含むなど記載に限定されるものではない。
【００４８】
図２に示す例においては、物理層処理部２０１とＤＡＣ／ＡＤＣ２０２との間が基地局信号処理の分離ポイントになっていることにより、伝送路１０１により伝送される信号は、たとえばＤＡＣ出力またはＡＤＣ入力であり、アナログのＩＱデータとなる。
【００４９】
ただし、ＩＦ処理部１１２，１２１による伝送路１０１を介した伝送がディジタル伝送である場合は、物理層処理部２０１とＤＡＣ／ＡＤＣ２０２との間のアナログのＩＱデータは、ＤＡＣ入力またはＡＤＣ出力であり、ディジタル化されて伝送路１０１により伝送される。
【００５０】
すなわち、ＩＦ処理部１１２は、物理層処理部２０１から出力されたアナログのＩＱデータをディジタル信号に変換して伝送路１０１により無線制御装置１２０へ送信する。この際、プロトコルによって定められたフォーマットに上記のディジタル信号をマッピングして伝送する。また、ＩＦ処理部１１２は、無線制御装置１２０から伝送路１０１により送信されたディジタル信号をアナログのＩＱデータに変換して物理層処理部２０１へ出力する。この際、上記のフォーマットにマッピングされ送信されたディジタル信号をデマッピングして受信する。
【００５１】
また、ＩＦ処理部１２１は、無線装置１１０から伝送路１０１により送信されたディジタルの信号をアナログのＩＱデータに変換してＤＡＣ／ＡＤＣ２０２へ出力する。この際、上記のフォーマットにマッピングされ送信されたディジタル信号をデマッピングして受信する。また、ＩＦ処理部１２１は、ＤＡＣ／ＡＤＣ２０２から出力されたアナログのＩＱデータをディジタル信号に変換して伝送路１０１により無線装置１１０へ送信する。この際、プロトコルによって定められたフォーマットに上記のディジタル信号をマッピングして伝送する。
【００５２】
図３は、実施の形態１にかかる基地局信号処理の分離例２を示す図である。図３において、図２に示した部分と同様の部分については同一の符号を付して説明を省略する。図３に示す例では、第１処理部１１１に物理層処理部２０１およびＤＡＣ／ＡＤＣ２０２が含まれており、第２処理部１２２にＢＢ処理部２０３、ＭＡＣ処理部２０４、ＲＬＣ処理部２０５およびＰＤＣＰ処理部２０６が含まれている。すなわち、基地局信号処理の分離ポイントがＤＡＣ／ＡＤＣ２０２とＢＢ処理部２０３との間になっている。
【００５３】
物理層処理部２０１は、アンテナ１１５を用いて受信した信号に対して物理層の受信処理を行い、受信処理を行った信号をＤＡＣ／ＡＤＣ２０２へ出力する。また、物理層処理部２０１は、ＤＡＣ／ＡＤＣ２０２から出力された信号に対して物理層の送信処理を行い、送信処理を行った信号をアンテナ１１５により無線送信する。
【００５４】
ＤＡＣ／ＡＤＣ２０２は、物理層処理部２０１から出力された信号をアナログ信号からディジタル信号に変換し、変換した信号をＩＦ処理部１１２へ出力する。また、ＤＡＣ／ＡＤＣ２０２は、ＩＦ処理部１１２から出力された信号をディジタル信号からアナログ信号に変換し、変換した信号を物理層処理部２０１へ出力する。
【００５５】
ＩＦ処理部１１２は、ＤＡＣ／ＡＤＣ２０２から出力された信号を伝送路１０１により無線制御装置１２０へ送信する。また、ＩＦ処理部１１２は、無線制御装置１２０から伝送路１０１により送信された信号をＤＡＣ／ＡＤＣ２０２へ出力する。
【００５６】
ＩＦ処理部１２１は、無線装置１１０から伝送路１０１により送信された信号をＢＢ処理部２０３へ出力する。また、ＩＦ処理部１２１は、ＢＢ処理部２０３から出力された信号を伝送路１０１により無線装置１１０へ送信する。
【００５７】
ＢＢ処理部２０３は、ＩＦ処理部１２１から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＩＦ処理部１２１へ出力する。
【００５８】
図３に示す例においては、ＤＡＣ／ＡＤＣ２０２とＢＢ処理部２０３との間が基地局信号処理の分離ポイントになっていることにより、伝送路１０１により伝送される信号はたとえばディジタル信号のＩＱデータとなる。
【００５９】
図４は、実施の形態１にかかる基地局信号処理の分離例３を示す図である。図４において、図３に示した部分と同様の部分については同一の符号を付して説明を省略する。図４に示す例では、第１処理部１１１に物理層処理部２０１、ＤＡＣ／ＡＤＣ２０２およびＢＢ処理部２０３が含まれており、第２処理部１２２にＭＡＣ処理部２０４、ＲＬＣ処理部２０５およびＰＤＣＰ処理部２０６が含まれている。すなわち、基地局信号処理の分離ポイントがＢＢ処理部２０３とＭＡＣ処理部２０４との間になっている。
【００６０】
ＤＡＣ／ＡＤＣ２０２は、物理層処理部２０１から出力された信号をアナログからディジタル信号に変換し、変換した信号をＢＢ処理部２０３へ出力する。また、ＤＡＣ／ＡＤＣ２０２は、ＢＢ処理部２０３から出力された信号をディジタル信号からアナログ信号に変換し、変換した信号を物理層処理部２０１へ出力する。
【００６１】
ＢＢ処理部２０３は、ＤＡＣ／ＡＤＣ２０２から出力された信号に対してベースバンドの受信処理を行い、受信処理を行った信号をＩＦ処理部１１２へ出力する。また、ＢＢ処理部２０３は、ＩＦ処理部１１２から出力された信号に対してベースバンドの送信処理を行い、送信処理を行った信号をＤＡＣ／ＡＤＣ２０２へ出力する。
【００６２】
ＩＦ処理部１１２は、ＢＢ処理部２０３から出力された信号を伝送路１０１により無線制御装置１２０へ送信する。また、ＩＦ処理部１１２は、無線制御装置１２０から伝送路１０１により送信された信号をＢＢ処理部２０３へ出力する。
【００６３】
ＩＦ処理部１２１は、無線装置１１０から伝送路１０１により送信された信号をＭＡＣ処理部２０４へ出力する。また、ＩＦ処理部１２１は、ＭＡＣ処理部２０４から出力された信号を伝送路１０１により無線装置１１０へ送信する。
【００６４】
図４に示す例においては、ＢＢ処理部２０３とＭＡＣ処理部２０４との間が基地局信号処理の分離ポイントになっていることにより、伝送路１０１により伝送される信号はたとえばＭＡＣ  ＰＤＵとなる。ＰＤＵはＰｒｏｔｏｃｏｌ  Ｄａｔａ  Ｕｎｉｔの略である。ＭＡＣ  ＰＤＵは、たとえばビット幅が１ビットのディジタル信号である。
【００６５】
図５は、実施の形態１にかかる基地局信号処理の分離例４を示す図である。図５において、図４に示した部分と同様の部分については同一の符号を付して説明を省略する。図５に示す例では、第１処理部１１１に物理層処理部２０１、ＤＡＣ／ＡＤＣ２０２、ＢＢ処理部２０３およびＭＡＣ処理部２０４が含まれており、第２処理部１２２にＲＬＣ処理部２０５およびＰＤＣＰ処理部２０６が含まれている。すなわち、基地局信号処理の分離ポイントがＭＡＣ処理部２０４とＲＬＣ処理部２０５との間になっている。
【００６６】
ＢＢ処理部２０３は、ＤＡＣ／ＡＤＣ２０２から出力された信号に対してベースバンドの受信処理を行い、受信処理を行った信号をＭＡＣ処理部２０４へ出力する。また、ＢＢ処理部２０３は、ＭＡＣ処理部２０４から出力された信号に対してベースバンドの送信処理を行い、送信処理を行った信号をＤＡＣ／ＡＤＣ２０２へ出力する。
【００６７】
ＭＡＣ処理部２０４は、ＢＢ処理部２０３から出力された信号に対してＭＡＣの受信処理を行い、受信処理を行った信号をＩＦ処理部１１２へ出力する。また、ＭＡＣ処理部２０４は、ＩＦ処理部１１２から出力された信号に対してＭＡＣの送信処理を行い、送信処理を行った信号をＢＢ処理部２０３へ出力する。
【００６８】
ＩＦ処理部１１２は、ＭＡＣ処理部２０４から出力された信号を伝送路１０１により無線制御装置１２０へ送信する。また、ＩＦ処理部１１２は、無線制御装置１２０から伝送路１０１により送信された信号をＭＡＣ処理部２０４へ出力する。
【００６９】
ＩＦ処理部１２１は、無線装置１１０から伝送路１０１により送信された信号をＲＬＣ処理部２０５へ出力する。また、ＩＦ処理部１２１は、ＲＬＣ処理部２０５から出力された信号を伝送路１０１により無線装置１１０へ送信する。
【００７０】
図５に示す例においては、ＭＡＣ処理部２０４とＲＬＣ処理部２０５との間が基地局信号処理の分離ポイントになっていることにより、伝送路１０１により伝送される信号はたとえばＲＬＣ  ＰＤＵとなる。
【００７１】
図６は、実施の形態１にかかる基地局信号処理の分離例５を示す図である。図６において、図５に示した部分と同様の部分については同一の符号を付して説明を省略する。図６に示す例では、第１処理部１１１に物理層処理部２０１、ＤＡＣ／ＡＤＣ２０２、ＢＢ処理部２０３、ＭＡＣ処理部２０４およびＲＬＣ処理部２０５が含まれており、第２処理部１２２にＰＤＣＰ処理部２０６が含まれている。すなわち、基地局信号処理の分離ポイントがＲＬＣ処理部２０５とＰＤＣＰ処理部２０６との間になっている。
【００７２】
ＭＡＣ処理部２０４は、ＢＢ処理部２０３から出力された信号に対してＭＡＣの受信処理を行い、受信処理を行った信号をＲＬＣ処理部２０５へ出力する。また、ＭＡＣ処理部２０４は、ＲＬＣ処理部２０５から出力された信号に対してＭＡＣの送信処理を行い、送信処理を行った信号をＢＢ処理部２０３へ出力する。
【００７３】
ＲＬＣ処理部２０５は、ＭＡＣ処理部２０４から出力された信号に対してＲＬＣの受信処理を行い、受信処理を行った信号をＩＦ処理部１１２へ出力する。ＲＬＣ処理部２０５は、ＩＦ処理部１１２から出力された信号に対してＲＬＣの送信処理を行い、送信処理を行った信号をＭＡＣ処理部２０４へ出力する。
【００７４】
ＩＦ処理部１１２は、ＲＬＣ処理部２０５から出力された信号を伝送路１０１により無線制御装置１２０へ送信する。また、ＩＦ処理部１１２は、無線制御装置１２０から伝送路１０１により送信された信号をＲＬＣ処理部２０５へ出力する。
【００７５】
ＩＦ処理部１２１は、無線装置１１０から伝送路１０１により送信された信号をＰＤＣＰ処理部２０６へ出力する。また、ＩＦ処理部１２１は、ＰＤＣＰ処理部２０６から出力された信号を伝送路１０１により無線装置１１０へ送信する。
【００７６】
ＰＤＣＰ処理部２０６は、ＩＦ処理部１２１から出力された信号に対してＰＤＣＰの受信処理を行い、受信処理を行った信号を無線基地局１００の上位装置へ送信する。また、ＰＤＣＰ処理部２０６は、無線基地局１００の上位装置から出力された信号に対してＰＤＣＰの送信処理を行い、送信処理を行った信号をＩＦ処理部１２１へ出力する。
【００７７】
図６に示す例においては、ＲＬＣ処理部２０５とＰＤＣＰ処理部２０６との間が基地局信号処理の分離ポイントになっていることにより、伝送路１０１により伝送される信号はたとえばＰＤＣＰ  ＰＤＵとなる。
【００７８】
無線基地局１００が適用される移動体通信網には、一例としては図２〜図６に示した基地局信号処理の分離ポイントが異なる無線基地局１００が混在している。ただし、無線基地局１００が適用される移動体通信網には、図２〜図６に示した無線基地局１００のうちの一部の複数の無線基地局１００が混在していてもよい。また、無線基地局１００が適用される移動体通信網には、図２〜図６に示した例とは基地局信号処理の分離ポイントが異なる無線基地局１００が混在していてもよい。
【００７９】
たとえば、ＭＡＣの処理をＰＤＵとＳＤＵの変換部において２つの処理に分割可能である場合は、ＭＡＣ処理部２０４を２つのＭＡＣ処理部に分割し、分割した２つのＭＡＣ処理部の間を基地局信号処理の分離ポイントとしてもよい。この場合は、伝送路１０１により伝送される信号は、一例としてはＭＡＣ  ＳＤＵになる。ＳＤＵはＳｅｒｖｉｃｅ  Ｄａｔａ  Ｕｎｉｔの略である。なお、分割した２つのＭＡＣのうち、ＲＬＣ側を上位ＭＡＣ（Ｈｉｇｈ  ＭＡＣ）とし、ＢＢ側を下位ＭＡＣ（Ｌｏｗ  ＭＡＣ）と呼んでもよい。
【００８０】
また、ＲＬＣの処理を、ＰＤＵとＳＤＵの変換部において２つの処理に分割可能である場合は、ＲＬＣ処理部２０５を２つのＲＬＣ処理部に分割し、分割した２つのＲＬＣ処理部の間を基地局信号処理の分離ポイントとしてもよい。この場合は、伝送路１０１により伝送される信号は、一例としてはＲＬＣ  ＳＤＵになる。なお、分割した２つのＲＬＣのうち、ＰＤＣＰ側を上位ＲＬＣ（Ｈｉｇｈ  ＲＬＣ）とし、ＭＡＣ側を下位ＲＬＣ（Ｌｏｗ  ＲＬＣ）と呼んでもよい。
【００８１】
また、ＰＤＣＰの処理を、ＰＤＵとＳＤＵの変換部において２つの処理に分割可能である場合は、ＰＤＣＰ処理部２０６を２つのＰＤＣＰ処理部に分割し、分割した２つのＰＤＣＰ処理部２０６の間を基地局信号処理の分離ポイントとしてもよい。この場合は、伝送路１０１により伝送される信号は、一例としてはＰＤＣＰ  ＳＤＵになる。なお、分割した２つのＰＤＣＰのうち、ＭＭＥまたはＳＧＷ側を上位ＰＤＣＰ（Ｈｉｇｈ  ＰＤＣＰ）とし、ＲＬＣ側を下位ＰＤＣＰ（Ｌｏｗ  ＰＤＣＰ）と呼んでもよい。
【００８２】
また、アンテナ１１５と物理層処理部２０１の間に、ＲＦ（Ｒａｄｉｏ  Ｆｒｅｑｕｅｎｃｙ：高周波）処理部がある場合は、ＲＦ処理部と物理層処理部２０１との間を基地局信号処理の分離ポイントとしてもよい。
【００８３】
また、無線基地局１００の基地局信号処理は、図２〜図６に示した例に限らず、無線基地局１００の通信方式に応じて変更することができる。たとえば、４Ｇの移動体通信網における基地局信号処理にはたとえば図２〜図６に示した例のように物理層、ＢＢ、ＭＡＣ、ＲＬＣ、ＰＤＣＰの処理が含まれているが、５Ｇの移動体通信網における基地局信号処理はこれらの処理と異なる可能性がある。たとえば、無線基地局１００の基地局信号処理は、無線基地局１００が伝送する信号に対して無線基地局１００が直列的に行う複数の処理であればよい。具体的には、たとえばＲＬＣの機能をＭＡＣおよび／またはＰＤＣＰと統合することでＲＬＣを削除するなど、一部の機能を削除することも可能である。また、新たな機能を追加することも可能である。
【００８４】
（実施の形態１にかかる無線基地局において異なる無線装置を混在させた構成）
図７は、実施の形態１にかかる無線基地局において異なる無線装置を混在させた構成の一例を示す図である。図７において、図２〜図８に示した部分と同様の部分については同一の符号を付して説明を省略する。図７に示すように、１個の無線基地局１００において、無線装置１１０として、第１信号処理に含まれる処理が異なる複数の無線装置１１０を混在させてもよい。すなわち、図７に示す例では、無線制御装置１２０に対して、無線装置１１０として無線装置１１０ａおよび無線装置１１０ｂがカスケード接続されている。
【００８５】
たとえば、無線装置１１０ａは、４ＧのＲＲＨ（Ｒｅｍｏｔｅ  Ｒａｄｉｏ  Ｈｅａｄ）に対応する無線装置１１０（第１無線装置）である。無線装置１１０ａは、第１処理部１１１ａと、ＩＦ処理部１１２ａと、通知部１１３ａと、アンテナ１１５ａと、を備える。第１処理部１１１ａ、ＩＦ処理部１１２ａ、通知部１１３ａおよびアンテナ１１５ａは、それぞれ無線装置１１０の第１処理部１１１、ＩＦ処理部１１２、通知部１１３およびアンテナ１１５と同様の構成である。
【００８６】
ただし、第１処理部１１１ａは、たとえば図２に示した第１処理部１１１と同様の構成である。すなわち、第１処理部１１１ａには第１信号処理の処理部として物理層処理部７１１（Ｐｈｙ）が含まれる。物理層処理部７１１は、図２に示した物理層処理部２０１と同様の構成である。
【００８７】
また、無線装置１１０ａのＩＦ処理部１１２ａは、後述の無線装置１１０ｂと無線制御装置１２０との間の信号の伝送を中継する。また、無線装置１１０ａの通知部１１３ａは、第１処理部１１１ａの第１信号処理に関する構成情報を、ＩＦ処理部１１２ａを介して無線制御装置１２０へ送信する。
【００８８】
無線装置１１０ｂは、５ＧのＲＥ（Ｒａｄｉｏ  Ｅｑｕｉｐｍｅｎｔ）に対応する無線装置１１０（第２無線装置）である。無線装置１１０ｂは、第１処理部１１１ｂと、ＩＦ処理部１１２ｂと、通知部１１３ｂと、アンテナ１１５ｂと、を備える。第１処理部１１１ｂ、ＩＦ処理部１１２ｂ、通知部１１３ｂおよびアンテナ１１５ｂは、それぞれ無線装置１１０の第１処理部１１１、ＩＦ処理部１１２、通知部１１３およびアンテナ１１５と同様の構成である。
【００８９】
ただし、第１処理部１１１ｂは、たとえば図４に示した第１処理部１１１と同様の構成である。すなわち、第１処理部１１１ｂには、第１信号処理の処理部として物理層処理部７２１（Ｐｈｙ）、ＤＡＣ／ＡＤＣ７２２およびＢＢ処理部７２３（ＢＢ）が含まれる。物理層処理部７２１、ＤＡＣ／ＡＤＣ７２２およびＢＢ処理部７２３は、たとえばそれぞれ図４に示した物理層処理部２０１、ＤＡＣ／ＡＤＣ２０２およびＢＢ処理部２０３と同様の構成である。
【００９０】
また、無線装置１１０ｂのＩＦ処理部１１２ｂは、伝送路７０１を介して無線装置１１０ａのＩＦ処理部１１２ａと接続されることにより、無線装置１１０ａを介して無線制御装置１２０と接続されている。すなわち、無線制御装置１２０と無線装置１１０ｂとの間の信号は、伝送路１０１、ＩＦ処理部１１２ａおよび伝送路７０１を介して伝送される。
【００９１】
また、無線装置１１０ｂの通知部１１３ｂは、第１処理部１１１ｂの第１信号処理に関する構成情報を、ＩＦ処理部１１２ｂを介して送信する。通知部１１３ｂからＩＦ処理部１１２ｂを介して送信された構成情報は、伝送路７０１、ＩＦ処理部１１２ａおよび伝送路１０１を介して無線制御装置１２０へ送信される。
【００９２】
無線制御装置１２０のＩＦ処理部１２１は、無線装置１１０ａ，１１０ｂから送信された各構成情報を制御部１２３へ出力する。制御部１２３は、ＩＦ処理部１２１から出力された無線装置１１０ａからの構成情報に基づいて、無線装置１１０ａと通信を行う第２処理部１２２ａを設定する。また、制御部１２３は、ＩＦ処理部１２１から出力された無線装置１１０ｂからの構成情報に基づいて、無線装置１１０ｂと通信を行う第２処理部１２２ｂを設定する。
【００９３】
第２処理部１２２ａは、たとえば図２に示した第２処理部１２２と同様である。すなわち、第２処理部１２２ａは、ＤＡＣ／ＡＤＣ２０２ａと、ＢＢ処理部２０３ａと、ＭＡＣ処理部２０４ａと、ＲＬＣ処理部２０５ａと、ＰＤＣＰ処理部２０６ａと、を備える。ＤＡＣ／ＡＤＣ２０２ａおよびＢＢ処理部２０３ａは、たとえば図２に示したＤＡＣ／ＡＤＣ２０２およびＢＢ処理部２０３と同様である。また、ＭＡＣ処理部２０４ａ、ＲＬＣ処理部２０５ａおよびＰＤＣＰ処理部２０６ａは、たとえば図２に示したＭＡＣ処理部２０４、ＲＬＣ処理部２０５およびＰＤＣＰ処理部２０６と同様である。したがって、第１処理部１１１ａおよび第２処理部１２２ａにより、図２に示した無線基地局１００と同様の機能が実現される。
【００９４】
第２処理部１２２ｂは、たとえば図４に示した第２処理部１２２と同様である。すなわち、第２処理部１２２ｂは、ＭＡＣ処理部２０４ｂと、ＰＤＣＰ処理部２０６ｂと、を備える。ＭＡＣ処理部２０４ｂ、ＰＤＣＰ処理部２０６ｂは、たとえば図４に示したＭＡＣ処理部２０４およびＰＤＣＰ処理部２０６と同様である。したがって、第１処理部１１１ｂおよび第２処理部１２２ｂにより、図２に示した無線基地局１００と同様の機能が実現される。ただし、図７に示す例では、図４に示したＲＬＣ処理部２０５に相当する処理部は第２処理部１２２ｂに含まれていない。たとえば、３ＧＰＰにおいては、５ＧではこのようにＭＡＣとＰＤＣＰとの間のＲＬＣの処理を省くことも検討されている。
【００９５】
つぎに、無線基地局１００が上位装置から受信して無線端末へ送信する下り信号の伝送について説明する。図７に示す無線制御装置１２０には分配部７３０が設けられている。分配部７３０は、無線基地局１００の上位装置から送信された信号のうちの無線装置１１０ａにより無線送信すべき信号を第２処理部１２２ａへ出力する。また、分配部７３０は、無線基地局１００の上位装置から送信された信号のうちの無線装置１１０ｂにより無線送信すべき信号を第２処理部１２２ｂへ出力する。
【００９６】
第２処理部１２２ａは、分配部７３０から出力された信号に対して第２処理部１２２ａの第２信号処理を行い、第２信号処理を行った信号をＩＦ処理部１２１へ出力する。このとき、第２処理部１２２ａは、ＩＦ処理部１２１へ出力する信号に、無線装置１１０ａを示す宛先と、無線装置１１０ａの第１信号処理に含まれる処理に応じた識別情報と、を付加してもよい。この識別情報は、たとえば、第２処理部１２２ａが出力する信号（たとえばアナログのＩＱデータ）を伝送路１０１により伝送するための伝送方法を特定可能な情報である。
【００９７】
第２処理部１２２ｂは、分配部７３０から出力された信号に対して第２処理部１２２ｂの第２信号処理を行い、第２信号処理を行った信号をＩＦ処理部１２１へ出力する。このとき、第２処理部１２２ｂは、ＩＦ処理部１２１へ出力する信号に、無線装置１１０ｂを示す宛先と、無線装置１１０ｂの第１信号処理に含まれる処理に応じた識別情報と、を付加する。この識別情報は、第２処理部１２２ｂが出力する信号（たとえばＭＡＣ  ＰＤＵ）を伝送路１０１により伝送するための伝送方法を特定可能な情報である。
【００９８】
ＩＦ処理部１２１は、第２処理部１２２ａ，１２２ｂから出力された各信号を、伝送路１０１を介して無線装置１１０ａへ送信する。このとき、ＩＦ処理部１２１は、第２処理部１２２ａからの信号に付加された識別情報に基づいてその信号（たとえばアナログのＩＱデータ）を伝送路１０１により伝送するための伝送方法（たとえばプロトコル）を特定する。そして、ＩＦ処理部１２１は、特定した伝送方法を用いて第２処理部１２２ａからの信号を伝送路１０１により無線装置１１０ａへ送信する。
【００９９】
また、ＩＦ処理部１２１は、第２処理部１２２ｂからの信号に付加された識別情報に基づいてその信号（たとえばＭＡＣ  ＰＤＵ）を伝送路１０１により伝送するための伝送方法（たとえば新たな伝送方法）を特定する。そして、ＩＦ処理部１２１は、特定した伝送方法を用いて第２処理部１２２ｂからの信号を伝送路１０１により無線装置１１０ａへ送信する。
【０１００】
無線装置１１０ａのＩＦ処理部１１２ａは、無線制御装置１２０から伝送路１０１により送信された信号について、その信号に付加された識別情報に基づいてその信号の伝送方法を特定し、特定した伝送方法を用いてその信号を受信する。そして、ＩＦ処理部１１２ａは、受信した信号のうちの宛先が無線装置１１０ａである信号を第１処理部１１１ａへ出力し、受信した信号のうちの宛先が無線装置１１０ｂである信号を伝送路７０１により無線装置１１０ｂへ送信する。第１処理部１１１ａは、ＩＦ処理部１１２ａから出力された信号に対して自装置の第１信号処理を行うことによりその信号を無線送信する。
【０１０１】
無線装置１１０ｂのＩＦ処理部１１２ｂは、無線装置１１０ａから伝送路７０１により送信された信号を受信する。このとき、ＩＦ処理部１１２ｂは、無線装置１１０ａから伝送路７０１により送信された信号に付加された識別情報に基づいて特定した伝送方法を用いてその信号を受信してもよい。そして、ＩＦ処理部１１２ｂは、受信した信号を第１処理部１１１ｂへ出力する。第１処理部１１１ｂは、ＩＦ処理部１１２ｂから出力された信号に対して自装置の第１信号処理を行うことによりその信号を無線送信する。
【０１０２】
つぎに、無線基地局１００が無線端末から受信して上位装置へ送信する上り信号の伝送について説明する。無線装置１１０ｂの第１処理部１１１ｂは、無線により受信した信号に対して自装置の第１信号処理を行い、第１信号処理を行った信号をＩＦ処理部１１２ｂへ出力する。このとき、第１処理部１１１ｂは、ＩＦ処理部１１２ｂへ出力する信号に、無線制御装置１２０の第２処理部１２２ｂを示す宛先と、無線装置１１０ｂの第１信号処理に含まれる処理に応じた識別情報と、を付加する。この識別情報は、第１処理部１１１ｂが出力する信号（たとえばＭＡＣ  ＰＤＵ）を伝送路１０１により伝送するための伝送方法を特定可能な識別情報である。
【０１０３】
ＩＦ処理部１１２ｂは、第１処理部１１１ｂから出力された信号を伝送路７０１により無線装置１１０ａへ送信する。このとき、ＩＦ処理部１１２ｂは、第１処理部１１１ｂから出力された信号に付加された識別情報により特定した伝送方法を用いてその信号を送信してもよい。
【０１０４】
無線装置１１０ａの第１処理部１１１ａは、無線により受信した信号に対して自装置の第１信号処理を行い、第１信号処理を行った信号をＩＦ処理部１１２ａへ出力する。このとき、第１処理部１１１ａは、ＩＦ処理部１１２ａへ出力する信号に、無線制御装置１２０の第２処理部１２２ａを示す宛先と、無線装置１１０ａの第１信号処理に含まれる処理に応じた識別情報と、を付加する。この識別情報は、第１処理部１１１ａが出力する信号（たとえばアナログのＩＱデータ）を伝送路１０１により伝送するための伝送方法を特定可能な識別情報である。
【０１０５】
ＩＦ処理部１１２ａは、無線装置１１０ｂから伝送路７０１により送信された信号を受信する。このとき、ＩＦ処理部１１２ａは、無線装置１１０ｂから伝送路７０１により送信された信号に付加された識別情報に基づいて特定した伝送方法を用いてその信号を受信してもよい。そして、ＩＦ処理部１１２ａは、受信した無線装置１１０ｂからの信号に付加された識別情報に基づいて特定した伝送方法を用いてその信号を伝送路１０１により無線制御装置１２０へ送信する。また、ＩＦ処理部１１２ａは、第１処理部１１１ａから出力された信号に付加された識別情報に基づいて特定した伝送方法を用いてその信号を伝送路１０１により無線制御装置１２０へ送信する。
【０１０６】
無線制御装置１２０のＩＦ処理部１２１は、無線装置１１０ａから伝送路１０１により送信された信号に付加された識別情報に基づいて特定した伝送方法を用いてその信号を受信する。そして、ＩＦ処理部１２１は、受信した信号のうちの第２処理部１２２ａを宛先とする無線装置１１０ａからの信号を第２処理部１２２ａへ出力する。また、ＩＦ処理部１２１は、受信した信号のうちの第２処理部１２２ｂを宛先とする無線装置１１０ｂからの信号を第２処理部１２２ｂへ出力する。
【０１０７】
第２処理部１２２ａは、ＩＦ処理部１２１から出力された信号に対して第２処理部１２２ａの第２信号処理を行い、第２信号処理を行った信号を分配部７３０へ出力する。第２処理部１２２ｂは、ＩＦ処理部１２１から出力された信号に対して第２処理部１２２ｂの第２信号処理を行い、第２信号処理を行った信号を分配部７３０へ出力する。分配部７３０は、第２処理部１２２ａ，１２２ｂから出力された各信号を無線基地局１００の上位装置へ送信する。
【０１０８】
つぎに、識別情報について説明する。識別情報は、たとえば上述した構成情報と同様の情報とすることができる。たとえば、識別情報は、第１処理部１１１の第１信号処理および第２処理部１２２の第２信号処理への基地局信号処理の配分（または機能分け）を特定可能な情報である。または、識別情報は、第１処理部１１１の第１信号処理および第２処理部１２２の第２信号処理への基地局信号処理の配分に応じた、無線装置１１０と無線制御装置１２０との間において伝送路１０１により信号を伝送するための伝送方法を特定可能な情報でもよい。
【０１０９】
一例としては、識別情報は、無線装置１１０が対応する基地局信号処理の分離ポイントを直接的または間接的に示す情報または分離ポイントに関する情報（たとえば後述の分離ポイントやＤＵカテゴリ）とすることができる。または、識別情報は、無線装置１１０が対応する基地局信号処理の分離ポイントに応じた、第１信号処理に含まれる処理を示す情報または第２信号処理に含まれる処理を示す情報または処理に関する情報としてもよい。または、識別情報は、伝送路１０１により伝送される信号のデータ種別、またはそのデータ種別の信号の伝送方法（たとえばプロトコル）を示す情報または伝送方法に関する情報としてもよい。
【０１１０】
無線装置１１０ａに設けられた１個のＩＦ処理部１１２ａが無線制御装置１２０および無線装置１１０ａに接続される構成について説明したが、このような構成に限らない。たとえば、無線装置１１０ａに２個のＩＦ処理部１１２ａを設け、２個のＩＦ処理部１１２ａがそれぞれ無線制御装置１２０および無線装置１１０ａに接続される構成としてもよい。この場合は、無線装置１１０ｂと無線制御装置１２０との間の信号は２個のＩＦ処理部１１２ａの間で伝送される。
【０１１１】
無線制御装置１２０に対して無線基地局１００として無線装置１１０ａ，１１０ｂをカスケード接続する構成について説明したが、無線制御装置１２０に対して３個以上の無線基地局１００をカスケード接続する構成としてもよい。また、無線制御装置１２０に接続される無線装置１１０のそれぞれが対応する基地局信号処理の分離ポイントは、図７に示した例に限らず各種変更することができる。
【０１１２】
図７に示した構成によれば、無線制御装置１２０と無線装置１１０ａとの間の信号と、無線制御装置１２０と無線装置１１０ｂとの間の信号と、を同一の伝送路１０１を介して送信することができる。無線制御装置１２０は、無線制御装置１２０と無線装置１１０ａとの間の信号と、無線制御装置１２０と無線装置１１０ｂとの間の信号と、を一括して伝送することができる。
【０１１３】
図８は、実施の形態１にかかる無線基地局において異なる無線装置を混在させた構成の他の一例を示す図である。図８において、図７に示した部分と同様の部分については同一の符号を付して説明を省略する。図８に示す例では、無線制御装置１２０に対して、無線装置１１０ａおよび無線装置１１０ｂがスター接続されている。すなわち、無線装置１１０ｂが、無線装置１１０ａを介さずに伝送路８０１を介して無線制御装置１２０と接続されている。無線装置１１０ｂの通知部１１３ｂからＩＦ処理部１１２ｂを介して送信された構成情報は、伝送路８０１を介して無線制御装置１２０へ送信される。スター接続とは、たとえば無線装置１１０ａおよび１１０ｂのそれぞれが無線制御装置と直接接続する接続形式である。
【０１１４】
図８に示す例では、無線制御装置１２０は、図７に示したＩＦ処理部１２１に代えてＩＦ処理部１２１ａ，１２１ｂを備える。ＩＦ処理部１２１ａ，１２１ｂのそれぞれは、ＩＦ処理部１２１と同様の構成である。ただし、ＩＦ処理部１２１ａは、無線装置１１０ａから送信された構成情報を制御部１２３へ出力する。ＩＦ処理部１２１ｂは、無線装置１１０ｂから送信された構成情報を制御部１２３へ出力する。
【０１１５】
制御部１２３は、ＩＦ処理部１２１ａから出力された無線装置１１０ａからの構成情報に基づいて、無線装置１１０ａと通信を行う第２処理部１２２ａを設定する。また、制御部１２３は、ＩＦ処理部１２１ｂから出力された無線装置１１０ｂからの構成情報に基づいて、無線装置１１０ｂと通信を行う第２処理部１２２ｂを設定する。
【０１１６】
つぎに、無線基地局１００が上位装置から受信して無線端末へ送信する下り信号の伝送のうち図７に示した例と異なる部分について説明する。第２処理部１２２ａは、分配部７３０から出力された信号に対して第２処理部１２２ａの第２信号処理を行い、第２信号処理を行った信号をＩＦ処理部１２１ａへ出力する。第２処理部１２２ｂは、分配部７３０から出力された信号に対して第２処理部１２２ｂの第２信号処理を行い、第２信号処理を行った信号をＩＦ処理部１２１ｂへ出力する。
【０１１７】
ＩＦ処理部１２１ａは、第２処理部１２２ａから出力された信号を、伝送路１０１を介して無線装置１１０ａへ送信する。このとき、ＩＦ処理部１２１ａは、第２処理部１２２ａからの信号に付加された識別情報に基づいて特定した伝送方法を用いて第２処理部１２２ａからの信号を伝送路１０１により無線装置１１０ａへ送信する。
【０１１８】
ＩＦ処理部１２１ｂは、第２処理部１２２ｂから出力された信号を、伝送路８０１を介して無線装置１１０ｂへ送信する。このとき、ＩＦ処理部１２１ｂは、第２処理部１２２ｂからの信号に付加された識別情報に基づいて特定した伝送方法を用いて第２処理部１２２ｂからの信号を伝送路８０１により無線装置１１０ｂへ送信する。
【０１１９】
無線装置１１０ｂのＩＦ処理部１１２ｂは、無線制御装置１２０から伝送路８０１により送信された信号を受信する。このとき、ＩＦ処理部１１２ｂは、無線装置１１０ａから伝送路８０１により送信された信号に付加された識別情報に基づいて特定した伝送方法を用いてその信号を受信する。
【０１２０】
つぎに、無線基地局１００が無線端末から受信して上位装置へ送信する上り信号の伝送のうち図７に示した例と異なる部分について説明する。無線装置１１０ｂのＩＦ処理部１１２ｂは、第１処理部１１１ｂから出力された信号を伝送路８０１により無線制御装置１２０へ送信する。このとき、ＩＦ処理部１１２ｂは、第１処理部１１１ｂから出力された信号に付加された識別情報により特定した伝送方法を用いてその信号を送信する。
【０１２１】
また、ＩＦ処理部１１２ａは、第１処理部１１１ａから出力された信号に付加された識別情報に基づいて特定した伝送方法を用いてその信号を伝送路１０１により無線制御装置１２０へ送信する。
【０１２２】
無線制御装置１２０のＩＦ処理部１２１ａは、無線装置１１０ａから伝送路１０１により送信された信号に付加された識別情報に基づいて特定した伝送方法を用いてその信号を受信し、受信した信号を第２処理部１２２ａへ出力する。
【０１２３】
ＩＦ処理部１２１ｂは、無線装置１１０ｂから伝送路８０１により送信された信号に付加された識別情報に基づいて特定した伝送方法を用いてその信号を受信し、受信した信号を第２処理部１２２ｂへ出力する。第２処理部１２２ｂは、ＩＦ処理部１２１ｂから出力された信号に対して第２処理部１２２ｂの第２信号処理を行い、第２信号処理を行った信号を分配部７３０へ出力する。
【０１２４】
無線制御装置１２０に対して無線基地局１００として無線装置１１０ａ，１１０ｂをスター接続する構成について説明したが、無線制御装置１２０に対して３個以上の無線基地局１００をスター接続する構成としてもよい。また、無線制御装置１２０に対して３個以上の無線基地局１００を、カスケード接続とスター接続を混在させて接続する構成としてもよい。また、無線制御装置１２０に接続される無線装置１１０のそれぞれが対応する基地局信号処理の分離ポイントは、図８に示した例に限らず各種変更することができる。
【０１２５】
（実施の形態１にかかる無線基地局を適用可能な移動体通信網）
図９は、実施の形態１にかかる無線基地局を適用可能な移動体通信網の一例を示す図である。実施の形態１にかかる無線基地局１００は、たとえば図９に示す移動体通信網９００に適用することができる。
【０１２６】
図９に示す例において、移動体通信網９００は、ＤＵ９１１〜９１８（＃１〜＃８）と、ＣＵ９２１〜９２３（＃１〜＃３）と、ＭＭＥ９３１，９３２（＃１，＃２）と、ＳＧＷ９４１，９４２（＃１，＃２）と、ＰＧＷ９５０と、を含む。ＰＧＷはＰａｃｋｅｔ  ｄａｔａ  ｎｅｔｗｏｒｋ  Ｇａｔｅｗａｙの略である。
【０１２７】
ＤＵ９１１〜９１８のそれぞれは、無線基地局１００において第１信号処理を行う無線装置１１０となり得る装置である。また、ＤＵ９１１〜９１８においては、実行する第１信号処理に含まれる処理が異なるＤＵが混在している。すなわち、ＤＵ９１１〜９１８においては、基地局信号処理の分離ポイントが異なるＤＵが混在している。
【０１２８】
ＣＵ９２１〜９２３のそれぞれは、無線基地局１００において第２信号処理を行う無線制御装置１２０となり得る装置である。また、ＣＵ９２１〜９２３のそれぞれは、基地局信号処理の複数通りの分離ポイントに対応可能なＣＵである。すなわち、ＣＵ９２１〜９２３のそれぞれは、ＤＵ９１１〜９１８のうちの自装置とともに無線基地局１００となるＤＵの第１信号処理に含まれる処理に応じて、自装置の第２信号処理に含まれる処理を設定する。
【０１２９】
ＣＵ９２１は、ＣＵ−ＤＵ間インタフェースを介してＤＵ９１１〜９１４と接続されている。ＣＵ９２２は、ＣＵ−ＤＵ間インタフェースを介してＤＵ９１３〜９１６と接続されている。ＣＵ９２３は、ＣＵ−ＤＵ間インタフェースを介してＤＵ９１５〜９１８と接続されている。ＣＵ−ＤＵ間インタフェースは、たとえば上述の伝送路１０１，８０１に対応する伝送路である。図９に示すように、ＣＵ９２１〜９２３のそれぞれには、ＣＵ−ＤＵ間インタフェースを介してＤＵ９１１〜９１８のうちの１個以上のＤＵが接続される。また、ＤＵ９１１〜９１８のそれぞれは、ＣＵ−ＤＵ間インタフェースを介してＣＵ９２１〜９２３のうちの１個以上のＣＵに接続される。
【０１３０】
ＣＵ９２１とＣＵ９２２との間はＣＵ間インタフェースにより接続されている。ＣＵ９２２とＣＵ９２３との間はＣＵ間インタフェースにより接続されている。また、ＣＵ９２１はＭＭＥ９３１，９３２およびＳＧＷ９４１に接続されている。ＣＵ９２２はＭＭＥ９３１およびＳＧＷ９４１に接続されている。ＣＵ９２３はＭＭＥ９３２およびＳＧＷ９４１，９４２に接続されている。図９に示すように、ＣＵ９２１〜９２３のそれぞれは、ＭＭＥ９３１，９３２のうちの１個以上のＭＭＥと、ＳＧＷ９４１，９４２のうちの１個以上のＳＧＷと、に接続される。
【０１３１】
ＭＭＥ９３１，９３２およびＳＧＷ９４１，９４２のそれぞれは、上述した無線基地局１００の上位装置になり得る装置である。ＭＭＥ９３１，９３２およびＳＧＷ９４１，９４２のそれぞれはＰＧＷ９５０に接続されている。ＰＧＷ９５０とＣＵ９２１〜９２３との間においては、ＭＭＥ９３１，９３２を介してコントロールプレーン（Ｃ−Ｐｌａｎｅ）の信号が伝送され、ＳＧＷ９４１，９４２を介してユーザプレーン（Ｕ−Ｐｌａｎｅ）の信号が伝送される。
【０１３２】
実施の形態１にかかる無線基地局１００は、ＤＵ９１１〜９１８のうちの１個以上のＤＵを無線装置１１０とし、ＣＵ９２１〜９２３のうちの１個以上のＣＵを無線制御装置１２０とすることにより実現することができる。また、ＤＵ９１１〜９１８のうちの１個以上のＤＵと、ＣＵ９２１〜９２３のうちの１個以上のＣＵと、の組み合わせを複数設けることにより複数の無線基地局１００を実現してもよい。
【０１３３】
図９に示す例ではＣＵ９２１〜９２３に対してＤＵ９１１〜９１８に含まれるＤＵがスター接続される構成について説明したが、ＣＵ９２１〜９２３に対してＤＵ９１１〜９１８に含まれるＤＵがカスケード接続される構成としてもよい。
【０１３４】
また、図９に示した例のように、１個のＣＵには複数のＤＵが接続されていてもよい。また、１個のＤＵには複数のＣＵが接続されていてもよい。これにより、ＣＵとＤＵの組み合わせを柔軟に変更して無線基地局１００を実現することができる。したがって、たとえば、ＤＳＡ、ＶＣ、ＡＡＡ、ビームフォーミング、ＣｏＭＰなどにおけるＤＵの組み合わせを柔軟に制御可能になる。ＤＳＡはＤｉｓｔｒｉｂｕｔｅｄ  Ａｎｔｅｎｎａ  Ｓｙｓｔｅｍの略である。ＶＣはＶｉｒｔｕａｌ  Ｃｅｌｌの略である。ＣｏＭＰはＣｏｏｒｄｉｎａｔｅｄ  Ｍｕｌｔｉｐｌｅ−Ｐｏｉｎｔ  ｔｒａｎｓｍｉｓｓｉｏｎ  ａｎｄ  ｒｅｃｅｐｔｉｏｎ（多地点協調通信）の略である。
【０１３５】
また、ＭＭＥ９３１，９３２が同一のＰＧＷ９５０に接続された構成について説明したが、ＭＭＥ９３１，９３２がそれぞれ異なるＰＧＷに接続された構成としてもよい。また、ＳＧＷ９４１，９４２が同一のＰＧＷ９５０に接続された構成について説明したが、ＳＧＷ９４１，９４２がそれぞれ異なるＰＧＷに接続された構成としてもよい。
【０１３６】
（実施の形態１にかかる移動体通信網における処理）
図１０は、実施の形態１にかかる移動体通信網における処理の一例を示すシーケンス図である。図１０においては、図９に示したＣＵ９２１（＃１）およびＤＵ９１１，９１２（＃１，＃２）により無線基地局１００を実現する場合について説明する。この場合に、たとえば図８に示した無線制御装置１２０および無線装置１１０ａ，１１０ｂをそれぞれＣＵ９２１およびＤＵ９１１，９１２に適用することができる。
【０１３７】
ＣＵ９２１に対してＤＵ９１１，９１２が接続された状態で、たとえば図１０に示す各ステップが実行される。まず、ＣＵ９２１が、構成情報の送信を要求する構成情報要求信号をＤＵ９１１へ送信する（ステップＳ１００１）。ステップＳ１００１による構成情報要求信号の送信は、一例としては図８に示した無線制御装置１２０の制御部１２３がＩＦ処理部１２１ａを用いて伝送路１０１を介して実行することができる。また、ステップＳ１００１により送信された構成情報要求信号は、一例としては図８に示したＩＦ処理部１１２ａを介して通知部１１３ａに受信される。
【０１３８】
つぎに、ＤＵ９１１が、自装置の第１信号処理に関する構成情報をＣＵ９２１へ送信する（ステップＳ１００２）。ステップＳ１００２による構成情報の送信は、一例としては図８に示した無線装置１１０ａの通知部１１３ａがＩＦ処理部１１２ａにより伝送路１０１を介して実行することができる。また、ステップＳ１００２により送信された構成情報は、一例としては図８に示したＩＦ処理部１２１ａを介して制御部１２３に受信される。
【０１３９】
つぎに、ＣＵ９２１が、構成情報の送信を要求する構成情報要求信号をＤＵ９１２へ送信する（ステップＳ１００３）。ステップＳ１００３による構成情報要求信号の送信は、一例としては図８に示した無線制御装置１２０の制御部１２３がＩＦ処理部１２１ｂを用いて伝送路８０１を介して実行することができる。また、ステップＳ１００３により送信された構成情報要求信号は、一例としては図８に示したＩＦ処理部１１２ｂを介して通知部１１３ｂに受信される。
【０１４０】
つぎに、ＤＵ９１２が、自装置の第１信号処理に関する構成情報をＣＵ９２１へ送信する（ステップＳ１００４）。ステップＳ１００４による構成情報の送信は、一例としては図８に示した無線装置１１０ｂの通知部１１３ｂがＩＦ処理部１１２ｂにより伝送路８０１を介して実行することができる。また、ステップＳ１００４により送信された構成情報は、一例としては図８に示したＩＦ処理部１２１ｂを介して制御部１２３に受信される。
【０１４１】
つぎに、ＣＵ９２１が、ステップＳ１００２，Ｓ１００４により受信した各構成情報に基づいて、ＤＵ９１１，９１２との間の伝送制御（伝送設定）を行う（ステップＳ１００５）。ステップＳ１００５における伝送制御については後述する。つぎに、ＣＵ９２１とＤＵ９１１，９１２との間でデータ伝送が行われる（ステップＳ１００６）。これにより、ＣＵ９２１がＤＵ９１１，９１２を介して無線端末との間でデータ伝送を行うことが可能になる。
【０１４２】
ステップＳ１００５における伝送制御には、たとえば、無線基地局１００が無線端末との間で伝送する信号のうちのＤＵ９１１により伝送する信号に対してＣＵ９２１が行う第２信号処理に含まれる処理（第２信号処理の終端部）の設定が含まれる。また、ステップＳ１００５における伝送制御には、無線基地局１００が無線端末との間で伝送する信号のうちのＤＵ９１１により伝送する信号を伝送路１０１により伝送するための伝送方法の制御が含まれていてもよい。
【０１４３】
また、ステップＳ１００５における伝送制御には、たとえば、無線基地局１００が無線端末との間で伝送する信号のうちのＤＵ９１２により伝送する信号に対してＣＵ９２１が行う第２信号処理に含まれる処理（第２信号処理の終端部）の設定が含まれる。また、ステップＳ１００５における伝送制御には、無線基地局１００が無線端末との間で伝送する信号のうちのＤＵ９１２により伝送する信号を伝送路１０１により伝送するための伝送方法の制御が含まれていてもよい。
【０１４４】
図１０に示す例では、図９に示したようにＣＵ９２１に対してＤＵ９１１，９１２がスター接続されている場合の処理について説明したが、ＣＵ９２１に対してＤＵ９１１，９１２がカスケード接続されている場合の処理についても同様である。たとえば、ＣＵ９２１に対してＤＵ９１１が伝送路１０１を介して接続され、ＤＵ９１１に対してＤＵ９１２が伝送路７０１を介して接続されているとする。
【０１４５】
この場合に、たとえば図７に示した無線制御装置１２０および無線装置１１０ａ，１１０ｂをそれぞれＣＵ９２１およびＤＵ９１１，９１２に適用することができる。この場合は、ステップＳ１００３，Ｓ１００４における構成情報要求信号および構成情報の伝送は、ＤＵ９１１を介して行われる。また、ステップＳ１００６におけるＣＵ９２１とＤＵ９１２との間のデータ伝送はＤＵ９１１を介して行われる。
【０１４６】
図１１は、実施の形態１にかかる移動体通信網における処理の他の一例を示すシーケンス図である。図１１においては、図９に示したＣＵ９２１（＃１）およびＤＵ９１１，９１５（＃１，＃５）により無線基地局１００を実現する場合について説明する。この場合に、たとえば図８に示した無線制御装置１２０および無線装置１１０ａ，１１０ｂをそれぞれＣＵ９２１およびＤＵ９１１，９１５に適用することができる。
【０１４７】
ただし、図９に示したように、ＣＵ９２１とＤＵ９１１との間はＣＵ−ＤＵ間インタフェースにより接続されているが、ＣＵ９２１とＤＵ９１５との間はＣＵ−ＤＵ間インタフェースにより接続されていない。そして、ＤＵ９１５はＣＵ９２２（＃２）とＣＵ−ＤＵ間インタフェースにより接続されている。この場合は、ＣＵ９２１は、ＣＵ９２２を介してＤＵ９１５と通信を行う。なお、ＤＵ９１５とＣＵ９２１との間は物理的には直接接続していないが、論理的には直接接続されており、ＣＵ９２１とＤＵ９１５との間の通信においてＣＵ９２２の存在は認識されなくてもよい。なお、物理的に接続する場合は物理接続と呼び、論理的に接続する場合を論理接続と呼ぶ。
【０１４８】
図１１に示すステップＳ１１０１，Ｓ１１０２は、図１０に示したステップＳ１００１，Ｓ１１０２と同様である。ステップＳ１１０２のつぎに、ＣＵ９２１が、構成情報の送信を要求する構成情報要求信号であってＤＵ９１５を宛先とする構成情報要求信号をＣＵ９２２へ送信する（ステップＳ１１０３）。ステップＳ１１０３による構成情報要求信号の送信は、たとえばＣＵ９２１，９２２の間のＣＵ間インタフェースを介して行われる。
【０１４９】
つぎに、ＣＵ９２２が、ステップＳ１１０３により受信した構成情報要求信号をＤＵ９１５へ送信する（ステップＳ１１０４）。ステップＳ１１０４による構成情報要求信号の送信は、たとえばＣＵ９２２とＤＵ９１５との間のＣＵ−ＤＵ間インタフェースを介して行われる。また、ステップＳ１１０４により送信された構成情報要求信号は、一例としては図８に示したＩＦ処理部１１２ｂを介して通知部１１３ｂに受信される。
【０１５０】
つぎに、ＤＵ９１５が、自装置の第１信号処理に関する構成情報をＣＵ９２２へ送信する（ステップＳ１１０５）。ステップＳ１１０５による構成情報の送信は、一例としては図８に示した無線装置１１０ｂの通知部１１３ｂがＩＦ処理部１１２ｂを用いて実行することができる。つぎに、ＣＵ９２２が、ステップＳ１１０５により受信した構成情報をＣＵ９２１へ送信する（ステップＳ１１０６）。ステップＳ１１０６による構成情報の送信は、たとえばＣＵ９２１，９２２の間のＣＵ間インタフェースを介して行われる。
【０１５１】
つぎに、ＣＵ９２１が、ステップＳ１１０２，Ｓ１１０６により受信した各構成情報に基づいて、ＤＵ９１１，９１５との間の伝送制御を行う（ステップＳ１１０７）。ステップＳ１１０５における伝送制御は、図１０に示したステップＳ１００５における伝送制御と同様である。つぎに、ＣＵ９２１とＤＵ９１１，９１５との間でデータ伝送が行われる（ステップＳ１１０８）。これにより、ＣＵ９２１がＤＵ９１１，９１５を介して無線端末との間でデータ伝送を行うことが可能になる。ステップＳ１１０８におけるＣＵ９２１とＤＵ９１５との間のデータ伝送は、ＣＵ９２２を介して行われる。
【０１５２】
図１１に示したように、ＣＵ９２１は、ＣＵ間インタフェースを用いてＣＵ９２２を介してＤＵ９１５との間で通信を行うことで、自装置と直接接続されていないＤＵ９１５を介して無線端末との間でデータ伝送を行うことができる。
【０１５３】
図１２は、実施の形態１にかかる移動体通信網における処理のさらに他の一例を示すシーケンス図である。図１２においては、図９に示したＣＵ９２１（＃１）およびＤＵ９１１，９１８（＃１，＃８）により無線基地局１００を実現する場合について説明する。この場合に、たとえば図８に示した無線制御装置１２０および無線装置１１０ａ，１１０ｂをそれぞれＣＵ９２１およびＤＵ９１１，９１８に適用することができる。
【０１５４】
ただし、図９に示したように、ＣＵ９２１とＤＵ９１１との間はＣＵ−ＤＵ間インタフェースにより接続されているが、ＣＵ９２１とＤＵ９１８との間はＣＵ−ＤＵ間インタフェースにより接続されていない。そして、ＤＵ９１８は、ＭＭＥ９３２に接続されたＣＵ９２３（＃３）とＣＵ−ＤＵ間インタフェースにより接続されている。この場合は、たとえばＣＵ９２１は、ＭＭＥ９３２およびＣＵ９２３を介してＤＵ９１８と通信を行う。
【０１５５】
図１２に示すステップＳ１２０１，Ｓ１２０２は、図１０に示したステップＳ１００１，Ｓ１００２と同様である。ステップＳ１２０２のつぎに、ＣＵ９２１が、構成情報の送信を要求する構成情報要求信号であってＤＵ９１８を宛先とする構成情報要求信号をＭＭＥ９３２へ送信する（ステップＳ１２０３）。ステップＳ１２０３による構成情報要求信号の送信は、たとえばＣＵ９２１とＭＭＥ９３２との間のＳ１インタフェースを介して行われる。つぎに、ＭＭＥ９３２が、ステップＳ１２０３により受信した構成情報要求信号をＣＵ９２３へ送信する（ステップＳ１２０４）。ステップＳ１２０４による構成情報要求信号の送信は、たとえばＭＭＥ９３２とＣＵ９２３との間のＳ１インタフェースを介して行われる。
【０１５６】
つぎに、ＣＵ９２３が、ステップＳ１２０４により受信した構成情報要求信号をＤＵ９１８へ送信する（ステップＳ１２０５）。ステップＳ１２０５による構成情報要求信号の送信は、たとえばＣＵ９２３とＤＵ９１８との間のＣＵ−ＤＵ間インタフェースを介して行われる。また、ステップＳ１２０５により送信された構成情報要求信号は、一例としては図８に示したＩＦ処理部１１２ｂを介して通知部１１３ｂに受信される。
【０１５７】
つぎに、ＤＵ９１８が、自装置の第１信号処理に関する構成情報であってＣＵ９２１を宛先とする構成情報をＣＵ９２３へ送信する（ステップＳ１２０６）。ステップＳ１２０６による構成情報の送信は、一例としては図８に示した無線装置１１０ｂの通知部１１３ｂがＩＦ処理部１１２ｂを用いて実行することができる。
【０１５８】
つぎに、ＣＵ９２３が、ステップＳ１２０６により受信した構成情報をＭＭＥ９３２へ送信する（ステップＳ１２０７）。ステップＳ１２０７による構成情報の送信は、たとえばＭＭＥ９３２とＣＵ９２３との間のＳ１インタフェースを介して行われる。つぎに、ＭＭＥ９３２が、ステップＳ１２０７により受信した構成情報をＣＵ９２１へ送信する（ステップＳ１２０８）。ステップＳ１２０８による構成情報の送信は、たとえばＭＭＥ９３２とＣＵ９２１との間のＳ１インタフェースを介して行われる。
【０１５９】
つぎに、ＣＵ９２１が、ステップＳ１２０２，Ｓ１２０８により受信した各構成情報に基づいて、ＤＵ９１１，９１８との間の伝送制御を行う（ステップＳ１２０９）。ステップＳ１２０９における伝送制御は、図１０に示したステップＳ１００５における伝送制御と同様である。つぎに、ＣＵ９２１とＤＵ９１１，９１８との間でデータ伝送が行われる（ステップＳ１２１０）。これにより、ＣＵ９２１がＤＵ９１１，９１８を介して無線端末との間でデータ伝送を行うことが可能になる。ステップＳ１２０８におけるＣＵ９２１とＤＵ９１８との間のデータ伝送は、ＭＭＥ９３２およびＣＵ９２３を介して行われる。
【０１６０】
図１２に示したように、ＣＵ９２１は、ＭＭＥ９３２およびＣＵ９２３を介してＤＵ９１８との間で通信を行うことで、自装置と直接接続されていないＤＵ９１８を介して無線端末との間でデータ伝送を行うことができる。また、たとえば図９に示した例においてＣＵ９２１がＭＭＥ９３２と直接接続されていない場合は、ＣＵ９２１は、ＭＭＥ９３１およびＰＧＷ９５０を介してＭＭＥ９３２との間で通信を行ってもよい。
【０１６１】
図１０に示した例では、ＣＵ９２１が各ＤＵに対して構成情報要求信号を送信する処理について説明したが、このような処理に限らない。たとえば、ＣＵ９２１は各ＤＵに対して構成情報要求信号を送信せずに、各ＤＵが所定のタイミングでＣＵ９２１へ構成情報を送信する処理としてもよい。
【０１６２】
（実施の形態１にかかる識別情報を付加された信号のフォーマット）
図１３は、実施の形態１にかかる識別情報を付加された信号のフォーマットの一例を示す図である。たとえば図７に示した無線基地局１００において、ＩＦ処理部１２１とＩＦ処理部１１２ａとの間においては、伝送路１０１を介してたとえば図１３に示す信号１３００が伝送される。
【０１６３】
信号１３００は、混在情報１３０１と、プリアンブル１３０２と、ＳＦＤ１３０３と、宛先アドレス１３０４と、送信元アドレス１３０５と、ＤＵカテゴリ１３０６と、データ種別／プロトコル情報１３０７と、を含む。また、信号１３００は、長さ／タイプ情報１３０８と、クライアントデータ１３０９と、フレームチェックシーケンス１３１０と、を含む。ＳＦＤはＳｔａｒｔ  Ｆｒａｍｅ  Ｄｅｌｉｍｉｔｏｒの略である。
【０１６４】
混在情報１３０１は、無線基地局１００において基地局信号処理の分離ポイントが異なるＤＵの混在の有無を示す１オクテット（ｏｃｔ）の情報である。たとえば図７に示す例では無線基地局１００において基地局信号処理の分離ポイントが異なるＤＵ（無線装置１１０ａ，１１０ｂ）が混在しているため、混在情報１３０１は混在があることを示す値となる。ただし、たとえば基地局信号処理の分離ポイントの混在を前提として移動体通信網が設計される場合は、信号１３００から混在情報１３０１を省いてもよい。なお、上記では１オクテットの情報として説明したが、情報量で限定されるものではなく、複数オクテットであってもよいし、１オクテット未満（すなわち８ビット未満）であってもよい。以下、同様に情報量には限定されないものとして記述する。
【０１６５】
プリアンブル１３０２は、７オクテットの所定パターンである。ＳＦＤ１３０３は、フレームの始まりを示す１オクテットの情報である。宛先アドレス１３０４は、信号１３００の宛先の識別子を示す６オクテットの情報である。送信元アドレス１３０５は、信号１３００の送信元の識別子を示す６オクテットの情報である。なお、宛先アドレス１３０４および送信元アドレス１３０５はたとえばＣＰＲＩの使用においては規定されていないが図１３に示すように宛先アドレス１３０４および送信元アドレス１３０５を信号１３００に用いてもよい。
【０１６６】
ＤＵカテゴリ１３０６は、信号１３００に対応する基地局信号処理の分離ポイントに応じたカテゴリを示す１オクテットの情報である。信号１３００に対応する基地局信号処理の分離ポイントは、たとえば信号１３００を送信または受信するＤＵが対応する基地局信号処理の分離ポイントである。
【０１６７】
データ種別／プロトコル情報１３０７は、ＣＵ−ＤＵ間インタフェースにより伝送される際の信号１３００のデータ種別と、信号１３００をＣＵ−ＤＵ間インタフェースにより伝送するためのプロトコルと、の少なくともいずれかを示す１オクテットの情報である。これらのデータ種別およびプロトコルは、ＤＵカテゴリ１３０６が示す基地局信号処理の分離ポイントによって異なる。
【０１６８】
長さ／タイプ情報１３０８は、信号１３００がシングルホップおよびマルチホップのいずれにより伝送されるかを示す２オクテットの情報である。クライアントデータ１３０９は、ＣＵ−ＤＵ間インタフェースにより伝送されるデータである。クライアントデータ１３０９のデータ種別は、ＤＵカテゴリ１３０６が示す基地局信号処理の分離ポイントによって異なる。フレームチェックシーケンス１３１０は、信号１３００の誤りを検出するための冗長情報である。なお、マルチホップとは、上述のカスケード接続のように、複数の装置を介して送信元と送信先間でデータ伝送を行う形式であり、シングルホップとは、他の装置が介在せず送信元と送信先間で直接データ伝送を行う形式である。
【０１６９】
上述した識別情報は、たとえばＤＵカテゴリ１３０６およびデータ種別／プロトコル情報１３０７の少なくともいずれかにより実現することができる。たとえば、ＤＵカテゴリ１３０６により識別情報を実現する場合は信号１３００からデータ種別／プロトコル情報１３０７を省いてもよい。また、データ種別／プロトコル情報１３０７により識別情報を実現する場合は信号１３００からＤＵカテゴリ１３０６を省いてもよい。
【０１７０】
たとえば、無線制御装置１２０のＩＦ処理部１２１は、入力された信号１３００に対応する基地局信号処理の分離ポイントによらずに、入力された信号１３００のうちの少なくともＤＵカテゴリ１３０６やデータ種別／プロトコル情報１３０７を受信可能である。また、ＩＦ処理部１２１は、信号１３００に対応する基地局信号処理の分離ポイントを、ＤＵカテゴリ１３０６およびデータ種別／プロトコル情報１３０７の少なくともいずれかに基づいて判定する。そして、ＩＦ処理部１２１は、判定結果に基づきクライアントデータ１３０９の伝送方法を切り替える。ＩＦ処理部１２１が識別情報に基づいて伝送方法を切り替える処理について説明したが、第２処理部１２２，１２２ａ，１２２ｂが識別情報に基づいて伝送方法を切り替える処理も同様である。
【０１７１】
また、上述した構成情報は、たとえば図１３に示した信号１３００により実現することができる。たとえば、構成情報は、信号１３００に含まれるＤＵカテゴリ１３０６およびデータ種別／プロトコル情報１３０７の少なくともいずれかとすることができる。たとえば、無線装置１１０の通知部１１３は、構成情報として図１３に示した信号１３００を無線制御装置１２０へ送信する。この場合に、たとえば長さ／タイプ情報１３０８やクライアントデータ１３０９は信号１３００から省いてもよい。
【０１７２】
図１４は、実施の形態１にかかる識別情報を付加された信号のフォーマットの他の一例を示す図である。図１４において、図１３に示した部分と同様の部分については同一の符号を付して説明を省略する。たとえば図７に示した無線基地局１００において、ＩＦ処理部１２１とＩＦ処理部１１２ａとの間においては、伝送路１０１を介してたとえば図１４に示す信号１３００が伝送されてもよい。
【０１７３】
図１４に示す信号１３００は、図１３に示した信号１３００のＤＵカテゴリ１３０６に代えて分離ポイント１４０１を含む。分離ポイント１４０１は、信号１３００に対応する基地局信号処理の分離ポイントを示す１オクテットの情報である。
【０１７４】
上述した識別情報は、たとえば分離ポイント１４０１およびデータ種別／プロトコル情報１３０７の少なくともいずれかにより実現することができる。たとえば、分離ポイント１４０１により識別情報を実現する場合は信号１３００からデータ種別／プロトコル情報１３０７を省いてもよい。また、データ種別／プロトコル情報１３０７により識別情報を実現する場合は信号１３００から分離ポイント１４０１を省いてもよい。
【０１７５】
たとえば、ＩＦ処理部１２１は、入力された信号１３００に対応する分離ポイントによらずに、入力された信号１３００のうちの少なくとも分離ポイント１４０１やデータ種別／プロトコル情報１３０７を受信可能である。そして、ＩＦ処理部１２１は、信号１３００に対応する分離ポイントを、分離ポイント１４０１およびデータ種別／プロトコル情報１３０７の少なくともいずれかに基づいて判定し、判定結果に基づいてクライアントデータ１３０９の伝送方法を切り替える。ＩＦ処理部１２１が識別情報に基づいて伝送方法を切り替える処理について説明したが、第２処理部１２２，１２２ａ，１２２ｂが識別情報に基づいて伝送方法を切り替える処理も同様である。
【０１７６】
また、上述した構成情報は、たとえば図１４に示した信号１３００により実現することができる。たとえば、構成情報は、信号１３００に含まれる分離ポイント１４０１およびデータ種別／プロトコル情報１３０７の少なくともいずれかとすることができる。たとえば、無線装置１１０の通知部１１３は、構成情報として図１４に示した信号１３００を無線制御装置１２０へ送信する。この場合に、たとえば長さ／タイプ情報１３０８やクライアントデータ１３０９は信号１３００から省いてもよい。
【０１７７】
（実施の形態１にかかる基地局信号処理の分離ポイントごとのＤＵカテゴリ）
図１５は、実施の形態１にかかる基地局信号処理の分離ポイントごとのＤＵカテゴリの一例を示す図である。図１５に示すテーブル１５００は、無線基地局１００が適用される移動体通信網において定義された基地局信号処理の分離ポイントごとのＤＵカテゴリを示す。ＤＵカテゴリの１〜８は、それぞれ分離ポイント８〜１に対応する。
【０１７８】
テーブル１５００の伝送データ種別は、基地局信号処理の分離ポイントに応じたデータ種別であって、ＣＵ−ＤＵ間インタフェースを介して伝送される信号のデータ種別である。図１５に示す例では、伝送データ種別として、アナログのＩＱデータ、ディジタルのＩＱデータ、ＭＡＣ  ＰＤＵ、ＭＡＣ  ＳＤＵ、ＲＬＣ  ＰＤＵ、ＲＬＣ  ＳＤＵ、ＰＤＣＰ  ＰＤＵおよびＰＤＣＰ  ＳＤＵがある。
【０１７９】
テーブル１５００のプロトコルは、基地局信号処理の分離ポイントに応じたプロトコルであって、ＣＵ−ＤＵ間インタフェースを介して行われる信号の伝送のプロトコルである。図１５に示す例では、プロトコルとしてＣＰＲＩおよびＰ１〜Ｐ７があるとする。Ｐ１〜Ｐ７のそれぞれは、たとえば基地局信号処理の分離ポイントに応じて新たに定義されるプロトコルである。
【０１８０】
テーブル１５００の機能は、分離ポイントに応じたＤＵの第１信号処理に含まれる機能（処理）である。図１５に示す例では、無線基地局１００の基地局信号処理に、ＲＦ、Ｐｈｙ、ＢＢ、ＭＡＣ、ＲＬＣおよびＰＤＣＰの各処理が含まれるとする。
【０１８１】
ＤＵカテゴリ１に対応する分離ポイント８は、基地局信号処理をＲＦとＰｈｙとの間で分離する分離ポイントである。分離ポイント８において、ＤＵの第１信号処理にはＲＦの処理が含まれる。したがって、分離ポイント８では、ＣＵの第２信号処理にはＰｈｙ、ＢＢ、ＭＡＣ、ＲＬＣおよびＰＤＣＰの各処理が含まれる。また、分離ポイント８では、ＣＵ−ＤＵ間インタフェースにおいてアナログのＩＱデータがＣＰＲＩにより伝送される。
【０１８２】
ＤＵカテゴリ２に対応する分離ポイント７は、基地局信号処理をＰｈｙとＢＢとの間で分離する分離ポイントである。分離ポイント７において、ＤＵの第１信号処理にはＲＦおよびＰｈｙの各処理が含まれる。したがって、分離ポイント７では、ＣＵの第２信号処理にはＢＢ、ＭＡＣ、ＲＬＣおよびＰＤＣＰの各処理が含まれる。また、分離ポイント７では、ＣＵ−ＤＵ間インタフェースにおいてディジタルのＩＱデータがＰ１により伝送される。
【０１８３】
ＤＵカテゴリ３に対応する分離ポイント６は、基地局信号処理をＢＢとＭＡＣとの間で分離する分離ポイントであり、たとえば図４に示した分離ポイントである。分離ポイント６において、ＤＵの第１信号処理にはＲＦ、ＰｈｙおよびＢＢの各処理が含まれる。したがって、分離ポイント６では、ＣＵの第２信号処理にはＭＡＣ、ＲＬＣおよびＰＤＣＰの各処理が含まれる。また、分離ポイント６では、ＣＵ−ＤＵ間インタフェースにおいてＭＡＣ  ＰＤＵがＰ２により伝送される。
【０１８４】
ＤＵカテゴリ４に対応する分離ポイント５は、基地局信号処理をＭＡＣの途中（たとえばＰＤＵとＳＤＵの変換部）で分離する分離ポイントである。分離ポイント５において、ＤＵの第１信号処理にはＲＦ、Ｐｈｙ、ＢＢおよびＭＡＣの一部（たとえばＬｏｗ−ＭＡＣ）の各処理が含まれる。したがって、分離ポイント５では、ＣＵの第２信号処理にはＭＡＣの一部（たとえばＨｉｇｈ−ＭＡＣ）、ＲＬＣおよびＰＤＣＰの各処理が含まれる。また、分離ポイント５では、ＣＵ−ＤＵ間インタフェースにおいてＭＡＣ  ＳＤＵがＰ３により伝送される。
【０１８５】
ＤＵカテゴリ５に対応する分離ポイント４は、基地局信号処理をＭＡＣとＲＬＣとの間で分離する分離ポイントであり、たとえば図５に示した分離ポイントである。分離ポイント４において、ＤＵの第１信号処理にはＲＦ、Ｐｈｙ、ＢＢおよびＭＡＣの各処理が含まれる。したがって、分離ポイント４では、ＣＵの第２信号処理にはＲＬＣおよびＰＤＣＰの各処理が含まれる。また、分離ポイント４では、ＣＵ−ＤＵ間インタフェースにおいてＲＬＣ  ＰＤＵがＰ４により伝送される。
【０１８６】
ＤＵカテゴリ６に対応する分離ポイント３は、基地局信号処理をＲＬＣの途中（たとえばＰＤＵとＳＤＵの変換部）で分離する分離ポイントである。分離ポイント４において、ＤＵの第１信号処理にはＲＦ、Ｐｈｙ、ＢＢ、ＭＡＣおよびＲＬＣの一部（たとえばＲＬＣ）の各処理が含まれる。したがって、分離ポイント４では、ＣＵの第２信号処理にはＲＬＣの一部（たとえばＨｉｇｈ−ＲＬＣ）およびＰＤＣＰの各処理が含まれる。また、分離ポイント４では、ＣＵ−ＤＵ間インタフェースにおいてＲＬＣ  ＳＤＵがＰ５により伝送される。
【０１８７】
ＤＵカテゴリ７に対応する分離ポイント２は、基地局信号処理をＲＬＣとＰＤＣＰとの間で分離する分離ポイントであり、たとえば図６に示した分離ポイントである。分離ポイント２において、ＤＵの第１信号処理にはＲＦ、Ｐｈｙ、ＢＢ、ＭＡＣおよびＲＬＣの各処理が含まれる。したがって、分離ポイント２では、ＣＵの第２信号処理にはＰＤＣＰの処理が含まれる。また、分離ポイント２では、ＣＵ−ＤＵ間インタフェースにおいてＰＤＣＰ  ＰＤＵがＰ６により伝送される。
【０１８８】
ＤＵカテゴリ８に対応する分離ポイント１は、基地局信号処理をＰＤＣＰの途中（たとえばＰＤＵとＳＤＵの変換部）で分離する分離ポイントである。分離ポイント１において、ＤＵの第１信号処理にはＲＦ、Ｐｈｙ、ＢＢ、ＭＡＣ、ＲＬＣおよびＰＤＣＰの一部（たとえばＬｏｗ−ＰＤＣＰ）の各処理が含まれる。したがって、分離ポイント１では、ＣＵの第２信号処理にはＰＤＣＰの一部（たとえばＨｉｇｈ−ＰＤＣＰ）の処理が含まれる。また、分離ポイント１では、ＣＵ−ＤＵ間インタフェースにおいてＰＤＣＰ  ＳＤＵがＰ７により伝送される。
【０１８９】
たとえば、図４に示した無線装置１１０は、無線制御装置１２０に接続された状態で、ＤＵカテゴリ＝３、分離ポイント＝６、伝送データ種別＝ＭＡＣ  ＰＤＵおよびプロトコル＝Ｐ２の少なくともいずれかを構成情報として無線制御装置１２０へ送信する。これにより、無線制御装置１２０は、無線装置１１０が分離ポイント６に対応する構成であると判断し、自装置の第２処理部１２２においてＭＡＣ、ＲＬＣおよびＰＤＣＰの各処理を行う設定を行う。また、無線制御装置１２０は、無線装置１１０との間で伝送路１０１を介してＰ２のプロトコルを用いてＭＡＣ  ＰＤＵを伝送するための設定を行う。
【０１９０】
また、図５に示した無線装置１１０は、無線制御装置１２０に接続された状態で、ＤＵカテゴリ＝５、分離ポイント＝４、伝送データ種別＝ＲＬＣ  ＰＤＵおよびプロトコル＝Ｐ４の少なくともいずれかを構成情報として無線制御装置１２０へ送信する。これにより、無線制御装置１２０は、無線装置１１０が分離ポイント４に対応する構成であると判断し、自装置の第２処理部１２２において、ＲＬＣおよびＰＤＣＰの各処理を行う設定を行う。また、無線制御装置１２０は、無線装置１１０との間で伝送路１０１を介してＰ４のプロトコルを用いてＲＬＣ  ＰＤＵを伝送するための設定を行う。
【０１９１】
また、図６に示した無線装置１１０は、無線制御装置１２０に接続された状態で、ＤＵカテゴリ＝７、分離ポイント＝２、伝送データ種別＝ＰＤＣＰ  ＰＤＵおよびプロトコル＝Ｐ６の少なくともいずれかを構成情報として無線制御装置１２０へ送信する。これにより、無線制御装置１２０は、無線装置１１０が分離ポイント２に対応する構成であると判断し、自装置の第２処理部１２２において、ＰＤＣＰの処理を行う設定を行う。また、無線制御装置１２０は、無線装置１１０との間で伝送路１０１を介してＰ６のプロトコルを用いてＰＤＣＰ  ＰＤＵを伝送するための設定を行う。
【０１９２】
ただし、基地局信号処理の分離ポイントごとのＤＵカテゴリは、テーブル１５００に示した例に限らない。たとえば、テーブル１５００は、３ＧＰＰのＴＲ３８．８０１のＶ０．２．０  ６．１．２．１に規定された基地局信号処理の分離ポイントの候補に基づく一例である。３ＧＰＰは３ｒｄ  Ｇｅｎｅｒａｔｉｏｎ  Ｐａｒｔｎｅｒｓｈｉｐ  Ｐｒｏｊｅｃｔの略である。たとえば、分離ポイント自体や、ＤＵカテゴリ、伝送データ種別、プロトコル、機能の定義は、実際に運用される移動体通信システムに応じて種々の変更が可能である。
【０１９３】
（実施の形態１にかかる無線装置のハードウェア構成）
図１６は、実施の形態１にかかる無線装置のハードウェア構成の一例を示す図である。上述した無線装置１１０は、たとえば図１６に示す通信装置１６００によって実現することができる。通信装置１６００は、ＣＰＵ１６０１と、メモリ１６０２と、有線通信インタフェース１６０３と、無線通信インタフェース１６０４と、を備える。ＣＰＵ１６０１、メモリ１６０２、有線通信インタフェース１６０３および無線通信インタフェース１６０４は、バス１６０９によって接続される。ＣＰＵはＣｅｎｔｒａｌ  Ｐｒｏｃｅｓｓｉｎｇ  Ｕｎｉｔ（中央処理装置）の略である。
【０１９４】
ＣＰＵ１６０１は、通信装置１６００の全体の制御を司る。メモリ１６０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ１６０１のワークエリアとして使用される。補助メモリは、たとえば磁気ディスク、光ディスク、フラッシュメモリなどの不揮発メモリである。補助メモリには、通信装置１６００を動作させる各種のプログラムが記憶されている。補助メモリに記憶されたプログラムは、メインメモリにロードされてＣＰＵ１６０１によって実行される。
【０１９５】
無線通信インタフェース１６０４は、無線によって通信装置１６００の外部（たとえば無線端末）との間で通信を行う通信インタフェースである。無線通信インタフェース１６０４は、ＣＰＵ１６０１によって制御される。
【０１９６】
有線通信インタフェース１６０３は、有線によって無線基地局１００における他装置（たとえば無線制御装置１２０）との間で通信を行う通信インタフェースである。有線通信インタフェース１６０３は、ＣＰＵ１６０１によって制御される。
【０１９７】
図１に示したアンテナ１１５は、たとえば無線通信インタフェース１６０４に含まれる。図１に示した第１処理部１１１は、たとえばＣＰＵ１６０１および無線通信インタフェース１６０４の少なくともいずれかにより実現することができる。図１に示したＩＦ処理部１１２は、たとえば有線通信インタフェース１６０３により実現することができる。図１に示した通知部１１３は、たとえばＣＰＵ１６０１および有線通信インタフェース１６０３の少なくともいずれかにより実現することができる。
【０１９８】
また、無線装置１１０のハードウェア構成は図１６に示したハードウェア構成に限らない。たとえば、ＣＰＵ１６０１やメモリ１６０２に対応する構成を、ＦＰＧＡ（Ｆｉｅｌｄ  Ｐｒｏｇｒａｍｍａｂｌｅ  Ｇａｔｅ  Ａｒｒａｙ）やＤＳＰ（Ｄｉｇｉｔａｌ  Ｓｉｇｎａｌ  Ｐｒｏｃｅｓｓｏｒ）などを用いて実現してもよい。無線装置１１０のハードウェア構成について説明したが、無線装置１１０ａ，１１０ｂのハードウェア構成についても同様である。
【０１９９】
（実施の形態１にかかる無線制御装置のハードウェア構成）
図１７は、実施の形態１にかかる無線制御装置のハードウェア構成の一例を示す図である。上述した無線制御装置１２０は、たとえば図１７に示す情報処理装置１７００によって実現することができる。情報処理装置１７００は、ＣＰＵ１７０１と、メモリ１７０２と、有線通信インタフェース１７０３，１７０４と、を備える。ＣＰＵ１７０１、メモリ１７０２および有線通信インタフェース１７０３，１７０４は、バス１７０９によって接続される。
【０２００】
ＣＰＵ１７０１は、情報処理装置１７００の全体の制御を司る。メモリ１７０２には、たとえばメインメモリおよび補助メモリが含まれる。メインメモリは、たとえばＲＡＭである。メインメモリは、ＣＰＵ１７０１のワークエリアとして使用される。補助メモリは、たとえば磁気ディスク、光ディスク、フラッシュメモリなどの不揮発メモリである。補助メモリには、情報処理装置１７００を動作させる各種のプログラムが記憶されている。補助メモリに記憶されたプログラムは、メインメモリにロードされてＣＰＵ１７０１によって実行される。
【０２０１】
有線通信インタフェース１７０３は、有線によって無線基地局１００における他装置（たとえば無線装置１１０）との間で通信を行う通信インタフェースである。有線通信インタフェース１７０４は、有線によって無線基地局１００の上位装置との間で通信を行う通信インタフェースである。有線通信インタフェース１７０３，１７０４のそれぞれは、ＣＰＵ１７０１によって制御される。
【０２０２】
図１に示したＩＦ処理部１２１は、たとえば有線通信インタフェース１７０３により実現することができる。図１に示した第２処理部１２２および制御部１２３のそれぞれは、たとえばＣＰＵ１７０１および有線通信インタフェース１７０３の少なくともいずれかにより実現することができる。また、第２処理部１２２と無線基地局１００の上位装置との間の信号の伝送は、たとえば有線通信インタフェース１７０４により行うことができる。
【０２０３】
また、無線制御装置１２０のハードウェア構成は図１７に示したハードウェア構成に限らない。たとえば、ＣＰＵ１７０１やメモリ１７０２に対応する構成を、ＦＰＧＡやＤＳＰなどを用いて実現してもよい。
【０２０４】
このように、実施の形態１によれば、無線装置１１０が、基地局信号処理のうちの無線装置１１０の第１信号処理に関する構成情報を伝送路１０１により無線制御装置１２０へ通知することができる。
【０２０５】
これにより、たとえば、無線制御装置１２０が、通知された構成情報に基づいて、基地局信号処理のうちの無線制御装置１２０の第２信号処理の制御を行うことができる。または、無線制御装置１２０が、通知された構成情報に基づいて、無線装置１１０との間の信号を伝送路により伝送するための伝送方法の制御を行うことができる。伝送方法の制御には、たとえば信号を伝送するためのプロトコルの設定と、伝送する信号のデータ種別の設定と、の少なくともいずれかが含まれる。または、無線制御装置１２０が、通知された構成情報に基づいて、基地局信号処理のうちの無線制御装置１２０の第２信号処理の制御と、無線装置１１０との間の信号を伝送路により伝送するための伝送方法の制御と、を行うことができる。
【０２０６】
このため、たとえば無線装置１１０によって基地局信号処理の分離ポイントが異なっていても、無線装置１１０および無線制御装置１２０の間で信号を伝送し、無線装置１１０と無線制御装置１２０がそれぞれ第１信号処理と第２信号処理を行うことができる。このため、基地局信号処理の複数通りの分離ポイントを混在させることが可能になる。
【０２０７】
また、無線装置１１０が無線制御装置１２０へ無線装置１１０の構成情報を通知する構成について説明したが、無線制御装置１２０が無線装置１１０へ無線制御装置１２０の構成情報を通知する構成としてもよい。すなわち、基地局信号処理のうちの無線制御装置１２０の第２信号処理に関する構成情報を伝送路により無線装置１１０へ通知する第２通知部（たとえば図１，図１８の通知部１２４）が無線制御装置１２０に設けられてもよい。
【０２０８】
これにより、たとえば、無線装置１１０が、通知された構成情報に基づいて、基地局信号処理のうちの無線装置１１０の第１信号処理の制御を行うことができる。または、無線装置１１０が、通知された構成情報に基づいて、無線制御装置１２０との間の信号を伝送路により伝送するための伝送方法の制御を行うことができる。または、無線装置１１０が、通知された構成情報に基づいて、基地局信号処理のうちの無線装置１１０の第１信号処理の制御と、無線制御装置１２０との間の信号を伝送路により伝送するための伝送方法の制御と、を行うことができる。
【０２０９】
このため、たとえば無線制御装置１２０によって基地局信号処理の分離ポイントが異なっていても、無線装置１１０と無線制御装置１２０との間で信号を伝送し、無線装置１１０と無線制御装置１２０がそれぞれ第１信号処理と第２信号処理を行うことができる。このため、基地局信号処理の複数通りの分離ポイントを混在させることが可能になる。
【０２１０】
無線制御装置１２０から無線装置１１０への構成情報の通知方法は、上述した無線装置１１０から無線制御装置１２０への構成情報の通知方法と同様である。また、無線制御装置１２０から通知された構成情報に基づく無線装置１１０による制御は、上述した無線装置１１０から通知された構成情報に基づく無線制御装置１２０による制御と同様である。
【０２１１】
また、これらの構成を組み合わせてもよい。すなわち、無線装置１１０が無線制御装置１２０へ無線装置１１０の構成情報を通知し、かつ無線制御装置１２０が無線装置１１０へ無線制御装置１２０の構成情報を通知する構成としてもよい。
【０２１２】
また、実施の形態１によれば、無線制御装置１２０に対して無線装置１１０ａ，１１０ｂを接続し、無線制御装置１２０と無線装置１１０ａとの間の信号と、無線制御装置１２０と無線装置１１０ｂとの間の信号と、を同一の伝送路を介して送信することができる。このため、無線基地局における信号処理を分離する複数のポイントを混在させることが可能になる。
【０２１３】
たとえば、無線制御装置１２０は、無線装置１１０ａへの第１信号に、無線装置１１０ａの第１信号処理に含まれる処理に応じた識別情報を第１信号に付加してもよい。また、無線制御装置１２０は、無線装置１１０ｂへの第２信号に、無線装置１１０ｂの第１信号処理に含まれる処理に応じた識別情報を付加してもよい。この場合は、無線制御装置１２０は、第１信号に付加した識別情報に基づく伝送方法により第１信号を伝送路により無線装置１１０ａへ伝送する。また、無線制御装置１２０は、第２信号に付加した識別情報に基づく伝送方法により第２信号を伝送路により無線装置１１０ｂへ伝送する。
【０２１４】
これにより、無線装置１１０ａ，１１０ｂが互いに基地局信号処理の分離ポイントが異なっていても、無線装置１１０ａ，１１０ｂに対してそれぞれの基地局信号処理の分離ポイントに応じた伝送方法によって信号を送信することができる。このため、基地局信号処理の複数通りの分離ポイントを混在させることが可能になる。
【０２１５】
また、無線装置１１０ａは、無線制御装置１２０への信号に、無線装置１１０ａの第１信号処理に含まれる処理に応じた識別情報を付加してもよい。この場合は、無線装置１１０ａは、無線制御装置１２０への信号に付加した識別情報に基づく伝送方法により、無線制御装置１２０への信号を伝送路により伝送する。これにより、無線装置１１０ａ，１１０ｂが互いに基地局信号処理の分離ポイントが異なっていても、無線制御装置１２０は、無線装置１１０ａからの信号に付加された識別情報に基づく伝送方法によって無線装置１１０ａからの信号を受信することができる。
【０２１６】
また、実施の形態１において、上述した識別情報の送信を行わない構成としてもよい。この場合においても、上述した構成情報を送信することにより、第１信号処理または第２信号処理の設定や信号の伝送方法の制御を行うことができる。このため、基地局信号処理の複数通りの分離ポイントを混在させることが可能になる。
【０２１７】
また、この場合において、構成情報に基づいて伝送路による伝送方法を宛先ごとに設定する構成としてもよい。これにより、無線制御装置１２０と無線装置１１０ａ，１１０ｂとの間で基地局信号処理の分離ポイントに応じた伝送方法によって信号を送信することができる。このため、基地局信号処理の複数通りの分離ポイントを混在させることが可能になる。
【０２１８】
また、実施の形態１において、上述した構成情報の送信を行わない構成としてもよい。この場合においても、上述した識別情報を送信することにより、無線制御装置１２０と無線装置１１０ａ，１１０ｂとの間で基地局信号処理の分離ポイントに応じた伝送方法によって信号を送信することができる。このため、基地局信号処理の複数通りの分離ポイントを混在させることが可能になる。
【０２１９】
また、無線制御装置１２０に複数の無線装置１１０が直接的または間接的に接続する場合に、無線装置１１０が自装置の構成情報を他の無線装置１１０へ送信する構成としてもよい。
【０２２０】
（実施の形態２）
実施の形態２について、実施の形態１と異なる部分について説明する。実施の形態２においては、たとえば無線制御装置１２０が無線装置１１０から受信した構成情報を無線端末へ送信する構成について説明する。
【０２２１】
（実施の形態２にかかる無線基地局）
図１８は、実施の形態２にかかる無線通信システムの一例を示す図である。図１８において、図１に示した部分と同様の部分については同一の符号を付して説明を省略する。図１８に示すように、実施の形態２にかかる無線通信システム１８００は、たとえば、無線基地局１００と、無線端末１８１０と、を含む。無線端末１８１０は、上述した無線基地局１００と通信を行う無線端末である。
【０２２２】
無線基地局１００は、基地局信号処理のうち、第１処理部１１１による第１信号処理および第２処理部１２２による第２信号処理に関する構成情報を、無線装置１１０が形成するセルと対応付けて無線端末１８１０へ送信する。すなわち、この構成情報は、基地局信号処理の第１信号処理および第２信号処理への配分に応じた上述の基地局信号処理の分離ポイントに関する情報である。無線端末１８１０へ構成情報を送信する処理は、たとえば第２処理部１２２により行うことができる。
【０２２３】
たとえば、無線端末１８１０へ構成情報を送信する処理を第２処理部１２２において行う場合は、制御部１２３は、ＩＦ処理部１２１を介して取得した無線装置１１０の構成情報を第２処理部１２２へ通知する。これに対して、第２処理部１２２は、制御部１２３から通知された構成情報を無線端末１８１０への信号に格納し、構成情報を格納した信号を、ＩＦ処理部１２１を介して無線装置１１０へ送信する。
【０２２４】
これにより、構成情報を無線基地局１００から無線端末１８１０へ送信することができる。ただし、無線装置１１０の構成情報をそのまま無線端末１８１０へ送信する構成に限らない。たとえば、無線基地局１００は、無線装置１１０の構成情報を、データ形式やフォーマットの変換を行ってから無線端末１８１０へ送信してもよい。たとえば、無線基地局１００が無線端末１８１０へ送信する構成情報は、上述した無線基地局１００における基地局信号処理の分離ポイントを無線端末１８１０が特定可能な情報であればよい。
【０２２５】
また、無線基地局１００は、無線制御装置１２０に対して複数の無線装置１１０（たとえば無線装置１１０ａ，１１０ｂ）が接続されている場合は、複数の無線装置１１０のそれぞれについて構成情報を無線端末１８１０へ送信してもよい。この場合は、複数の無線装置１１０について各構成情報を、それぞれ複数の無線装置１１０を用いて送信してもよいし、複数の無線装置１１０のうちの一部の無線装置を用いてまとめて送信してもよい。
【０２２６】
無線端末１８１０は、たとえば、アンテナ１８１１と、通信部１８１２と、制御部１８１３と、を備える。通信部１８１２は、無線装置１１０から無線送信された信号を、アンテナ１８１１を介して受信する。そして、通信部１８１２は、受信した信号を制御部１８１３へ出力する。
【０２２７】
制御部１８１３は、通信部１８１２から出力された信号に含まれる構成情報に基づいて、無線基地局１００が形成するセルを含む各セルの中から自端末の接続先のセルを選択する。そして、制御部１８１３は、選択したセルへ自端末が接続するための制御を行う。
【０２２８】
（実施の形態２にかかる無線通信システムにおける処理）
図１９は、実施の形態２にかかる無線通信システムにおける処理の一例を示すシーケンス図である。図１９においては、図９に示したＣＵ９２１（＃１）およびＤＵ９１１，９１２（＃１，＃２）により無線基地局１００を実現する場合について説明する。この場合に、たとえば図８に示した無線制御装置１２０および無線装置１１０ａ，１１０ｂをそれぞれＣＵ９２１およびＤＵ９１１，９１２に適用することができる。
【０２２９】
ＣＵ９２１に対してＤＵ９１１，９１２が接続された状態で、たとえば図１９に示す各ステップが実行される。図１９に示すステップＳ１９０１〜Ｓ１９０５は、図１０に示したステップＳ１００１〜Ｓ１００５と同様である。
【０２３０】
ステップＳ１９０５のつぎに、ＣＵ９２１が、ステップＳ１９０２，Ｓ１９０４により受信した構成情報に基づいてＤＵリストを生成する（ステップＳ１９０６）。ＤＵリストは、上述した複数の無線装置１１０についての各構成情報を含む情報である。ＤＵリストの例については後述する。ステップＳ１９０６において、ＤＵリストを生成済みである場合は、ＣＵ９２１は、ステップＳ１９０２，Ｓ１９０４により受信した構成情報に基づいて、生成済みのＤＵリストを更新してもよい。
【０２３１】
つぎに、ＣＵ９２１とＤＵ９１１，９１２との間でデータ伝送が行われる（ステップＳ１９０７）。これにより、ＣＵ９２１がＤＵ９１１，９１２を介して無線端末との間でデータ伝送を行うことが可能になる。また、ステップＳ１９０７により伝送されるデータのうちの下りデータには、ステップＳ１９０６により生成または更新されたＤＵリストが含まれる。すなわち、ＣＵ９２１は、ＤＵ９１１，９１２の少なくともいずれかにより、ステップＳ１９０６により生成または更新したＤＵリストを無線端末１８１０へ送信する。
【０２３２】
つぎに、無線端末１８１０が、ステップＳ１９０７において受信したＤＵリストに基づいて、無線基地局１００が形成するセルを含む各セルの中から自端末の接続先のセルを選択するセル選択を行う（ステップＳ１９０８）。
【０２３３】
図１９に示したＣＵ９２１（＃１）およびＤＵ９１１，９１２（＃１，＃２）により無線基地局１００を実現する場合の処理について説明したが、他のＣＵとＤＵにより無線基地局１００を実現する場合の処理についても同様である。
【０２３４】
また、無線基地局１００によるＤＵリストの送信は、無線端末１８１０などの無線端末に対して個別に行ってもよいし、無線基地局１００のセル内の各無線端末へブロードキャスト（報知）することによって行ってもよい。なお、各無線端末に対して、システム情報または共通制御情報として報知してもよい。
【０２３５】
（実施の形態２にかかるＤＵリスト）
図２０は、実施の形態２にかかるＤＵリストの一例を示す図である。無線基地局１００は、たとえば図２０に示すＤＵリスト２０００を無線端末１８１０へ送信する。ＤＵリスト２０００は、無線基地局１００が備えるＤＵ（無線装置１１０）ごとに、ＤＵ識別子と、セルＩＤと、下り周波数と、セル選択パラメータと、ＤＵカテゴリと、が含まれる。
【０２３６】
まず、ＤＵリスト２０００のＤＵ識別子について説明する。ＤＵ識別子は、無線装置１１０に対応するＤＵの識別子である。ＤＵ識別子には、一例としては０〜１０２３の１０２４通りの値が用いられる。図２０に示す例では、無線基地局１００の無線制御装置１２０には無線装置１１０として３個のＤＵが接続されており、この３個のＤＵのＤＵ識別子がそれぞれ１〜３である。
【０２３７】
つぎに、ＤＵリスト２０００のセルＩＤについて説明する。セルＩＤは、無線装置１１０に対応するＤＵが形成するセルの識別子である。セルＩＤには、一例としては０〜５０３の５０４通りの値が用いられる。図２０に示す例では、３個のＤＵが形成する各セルのセルＩＤがそれぞれ１０，１０，１１である。すなわち、３個のＤＵのうちの２個のＤＵは、セルＩＤ＝１０の同一のセルを形成し、残りの１個のＤＵはセルＩＤ＝１１のセルを形成する。
【０２３８】
無線基地局１００においては、たとえば１個のセルに対して１個のＤＵが割り当てられる。ただし、たとえば１個のＤＵが１アンテナに相当すると考えると、複数のアンテナを用いるＭＩＭＯ、ＡＡＡ、ダイバーシチなどにおいては、１個のセルに対して複数のＤＵが設定される。ＭＩＭＯはＭｕｌｔｉｐｌｅ  Ｉｎｐｕｔ  Ｍｕｌｔｉｐｌｅ  Ｏｕｔｐｕｔ（多元入力多元出力）の略である。ＡＡＡはＡｄａｐｔｉｖｅ  Ａｒｒａｙ  Ａｎｔｅｎｎａの略である。なお、ＡＡＡはビームフォーミング（ｂｅａｍ  ｆｏｒｍｉｎｇ）と同等と考えることもできる。
【０２３９】
また、５Ｇにおいて、１個のセルに対して複数のＤＵが割り当てられる可能性もある。すなわち、Ｆ−ＯＦＤＭなどのシステム帯域内に、サブキャリア間隔やシンボル長が異なり、複数のサブキャリアで構成されたＳＣＢを設定することも検討されており、１個のＳＣＢに対して１個のＤＵが割り当てられる可能性がある。Ｆ−ＯＦＤＭはＦｉｌｔｅｒｅｄ−ＯＦＤＭの略である。ＯＦＤＭはＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重）の略である。ＳＣＢはＳｕｂ  Ｃａｒｒｉｅｒ  Ｂｌｏｃｋの略である。また、ＳＣＢはクラスタや周波数帯域であってもよい。さらに、１個のセルに複数のＳＣＢが設定されてもよい。このため、１個のセルに対して複数のＤＵが割り当てられる可能性がある。
【０２４０】
たとえばＬＴＥのセルＩＤは１６８×３の５０４通りであるが、５Ｇにおいては５０４通りではない可能性もある。また、マッシブＭＩＭＯ（ｍａｓｓｉｖｅ  ＭＩＭＯ）の導入により、各ビームに対してセルＩＤまたはビームＩＤが付与されたり、上述のようにＳＣＢごとにセルＩＤまたはＳＣＢ  ＩＤが付与されたりする可能性もある。これらを考慮し、ＤＵリスト２０００にセルＩＤを含めてもよい。なお、後述のＬＴＥの隣接セルリストにもセルＩＤが含まれている。
【０２４１】
ＤＵリスト２０００の下り周波数について説明する。下り周波数は、対応するＤＵが無線端末１８１０へ送信可能な無線信号の周波数［ＭＨｚ］である。なお、ＬＴＥの隣接セルリストと同様に、下り周波数そのものではなく、下り周波数から計算した値をＤＵリスト２０００に用いてもよい。この値の計算式には、一例としては３ＧＰＰのＴＳ３６．１０１  ５．７．３で規定されている式を用いてもよい。
【０２４２】
また、ＤＵリスト２０００の下り周波数は、一例としては下り周波数の中心周波数であるが、帯域幅が既知であれば下り周波数の下限または上限の周波数であってもよい。また、下り周波数に代えて、または下り周波数に加えて、上り周波数をＤＵリスト２０００に含めてもよい。また、下り周波数や上り周波数の帯域幅をＤＵリスト２０００に含めてもよい。これらは、ＦＤＤを前提としているが、ＴＤＤの場合は、上り周波数と下り周波数が一致しているため、周波数を付加しなくてもよいし、付加してもよい。ＦＤＤはＦｒｅｑｕｅｎｃｙ  Ｄｉｖｉｓｉｏｎ  Ｄｕｐｌｅｘ（周波数分割複信）の略である。ＴＤＤはＴｉｍｅ  Ｄｉｖｉｓｉｏｎ  Ｄｕｐｌｅｘ（時分割複信）の略である。
【０２４３】
ＤＵリスト２０００のセル選択パラメータについて説明する。セル選択パラメータは、無線端末１８１０がセルを選択するためのパラメータである。たとえばＬＴＥの隣接セルリストにはセル再選択のためのパラメータが含まれている。これと同様に、ＤＵリスト２０００にセル選択パラメータを含めることも可能である。セル選択パラメータは、セルの再選択に限らず初回の選択に用いることができるパラメータであってもよい。
【０２４４】
無線端末１８１０におけるセル選択は、たとえば、受信電力と受信品質とに基づいて行われる。受信電力は、ＬＴＥであればＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）である。受信品質は、ＬＴＥであればＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）である。また、ＬＴＥのセル選択には、受信電力や受信品質に対して補正を行うパラメータが用いられる。なお、実際のセル選択パラメータは、たとえばオフセット値や係数などであり、一例としては３ＧＰＰのＴＳ３６．３０４の５．２．３や５．２．４等に規定されたパラメータを用いることができる。また、パラメータの具体的な値は、一例としては３ＧＰＰのＴＳ３６．３３１等に規定されている。
【０２４５】
ＤＵリスト２０００のＤＵカテゴリについて説明する。ＤＵカテゴリは、上述した基地局信号処理の分離ポイントに対応するＤＵカテゴリである（たとえば図１５参照）。たとえば、基地局信号処理の分離ポイントとＤＵカテゴリとは一対一の関係になる。図２０に示す例では、ＤＵ識別子が１〜３の各ＤＵのＤＵカテゴリはそれぞれ１，３，５である。
【０２４６】
無線端末１８１０は、無線基地局１００から送信されたＤＵリスト２０００に基づいて接続先のセルを選択する。このとき、無線端末１８１０は、たとえばＤＵリスト２０００に含まれるＤＵカテゴリをセル選択に用いる。ＤＵカテゴリに基づくセル選択には各種の方法を用いることができる。
【０２４７】
たとえば、無線装置１１０の第１信号処理に含まれる処理が少ないＤＵカテゴリほど、同一のユーザデータを伝送する場合におけるＣＵ−ＤＵ間インタフェースによる信号の伝送量が少なくなる。このため、多数のユーザのためのユーザデータの伝送が可能になる。一方、無線装置１１０の第１信号処理に含まれる処理が多いＤＵカテゴリほど、同一のユーザデータを伝送する場合におけるＣＵ−ＤＵ間インタフェースによる信号の伝送量が多くなる。このため、ＣＵ−ＤＵ間インタフェースの速度制限により多数のユーザのためのユーザデータの伝送が困難になる。
【０２４８】
これに対して、無線端末１８１０は、たとえば、無線基地局１００との間で伝送するデータのＱｏＳが大容量の信号伝送を要するＱｏＳである場合は、第１信号処理に含まれる処理が比較的に少ないまたは信号処理の処理時間の短いＤＵカテゴリのセルを選択する。ＱｏＳはＱｕａｌｉｔｙ  ｏｆ  Ｓｅｒｖｉｃｅの略である。また、無線端末１８１０は、無線基地局１００との間で伝送するデータのＱｏＳが大容量の伝送を要しないＱｏＳである場合は、第１信号処理に含まれる処理が比較的に多いまたは信号処理の処理時間の長いＤＵカテゴリのセルを選択する。
【０２４９】
また、基地局信号処理の分離ポイントによって、上述のＣＵ−ＤＵ間インタフェースによる信号の伝送量に限らず、伝送遅延、誤り率またはスケジューリング精度などが異なる場合がある。このような場合は、無線端末１８１０は、無線基地局１００との間で伝送するデータのＱｏＳにおいて要求される伝送遅延、誤り率またはスケジューリング精度などに応じてセルを選択してもよい。
【０２５０】
つぎに、隣接セルリストについて説明する。たとえば、ＬＴＥにおいては、セル再選択のための隣接セル（ｎｅｉｇｈｂｏｕｒｉｎｇ  ｃｅｌｌ）を規定するＳＩＢ４やＳＩＢ５が用いられている。ＳＩＢはＳｙｓｔｅｍ  Ｉｎｆｏｒｍａｔｉｏｎ  Ｂｌｏｃｋ（システム情報ブロック）の略である。
【０２５１】
ＳＩＢ４は、ｉｎｔｒａ−ｆｒｅｑｕｅｎｃｙすなわち同一の周波数の隣接セルリストに関するシステム情報である。ＳＩＢ４のリストの中身は、ＰｈｙｓＣｅｌｌＩｄ（物理セルＩＤやＰＣＩと呼ぶ場合もある）、すなわちセルＩＤとセル再選択に使用するパラメータであるｑ−ＯｆｆｓｅｔＣｅｌｌで構成されている。なお、セル再選択に用いるパラメータについては、たとえば３ＧＰＰのＴＳ３６．３０４に規定されている。
【０２５２】
ＳＩＢ５は、ｉｎｔｅｒ−ｆｒｅｑｕｅｎｃｙすなわち異なる周波数の隣接セルリストに関するシステム情報である。ＳＩＢ５には、たとえばｉｎｔｅｒＦｒｅｑＣａｒｒｉｅｒＦｒｅｑＬｉｓｔとして下り周波数（ｄｌ−ＣａｒｒｉｅｒＦｒｅｑ）、ＮｅｉｇｈＣｅｌｌＣｏｎｆｉｇ、ｉｎｔｅＦｒｅｑＮｅｉｇｈＣｅｌｌＬｉｓｔおよびセル再選択のパラメータが含まれている。ＮｅｉｇｈＣｅｌｌＣｏｎｆｉｇは、隣接セルがＭＢＳＦＮであるか否かを示す情報やＴＤＤのＵＬ／ＤＬの設定の情報などを含む。ＭＢＳＦＮはＭＢＭＳ  Ｓｉｎｇｌｅ  Ｆｒｅｑｕｅｎｃｙ  Ｎｅｔｗｏｒｋの略である。ＭＢＭＳはＭｕｌｔｉｍｅｄｉａ  Ｂｒｏａｄｃａｓｔ  ａｎｄ  Ｍｕｌｔｉｃａｓｔ  Ｓｅｒｖｉｃｅの略である。ＴＤＤはＴｉｍｅ  Ｄｉｖｉｓｉｏｎ  Ｄｕｐｌｅｘ（時分割複信）の略である。ＵＬ／ＤＬはアップリンク（Ｕｐ  Ｌｉｎｋ）およびダウンリンク（Ｄｏｗｎ  Ｌｉｎｋ）の略である。また、ｉｎｔｅＦｒｅｑＮｅｉｇｈＣｅｌｌＬｉｓｔにはＳＩＢ４と同様にセルＩＤとセル再選択のパラメータが含まれている。このように、隣接セルリストには、周波数、セルＩＤ、セル再選択のパラメータが含まれている。
【０２５３】
上述したＤＵリスト２０００は、一例としては、このような隣接セルリストに対して、ＤＵごとのＤＵカテゴリを追加した情報とすることができる。ただし、ＤＵリスト２０００はこのような情報に限らず、たとえばＤＵごとのＤＵカテゴリを示す各種の情報とすることができる。また、上述のカテゴリに相当する情報として、種別、タイプ、ケイパビリティなど各種の名称の情報を用いることができる。
【０２５４】
（実施の形態２にかかる無線端末のハードウェア構成）
図２１は、実施の形態２にかかる無線端末のハードウェア構成の一例を示す図である。図１８に示した無線端末１８１０は、たとえば図２１に示す通信装置２１００によって実現することができる。通信装置２１００は、ＣＰＵ２１０１と、メモリ２１０２と、ユーザインタフェース２１０３と、無線通信インタフェース２１０４と、を備える。ＣＰＵ２１０１、メモリ２１０２、ユーザインタフェース２１０３および無線通信インタフェース２１０４は、バス２１０９によって接続される。
【０２５５】
ＣＰＵ２１０１は、通信装置２１００の全体の制御を司る。メモリ２１０２には、たとえばメインメモリおよび補助メモリが含まれる。メインメモリは、たとえばＲＡＭである。メインメモリは、ＣＰＵ２１０１のワークエリアとして使用される。補助メモリは、たとえば磁気ディスク、フラッシュメモリなどの不揮発メモリである。補助メモリには、通信装置２１００を動作させる各種のプログラムが記憶されている。補助メモリに記憶されたプログラムは、メインメモリにロードされてＣＰＵ２１０１によって実行される。
【０２５６】
ユーザインタフェース２１０３は、たとえば、ユーザからの操作入力を受け付ける入力デバイスや、ユーザへ情報を出力する出力デバイスなどを含む。入力デバイスは、たとえばキー（たとえばキーボード）やリモコンなどによって実現することができる。出力デバイスは、たとえばディスプレイやスピーカなどによって実現することができる。また、タッチパネルなどによって入力デバイスおよび出力デバイスを実現してもよい。ユーザインタフェース２１０３は、ＣＰＵ２１０１によって制御される。
【０２５７】
無線通信インタフェース２１０４は、無線によって通信装置２１００の外部（たとえば無線基地局１００）との間で通信を行う通信インタフェースである。無線通信インタフェース２１０４は、ＣＰＵ２１０１によって制御される。
【０２５８】
図１８に示したアンテナ１８１１は、たとえば無線通信インタフェース２１０４に含まれる。図１８に示した通信部１８１２および制御部１８１３のそれぞれは、たとえばＣＰＵ２１０１および無線通信インタフェース２１０４の少なくともいずれかにより実現することができる。
【０２５９】
また、無線端末１８１０のハードウェア構成は図２１に示したハードウェア構成に限らない。たとえば、ＣＰＵ２１０１やメモリ２１０２に対応する構成を、ＦＰＧＡやＤＳＰなどを用いて実現してもよい。
【０２６０】
このように、実施の形態２によれば、基地局信号処理のうちの無線装置１１０の第１信号処理に関する構成情報を無線端末１８１０へ送信することができる。これにより、無線端末１８１０は、基地局信号処理の分離ポイントに応じて自端末の接続先のセルを選択することが可能になる。
【０２６１】
また、無線制御装置１２０が無線装置１１０の構成情報を無線端末１８１０へ送信する構成について説明したが、無線装置１１０が無線制御装置１２０の構成情報を無線端末１８１０へ送信する構成としてもよい。
【０２６２】
なお、上述の構成情報に応じたセル選択は、無線端末１８１０ではなく無線基地局１００において行ってもよい。この場合は、無線基地局１００から構成情報を無線端末１８１０へ送信しなくてもよい。
【０２６３】
また、上述したＤＵごとのＤＵカテゴリを示すＤＵリストに代えて、またはＤＵリストに加えて、ＣＵごとのＣＵカテゴリを示すＣＵリストを無線端末１８１０へ送信する構成としてもよい。ＣＵカテゴリは、たとえばＣＵの第２信号処理に含まれる処理に応じた分離ポイントに対応するカテゴリである。
【０２６４】
以上説明したように、無線基地局、無線装置、無線制御装置、無線通信システム、通信方法および無線端末によれば、無線基地局における信号処理の複数通りの分離ポイントの混在を可能にすることができる。
【０２６５】
たとえば、将来、マッシブＭＩＭＯやビームフォーミングの導入に伴うアンテナ数の増加が想定される。これらの技術においては、アンテナごとに送信データが異なり、かつアンテナごとにＤＵを要する。このため、ＣＵ−ＤＵ間インタフェースにおいて伝送されるデータの量が増加する。これに対して、たとえばＣＰＲＩの伝送速度は最大で２４［ＧＨｚ］であり、このようなデータの量の増大に対応できない可能性がある。このため、ＣＵ−ＤＵ間インタフェースとして新たなインタフェース（プロトコル）の検討を要する。
【０２６６】
また、ＣＵに対して複数のＤＵをカスケード接続してマルチホップ伝送を行う構成が検討されている。この場合に、複数のＤＵが対応する基地局信号処理の分離ポイントが異なると、ＣＵ−ＤＵ間インタフェースにおいてデータ種別が異なる各信号が伝送されることになる。たとえば、複数のＤＵが対応する基地局信号処理の分離ポイントが異なる例として、４ＧのＤＵ（たとえばＲＲＨ）と５ＧのＤＵ（たとえばＲＥ）をＣＵに接続する構成が考えられる。したがって、ＣＵ−ＤＵ間インタフェースにおいて、基地局信号処理の複数通りの分離ポイントに対応することを要する。
【０２６７】
また、ＣＵに対して複数のＣＵをスター接続する構成においても、複数のＤＵが対応する基地局信号処理の分離ポイントが異なると、各ＤＵに対応するＣＵ−ＤＵ間インタフェースにおいてデータ種別が異なる各信号が伝送されることになる。したがって、各ＤＵに対応するＣＵ−ＤＵ間インタフェースにおいて、基地局信号処理の分離ポイントによって異なる信号の伝送方法を特定することを要する。
【０２６８】
また、現在、基地局信号処理の分離ポイントについて多数の候補が検討されている。これらの基地局信号処理の分離ポイントの候補は、たとえば３ＧＰＰのＴＲ３８．８０１のＶ０．２．０  ６．１．２．１等において検討されている。そして、これらの候補のうちの複数の候補が採用され、基地局信号処理の複数通りの分離ポイントをシステム内や無線基地局内で混在させることが考えられる。
【０２６９】
これに対して、上述した各実施の形態によれば、基地局信号処理の複数通りの分離ポイントを混在させることが可能になる。
【０２７０】
なお、上述した各実施の形態においては、複数の無線装置１１０（ＤＵ）の接続方法としてカスケード接続やスター接続を説明したが、複数の無線装置１１０の接続方法はこれらに限らない。たとえば、複数の無線装置１１０をリンク接続する構成としてもよい。
【０２７１】
上述した各実施の形態に関し、さらに以下の付記を開示する。
【０２７２】
（付記１）無線端末と通信を行う無線基地局であって、
自局における信号処理のうち無線信号処理を含む第１信号処理を行う無線装置と、
前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線基地局。
【０２７３】
（付記２）前記無線制御装置は、通知された前記第１情報に基づいて、前記第２信号処理の制御および／または信号処理された信号を前記無線装置との間で伝送するための伝送方法の制御を行うことを特徴とする付記１に記載の無線基地局。
【０２７４】
（付記３）前記無線装置は、通知された前記第２情報に基づいて、前記第１信号処理の制御および／または信号処理された信号を前記無線制御装置との間で伝送するための伝送方法の制御を行うことを特徴とする付記１または２に記載の無線基地局。
【０２７５】
（付記４）前記伝送方法の制御には、前記信号を伝送するためのプロトコルの制御および／または伝送する前記信号のデータ種別の制御が含まれることを特徴とする付記２または３に記載の無線基地局。
【０２７６】
（付記５）前記無線制御装置は、通知された前記第１情報と、前記無線装置が形成するセルに関する情報と、を前記無線端末へ通知する処理を行うことを特徴とする付記１〜４のいずれか一つに記載の無線基地局。
【０２７７】
（付記６）前記無線装置は、通知された前記第２情報と、前記無線装置が形成するセルに関する情報と、を前記無線端末へ通知する処理を行うことを特徴とする付記１〜５のいずれか一つに記載の無線基地局。
【０２７８】
（付記７）前記無線装置は、前記無線端末から受信した信号に対して前記第１信号処理に含まれる受信処理を行い、前記受信処理を行った信号を前記無線制御装置へ伝送し、前記無線制御装置から受信した信号に対して前記第１信号処理に含まれる送信処理を行った信号を前記無線端末へ無線送信し、
前記無線制御装置は、前記無線装置から受信した信号に対して前記第２信号処理に含まれる受信処理を行い、前記受信処理を行った信号を基地局の上位装置へ伝送し、前記上位装置から受信した信号に対して前記第２信号処理に含まれる送信処理を行い、前記送信処理を行った信号を前記無線装置へ伝送する、
ことを特徴とする付記１〜６のいずれか一つに記載の無線基地局。
【０２７９】
（付記８）無線装置および無線制御装置を含み、無線端末と通信を行う無線基地局の前記無線装置であって、
前記無線基地局における信号処理のうち無線信号処理を含む第１信号処理を行う処理部と、
前記無線制御装置との間で伝送を実施するためのインタフェース処理部と、
前記第１信号処理に関する情報を前記無線制御装置へ通知する通知部と、
を備えることを特徴とする無線装置。
【０２８０】
（付記９）無線装置および無線制御装置を含み、無線端末と通信を行う無線基地局の前記無線制御装置であって、
前記無線基地局における信号処理のうち無線信号処理を含む第１信号処理とは異なる第２信号処理を行う処理部と、
前記無線装置との間で伝送を実施するためのインタフェース処理部と、
前記第２信号処理に関する情報を前記無線装置へ通知する通知部と、
を備えることを特徴とする無線制御装置。
【０２８１】
（付記１０）無線端末と、
前記無線端末と通信を行う無線基地局に含まれ、前記無線基地局における信号処理のうち無線信号処理を含む第１信号処理を行う無線装置と、
前記無線基地局に含まれ、前記第１信号処理と異なる第２信号処理を行う無線制御装置と、
前記第１信号処理に関する第１情報を前記無線制御装置へ通知する第１通知部および前記第２信号処理に関する第２情報を前記無線装置へ通知する第２通知部の少なくともいずれかと、
を含むことを特徴とする無線通信システム。
【０２８２】
（付記１１）無線装置および無線制御装置を含み、無線端末と通信を行う無線基地局の通信方法であって、
前記無線装置により、自局における信号処理のうち無線信号処理を含む第１信号処理を行い、
前記無線制御装置により、前記第１信号処理と異なる第２信号処理を行い、
前記第１信号処理に関する第１情報の前記無線装置から前記無線制御装置への通知および前記第２信号処理に関する第２情報の前記無線制御装置から前記無線装置への通知の少なくともいずれかを行う、
ことを特徴とする通信方法。
【０２８３】
（付記１２）第１無線装置、第２無線装置および無線制御装置を含み、無線端末と通信を行う無線基地局の前記無線制御装置であって、
前記無線端末との間で伝送する信号のうちの前記第１無線装置を介して伝送する信号に対する前記無線基地局における信号処理のうち、無線信号処理を含む前記第１無線装置の第１信号処理とは異なる第２信号処理を行う第１処理部と、
前記無線端末との間で伝送する信号のうちの前記第２無線装置を介して伝送する信号に対する前記無線基地局における信号処理のうち、無線信号処理を含む前記第２無線装置の第１信号処理とは異なる第２信号処理を行う第２処理部と、
前記第１無線装置との間の前記信号と、前記第２無線装置との間の前記信号と、を同一の伝送路を介して伝送するインタフェース処理部と、
を備えることを特徴とする無線制御装置。
【０２８４】
（付記１３）前記第１処理部は、前記第１無線装置への第１信号に、前記第１無線装置の第１信号処理に関する第１情報を付加し、
前記第２処理部は、前記第２無線装置への第２信号に、前記第２無線装置の第１信号処理に関する第２情報を付加し、
前記インタフェース処理部は、前記第１信号に付加された前記第１情報に基づく伝送方法により前記第１信号を伝送し、前記第２信号に付加された前記第２情報に基づく伝送方法により前記第２信号を伝送する、
ことを特徴とする付記１２に記載の無線制御装置。
【０２８５】
（付記１４）前記第２無線装置の第１信号処理は、前記第１無線装置の第１信号処理と異なることを特徴とする付記１２または１３に記載の無線制御装置。
【０２８６】
（付記１５）第１無線装置、第２無線装置および無線制御装置を含み、無線端末と通信を行う無線基地局の前記第１無線装置に適用される無線装置であって、
前記無線端末との間で伝送する信号のうちの前記第１無線装置を介して伝送する信号に対する前記無線基地局における信号処理のうち無線信号処理を含む前記第１無線装置の第１信号処理を行う処理部と、
前記第１信号処理とは異なる第２信号処理を行う前記無線制御装置と前記第２無線装置との間の伝送を、実施するためのインタフェース処理部と、
を備えることを特徴とする無線装置。
【０２８７】
（付記１６）前記処理部は、前記無線制御装置への信号に、前記第１信号処理に関する情報を付加し、
前記インタフェース処理部は、前記無線制御装置への信号に付加された前記情報に基づく伝送方法により前記無線制御装置への信号を伝送する、
ことを特徴とする付記１５に記載の無線装置。
【０２８８】
（付記１７）無線端末と、
前記無線端末と通信を行う無線基地局に含まれ、前記無線端末との間で伝送する信号のうちの自装置を介して伝送する信号に対する前記無線基地局における信号処理のうち、無線信号処理を含む第１信号処理を行う第１無線装置と、
前記無線基地局に含まれ、前記無線端末との間で伝送する信号のうちの自装置を介して伝送する信号に対する前記無線基地局における信号処理のうち、無線信号処理を含む第１信号処理を行う第２無線装置と、
前記無線基地局に含まれ、前記第１無線装置を介して伝送する信号に対する前記無線基地局における信号処理のうち前記第１無線装置の第１信号処理とは異なる第２信号処理を行い、前記第２無線装置を介して伝送する信号に対する前記無線基地局における信号処理のうち前記第２無線装置の第１信号処理とは異なる第２信号処理を行う無線制御装置と、
を含み、前記第１無線装置と前記無線制御装置との間の前記信号と、前記第２無線装置と前記無線制御装置との間の前記信号と、を同一の伝送路を介して伝送する、
ことを特徴とする無線通信システム。
【０２８９】
（付記１８）第１無線装置、第２無線装置および無線制御装置を含み、無線端末と通信を行う無線基地局の通信方法であって、
前記第１無線装置が、前記無線端末との間で伝送する信号のうちの前記第１無線装置を介して伝送する信号に対する前記無線基地局における信号処理のうち、無線信号処理を含む前記第１無線装置の第１信号処理を行い、
前記第２無線装置が、前記無線端末との間で伝送する信号のうちの前記第２無線装置を介して伝送する信号に対する前記無線基地局における信号処理のうち、無線信号処理を含む前記第２無線装置の第１信号処理を行い、
前記無線制御装置が、前記無線端末との間で伝送する信号のうちの前記第１無線装置を介して伝送する信号に対する前記無線基地局における信号処理のうち前記第１無線装置の第１信号処理とは異なる第２信号処理を行い、
前記無線制御装置が、前記無線端末との間で伝送する信号のうちの前記第２無線装置を介して伝送する信号に対する前記無線基地局における信号処理のうち前記第２無線装置の第１信号処理とは異なる第２信号処理を行い、
前記第１無線装置と前記無線制御装置との間の前記信号と、前記第２無線装置と前記無線制御装置との間の前記信号と、を同一の伝送路を介して伝送する、
ことを特徴とする通信方法。
【０２９０】
（付記１９）無線装置および無線制御装置を含む無線基地局と通信を行う無線端末であって、
前記無線基地局における信号処理のうち、前記無線装置における第１信号処理と前記無線制御装置における第２信号処理に関する情報を前記無線基地局から受信する通信部と、
受信した前記情報に基づいてセルを選択する制御部と、
を備えることを特徴とする無線端末。
【０２９１】
（付記２０）無線装置および無線制御装置を含み無線端末と通信を行う無線基地局であって、自局における信号処理のうち、前記無線装置による第１信号処理と前記無線制御装置による第２信号処理に関する情報を送信する無線基地局と、
受信した前記情報に基づいてセルを選択する無線端末と、
を含むことを特徴とする無線通信システム。
【０２９２】
（付記２１）無線装置および無線制御装置を含む無線基地局と、前記無線基地局と通信を行う無線端末と、を含む無線通信システムにおける通信方法であって、
前記無線基地局が、自局における信号処理のうち、前記無線装置による第１信号処理と前記無線制御装置による第２信号処理に関する情報を前記無線端末へ送信し、
前記無線端末が、受信した前記情報に基づいてセルを選択する、
ことを特徴とする通信方法。
【符号の説明】
【０２９３】
１００  無線基地局
１０１，７０１，８０１  伝送路
１１０，１１０ａ，１１０ｂ  無線装置
１１１，１１１ａ，１１１ｂ  第１処理部
１１２，１１２ａ，１１２ｂ，１２１，１２１ａ，１２１ｂ  ＩＦ処理部
１１３，１１３ａ，１１３ｂ，１２４  通知部
１１５，１１５ａ，１１５ｂ，１８１１  アンテナ
１２０  無線制御装置
１２２，１２２ａ，１２２ｂ  第２処理部
１２３，１８１３  制御部
２０１，７１１，７２１  物理層処理部
２０２，２０２ａ，７２２  ＤＡＣ／ＡＤＣ
２０３，２０３ａ，７２３  ＢＢ処理部
２０４，２０４ａ，２０４ｂ  ＭＡＣ処理部
２０５，２０５ａ  ＲＬＣ処理部
２０６，２０６ａ，２０６ｂ  ＰＤＣＰ処理部
７３０  分配部
９００  移動体通信網
９１１〜９１８  ＤＵ
９２１〜９２３  ＣＵ
９３１，９３２  ＭＭＥ
９４１，９４２  ＳＧＷ
９５０  ＰＧＷ
１３００  信号
１３０１  混在情報
１３０２  プリアンブル
１３０３  ＳＦＤ
１３０４  宛先アドレス
１３０５  送信元アドレス
１３０６  ＤＵカテゴリ
１３０７  データ種別／プロトコル情報
１３０８  長さ／タイプ情報
１３０９  クライアントデータ
１３１０  フレームチェックシーケンス
１４０１  分離ポイント
１５００  テーブル
１６００，２１００  通信装置
１６０１，１７０１，２１０１  ＣＰＵ
１６０２，１７０２，２１０２  メモリ
１６０３，１７０３，１７０４  有線通信インタフェース
１６０４，２１０４  無線通信インタフェース
１６０９，１７０９，２１０９  バス
１７００  情報処理装置
１８００  無線通信システム
１８１０  無線端末
１８１２  通信部
２０００  ＤＵリスト
２１０３  ユーザインタフェース
【国際調査報告】
2018029853.tif 000024
2018029853.tif 000025
2018029853.tif 000026
2018029853.tif 000027